(57)【特許請求の範囲】
【請求項１】
チャネル状態情報ＣＳＩ測定及びフィードバック方法であって、
第１ネットワークデバイスが、第１信号を第２ネットワークデバイスに送信する段階であって、前記第１信号は、第２ＣＳＩを有し、前記第２ＣＳＩは第２ＲＩの範囲及び第２ＰＭＩを有する、段階と、
前記第１ネットワークデバイスが、前記第２ネットワークデバイスにより送信された第１測定パイロットを受信し、前記第１測定パイロットを測定して第１ＣＳＩを取得する段階であって、前記第１ＣＳＩは、第１ＲＩ、第１ＰＭＩ、及び第１ＣＱＩを有する、段階と、
前記第１ネットワークデバイスが、前記第１ＣＳＩを前記第２ネットワークデバイスに送信する段階と
を備え、
前記第１信号はアップリンクサウンディング基準信号ＳＲＳであり、
前記第１ＣＳＩの前記ＰＭＩはプリコーディング行列Ｗを有し、
ランクが１である場合、
【数２０７】
0006690848.tif 000207
であり、
ランクが２である場合、
【数２０８】
0006690848.tif 000208
であり、
ランクが３である場合、
【数２０９】
0006690848.tif 000209
かつ、
【数２１０】
0006690848.tif 000210
であり、
ランクが４である場合、
【数２１１】
0006690848.tif 000211
かつ、
【数２１２】
0006690848.tif 000212
であり、
ランクが５である場合、
【数２１３】
0006690848.tif 000213
かつ、
【数２１４】
0006690848.tif 000214
であり、
ランクが６である場合、
【数２１５】
0006690848.tif 000215
かつ、
【数２１６】
0006690848.tif 000216
であり、
ランクが７である場合、
【数２１７】
0006690848.tif 000217
かつ、
【数２１８】
0006690848.tif 000218
であり、
ランクが８である場合、
【数２１９】
0006690848.tif 000219
かつ、
【数２２０】
0006690848.tif 000220
であり、
Ｃは、前記プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である方法。
【請求項２】
前記第２ＣＳＩは、前記第１ネットワークデバイスによって第２測定パイロットを測定することにより取得され、前記第２測定パイロットは、半静的なシグナリング、又は第１ネットワークデバイスのグループに固有のシグナリングを用いることにより、前記第２ネットワークデバイスによって、前記第１ネットワークデバイスに対して構成される測定パイロットである、請求項１に記載の方法。
【請求項３】
前記第２ＣＳＩは、ＰＭＩ、ポート選択情報、及びサブバンド情報のうちの少なくとも１つを有し、
前記第２ＣＳＩに含まれる前記ポート選択情報は、前記第２測定パイロット内の複数のポートから前記第１ネットワークデバイスにより選択されたポートのポート番号を示すべく用いられ、前記サブバンド情報は、前記第２測定パイロットの周波数帯から前記第１ネットワークデバイスにより選択されたサブバンドを示すべく用いられる、請求項２に記載の方法。
【請求項４】
前記第１ネットワークデバイスが、前記第２ネットワークデバイスにより送信された前記第１測定パイロットを受信し、前記第１測定パイロットを測定する前記段階の前に、前記方法は、
前記第１ネットワークデバイスが、前記第１測定パイロットの構成情報を決定する段階であって、前記第１測定パイロットの前記構成情報は、前記第１測定パイロットのポート数、前記第１測定パイロットのパイロットパターン、前記第１測定パイロットのポートと前記第１測定パイロットのデータレイヤ数との間の対応関係、前記第１測定パイロットの周波数帯情報、前記第１測定パイロットの期間、前記第１測定パイロットのサブフレームオフセット、前記第１測定パイロットを送信する開始時刻、前記第１測定パイロットを送信する終了時刻、前記第１測定パイロットを測定する開始時刻、前記第１測定パイロットを測定する終了時刻、及び前記第１測定パイロットのシーケンス情報のうちの少なくとも１つを有する、段階をさらに備える、請求項２又は３に記載の方法。
【請求項５】
前記第１ネットワークデバイスが、前記第１測定パイロットの構成情報を決定する前記段階は、
前記第１ネットワークデバイスが、前記第１信号に従って前記第１測定パイロットの前記構成情報を決定する段階を含む、請求項４に記載の方法。
【請求項６】
前記第１ネットワークデバイスが、前記第１信号に従って前記第１測定パイロットの前記構成情報を決定する前記段階は、
前記第１ネットワークデバイスが、前記第１ネットワークデバイスによって前記第２ネットワークデバイスに最後に送信された第１信号に従って前記第１測定パイロットの前記構成情報を決定する段階を含む、請求項５に記載の方法。
【請求項７】
前記第１ネットワークデバイスが、前記第１ネットワークデバイスによって前記第２ネットワークデバイスに最後に送信された第１信号に従って前記第１測定パイロットの前記構成情報を決定する前記段階は、
前記第１ネットワークデバイスが、前記第１ネットワークデバイスによって前記第２ネットワークデバイスに最後に送信された前記第１信号内のＰＭＩに従って前記第１測定パイロットの前記パイロットパターンを決定する段階であって、ＰＭＩとパイロットパターンとの間に対応関係がある、段階、又は、
前記第１ネットワークデバイスが、前記第１ネットワークデバイスによって前記第２ネットワークデバイスに最後に送信された前記第１信号内のＲＩに従って前記第１測定パイロットの前記パイロットパターンを決定する段階であって、ＲＩとパイロットパターンとの間に対応関係がある、段階
を含む、請求項６に記載の方法。
【請求項８】
ＲＩが別のＲＩよりも低い場合、前記ＲＩに対応するパイロットパターンは、前記別のＲＩに対応するパイロットパターンのサブセットである、請求項７に記載の方法。
【請求項９】
前記第１ネットワークデバイスが、前記第１測定パイロットの構成情報を決定する前記段階は、
前記第１ネットワークデバイスが、前記第２ネットワークデバイスにより送信された第１シグナリングを受信する段階であって、前記第１シグナリングは、前記第１測定パイロットの前記構成情報を搬送する、段階と、
前記第１ネットワークデバイスが、前記第１シグナリングに従って前記第１測定パイロットの前記構成情報を決定する段階と
を含み、
前記第１シグナリングは、より高い層のシグナリング、前記第１ネットワークデバイスに固有に動的なシグナリング、及び前記第１ネットワークデバイスのグループに固有に動的なシグナリングのうちの少なくとも１つである、請求項４に記載の方法。
【請求項１０】
前記第１ネットワークデバイスに固有の前記動的なシグナリングは、物理ダウンリンク制御チャネルＰＤＣＣＨ又は拡張物理ダウンリンク制御チャネルＥＰＤＣＣＨに加えられて送信され、又は、前記第１ネットワークデバイスに固有の前記動的なシグナリングは、ＤＬ  ｇｒａｎｔシグナリング又はＵＬ  ｇｒａｎｔシグナリングであり、
前記第１ネットワークデバイスのグループに固有の前記動的なシグナリングは、ＰＤＣＣＨ又はＥＰＤＣＣＨに加えられて送信され、又は、前記第１ネットワークデバイスのグループに固有の前記動的なシグナリングは、前記第１ネットワークデバイスが属するグループの識別子を用いることによりスクランブリングが実行された後に取得される動的なシグナリングである、請求項９に記載の方法。
【請求項１１】
前記第１ネットワークデバイスが、前記第１シグナリングに従って前記第１測定パイロットの前記構成情報を決定する前記段階は、
前記第１ネットワークデバイスが、前記より高い層のシグナリングに従って、前記第１ネットワークデバイスが属するグループの識別子を決定し、前記第１ネットワークデバイスが属する前記グループの前記識別子に従って、前記第１ネットワークデバイスのグループに固有の前記動的なシグナリングから前記第１測定パイロットの前記構成情報を決定する段階、又は、
前記第１ネットワークデバイスが、前記より高い層のシグナリングに従って、前記第１ネットワークデバイスが属するグループの識別子を決定し、前記第１ネットワークデバイスが属する前記グループの前記識別子、及び前記第１ネットワークデバイスの識別子に従って、前記第１ネットワークデバイスのグループに固有の前記動的なシグナリングから前記第１測定パイロットの前記構成情報を決定する段階
を含む、請求項９に記載の方法。
【請求項１２】
前記第１ネットワークデバイスが、前記第１シグナリングに従って前記第１測定パイロットの前記構成情報を決定する前記段階は、
前記第１ネットワークデバイスが、前記第１信号に従って、前記第１ネットワークデバイスが属するグループの識別子を決定し、前記第１ネットワークデバイスが属する前記グループの前記識別子及び前記第１ネットワークデバイスの識別子に従って、前記第１ネットワークデバイスのグループに固有の前記動的なシグナリングから前記第１測定パイロットの前記構成情報を決定する段階を含む、請求項９に記載の方法。
【請求項１３】
前記第１ネットワークデバイスが、前記第１信号に従って、前記第１ネットワークデバイスが属するグループの識別子を決定する前記段階は、
前記第１ネットワークデバイスが、前記第２ＣＳＩに含まれるポート選択情報、及び第１マッピング関係に従って、前記第１ネットワークデバイスが属する前記グループの前記識別子を決定する段階であって、前記第１マッピング関係は、ポート番号と、前記第１ネットワークデバイスが属する前記グループの前記識別子との間の対応関係を示すべく用いられる、段階、又は、
前記第１ネットワークデバイスが、前記第２ＣＳＩに含まれるサブバンド情報、及び第２マッピング関係に従って、前記第１ネットワークデバイスが属する前記グループの前記識別子を決定する段階であって、前記第２マッピング関係は、前記サブバンド情報と、前記第１ネットワークデバイスが属する前記グループの前記識別子との間の対応関係を示すべく用いられる、段階、又は、
前記第１ネットワークデバイスが、前記第１信号を前記第２ネットワークデバイスに送信し、前記第１ネットワークデバイスが属する前記グループの前記識別子を受信する段階であって、前記第１ネットワークデバイスが属する前記グループの前記識別子は、前記第２ネットワークデバイスにより送信され、かつ、前記第１信号に従って前記第２ネットワークデバイスにより決定される、段階
を含む、請求項１２に記載の方法。
【請求項１４】
前記第１ネットワークデバイスが、第１信号を第２ネットワークデバイスに送信する段階の前に、前記方法は、
前記第１ネットワークデバイスが、前記第２ネットワークデバイスにより送信された前記第２測定パイロットを受信する段階と、
前記第１ネットワークデバイスが、前記第２測定パイロットを測定して、前記第２ＣＳＩを取得し、前記第２ＣＳＩに従って前記第１信号を決定する段階と
をさらに備える、請求項４から８の何れか一項に記載の方法。
【請求項１５】
前記第２ＣＳＩに含まれるポート選択情報は、Ｍ個のポートから前記第１ネットワークデバイスにより選択されたＮ個のポートのポート番号を示すべく用いられ、Ｍは、前記第２測定パイロットのポート数であり、Ｎ＜Ｍである、請求項１４に記載の方法。
【請求項１６】
前記Ｍ個のポートから前記第１ネットワークデバイスにより選択された前記Ｎ個のポートのポート番号は、具体的には、
Ｍ個の第２測定パイロットを測定すること、及び、降順に前記Ｍ個の第２測定パイロットの信号品質をソートすることにより前記第１ネットワークデバイスによって取得される最も高い信号品質の第１のＮ個のポート番号であり、前記第１のＮ個のポート番号は、前記第２測定パイロットに対応している、請求項１５に記載の方法。
【請求項１７】
前記第１ネットワークデバイスが、前記第１信号に従って前記第１測定パイロットの前記構成情報を決定する前記段階は、具体的には、
前記第１ネットワークデバイスが、前記第１信号に従って前記第１測定パイロットの前記ポート数をＮとして決定する段階、又は、
前記第１ネットワークデバイスが、前記第１信号及び第３マッピング関係に従って前記第１測定パイロットの前記期間を決定する段階であって、前記第３マッピング関係は、前記第１測定パイロットの前記ポート数と前記第１測定パイロットの前記期間との間の対応関係を示すべく用いられる、段階、又は、
前記第１ネットワークデバイスが、前記第１信号及び第４マッピング関係に従って前記第１測定パイロットの前記シーケンス情報を決定する段階であって、前記第４マッピング関係は、前記第１測定パイロットの前記ポート数と前記第１測定パイロットの前記シーケンス情報との間の対応関係を示すべく用いられる、段階
を含む、請求項１５又は１６に記載の方法。
【請求項１８】
前記第２測定パイロットの構成情報は、前記第２測定パイロットのポート数、前記第２測定パイロットのパイロットパターン、前記第２測定パイロットのポート数と前記第２測定パイロットのデータレイヤ数との間の対応関係、前記第２測定パイロットの周波数帯情報、前記第２測定パイロットの期間、前記第２測定パイロットのサブフレームオフセット、及び前記第２測定パイロットのシーケンス情報のうちの少なくとも１つを有し、ＣＳＩ測定プロセスにおいて、前記第２測定パイロットの前記構成情報は、変化しないままである、請求項４から１７の何れか一項に記載の方法。
【請求項１９】
前記第１ネットワークデバイスが、前記第２測定パイロットを測定する前記段階の前に、前記方法は、
前記第１ネットワークデバイスが、前記第２ネットワークデバイスにより送信された第２シグナリングを受信する段階であって、前記第２シグナリングは、前記第２測定パイロットの前記構成情報を搬送する、段階と、
前記第１ネットワークデバイスが、前記第２シグナリングに従って前記第１測定パイロットの前記構成情報を決定する段階と
をさらに備え、
前記第２シグナリングは半静的なシグナリングである、又は、前記第２シグナリングは前記第１ネットワークデバイスのグループに固有の動的なシグナリングである、請求項１８に記載の方法。
【請求項２０】
前記第２測定パイロット及び前記第１測定パイロットは、異なるＣＳＩ測定プロセスに属する、請求項４から１９の何れか一項に記載の方法。
【請求項２１】
前記第２測定パイロット及び前記第１測定パイロットは、同じＣＳＩ測定プロセスに属する、請求項４から１９の何れか一項に記載の方法。
【請求項２２】
前記第１測定パイロットは、プリコーディングが実行されるパイロットであり、前記第２測定パイロットは、プリコーディングが実行されないパイロットであり、又は、
前記第１測定パイロットは、クラスＢ測定パイロットであり、前記第２測定パイロットは、クラスＡ測定パイロットであり、又は、
前記第１測定パイロットは動的に変化し、前記第２測定パイロットは半静的方式で構成される、請求項４から２１の何れか一項に記載の方法。
【請求項２３】
前記第１ネットワークデバイスは、ＣＳＩ測定プロセスにおいて第３ＣＳＩを報告し、前記第３ＣＳＩは、前記第１測定パイロットを測定することにより決定された前記第１ＣＳＩ、及び前記第２測定パイロットを測定することにより決定された前記第２ＣＳＩを有する、請求項２２に記載の方法。
【請求項２４】
前記第１ＣＳＩは、第１ＲＩ、第１ＰＭＩ、及び第１ＣＱＩを有し、又は、
前記第１ＣＳＩは、第１ＰＭＩ及び第１ＣＱＩを有し、
前記第１ＲＩ及び前記第１ＰＭＩは、前記第１測定パイロットを測定することにより決定され、前記第１ＣＱＩは、第２ＲＩ、及び前記第１ＰＭＩに対応するプリコーディング行列に従って決定されるＣＱＩである、請求項２３に記載の方法。
【請求項２５】
前記第２ＣＳＩは、第２ＲＩ及び第２ＰＭＩを有し、前記第２ＲＩ及び前記第２ＰＭＩは、同じ時点でフィードバックされ、又は前記第２ＲＩ及び前記第２ＰＭＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスとを有し、前記第２ＲＩ、及び前記第１プリコーディング部分行列に対応する前記インデックスは、同じ時点でフィードバックされ、又は、前記第２ＲＩ、及び前記第１プリコーディング部分行列に対応する前記インデックスは、異なる時点でフィードバックされ、又は、
前記第２ＣＳＩは、第２ＲＩの範囲及び第２ＰＭＩを有し、前記第２ＲＩの前記範囲及び前記第２ＰＭＩは、同じ時点でフィードバックされ、又は、前記第２ＲＩの前記範囲及び前記第２ＰＭＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスとを有し、前記第２ＲＩの前記範囲、及び前記第１プリコーディング部分行列に対応する前記インデックスは、同じ時点でフィードバックされ、又は、前記第２ＲＩの前記範囲、及び前記第１プリコーディング部分行列に対応する前記インデックスは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応している前記プリコーディング行列の第２プリコーディング部分行列の列選択情報とを有し、前記第２ＲＩと、前記第１プリコーディング部分行列に対応する前記インデックスと、前記第２プリコーディング部分行列の前記列選択情報とは、同じ時点でフィードバックされ、又は、前記第２ＲＩと、前記第１プリコーディング部分行列に対応する前記インデックスと、前記第２プリコーディング部分行列の前記列選択情報とは、異なる時点でフィードバックされ、又は、
前記第２ＣＳＩは、第２ＲＩ、第２ＰＭＩ、及び第２ＣＱＩを有し、前記第２ＲＩ、前記第２ＰＭＩ、及び前記第２ＣＱＩは、同じ時点でフィードバックされ、又は、前記第２ＲＩ、前記第２ＰＭＩ、及び前記第２ＣＱＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを有し、前記第２ＲＩ、前記第１プリコーディング部分行列に対応する前記インデックス、及び前記第２ＣＱＩは、同じ時点でフィードバックされ、又は、前記第２ＲＩと、前記第１プリコーディング部分行列に対応する前記インデックスと、前記第２ＣＱＩとは、異なる時点でフィードバックされ、又は、
前記第２ＣＳＩは、第２ＲＩの範囲、第２ＰＭＩ、及び第２ＣＱＩを有し、前記第２ＲＩの前記範囲、前記第２ＰＭＩ、及び前記第２ＣＱＩは、同じ時点でフィードバックされ、又は、前記第２ＲＩの前記範囲、前記第２ＰＭＩ、及び前記第２ＣＱＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを有し、前記第２ＲＩの前記範囲、前記第１プリコーディング部分行列に対応する前記インデックス、及び前記第２ＣＱＩは、同じ時点でフィードバックされ、又は、前記第２ＲＩの前記範囲、前記第１プリコーディング部分行列に対応する前記インデックス、及び前記第２ＣＱＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応している前記プリコーディング行列の第２プリコーディング部分行列の列選択情報と、第２ＣＱＩとを有し、前記第２ＲＩ、前記第１プリコーディング部分行列に対応する前記インデックス、前記第２プリコーディング部分行列の前記列選択情報、及び前記第２ＣＱＩは、同じ時点でフィードバックされ、又は、前記第２ＲＩ、前記第１プリコーディング部分行列に対応する前記インデックス、前記第２プリコーディング部分行列の前記列選択情報、及び前記第２ＣＱＩは、異なる時点でフィードバックされ、
前記第２ＣＱＩは、前記第２ＲＩ、及び前記第２ＰＭＩに対応する前記プリコーディング行列に従って決定され、前記第２ＲＩ及び前記第２ＰＭＩは、前記第２測定パイロットを測定することにより決定され、前記第２ＰＭＩは、前記二重コードブック構成を有する前記プリコーディング行列に対応しており、前記第２ＰＭＩは、前記第１プリコーディング部分行列に対応する前記インデックスと、前記第２プリコーディング部分行列に対応するインデックスとを有し、前記二重コードブック構成は、Ｗ＝Ｗ１×Ｗ２であり、
【数２０６】
0006690848.tif 000221
であり、Ｗ１は対角行列であり、Ｗ１は前記第１プリコーディング部分行列であり、Ｗ２は前記第２プリコーディング部分行列である、請求項２３に記載の方法。
【請求項２６】
前記第１ネットワークデバイスが前記第２ＲＩ、前記第１プリコーディング部分行列に対応する前記インデックス、前記第２プリコーディング部分行列に対応する前記インデックス、及び前記第２ＣＳＩ内の前記第２ＣＱＩのうちの少なくとも１つを前記同じ時点で前記第２ネットワークデバイスにフィードバックするとき、結合符号化方式又は独立符号化方式が符号化に用いられる、請求項２５に記載の方法。
【請求項２７】
前記第３ＣＳＩは、変更指標をさらに有し、
前記変更指標は、前記第１測定パイロットを測定して前記第１ＣＳＩをフィードバックするよう前記第１ネットワークデバイスに指示すべく用いられ、又は、
前記変更指標は、前記第２測定パイロットを測定して前記第２ＣＳＩをフィードバックするよう前記第１ネットワークデバイスに指示すべく用いられ、又は、
前記変更指標は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項２５又は２６に記載の方法。
【請求項２８】
変更フラグと、前記第２ＲＩ、前記第１プリコーディング部分行列に対応する前記インデックス、前記第２プリコーディング部分行列に対応する前記インデックス、及び前記第２ＣＱＩのうちの前記少なくとも１つとは、同じ時点でフィードバックされ、又は、
前記変更フラグ、前記第２ＲＩ、及びプリコーディングタイプ指標ＰＴＩは、同じ時点でフィードバックされる、請求項２７に記載の方法。
【請求項２９】
前記方法は、
前記第１ネットワークデバイスが、変更フラグを前記第２ネットワークデバイスに報告する前に、前記第１ネットワークデバイスが、前記第１測定パイロットのみを測定して、前記第１ＣＳＩをフィードバックする段階と、前記第１ネットワークデバイスが、前記変更フラグを前記第２ネットワークデバイスに報告した後に、前記第１ネットワークデバイスが、前記第２測定パイロットのみを測定して、前記第２ＣＳＩをフィードバックする段階とをさらに備え、又は、
前記第１ネットワークデバイスが、前記変更フラグを前記第２ネットワークデバイスに報告する前に、前記第１ネットワークデバイスが、前記第２測定パイロットのみを測定して、前記第２ＣＳＩを報告する段階と、前記第１ネットワークデバイスが、前記変更フラグを前記第２ネットワークデバイスに報告した後に、前記第１ネットワークデバイスが、前記第１測定パイロットのみを測定して、前記第１ＣＳＩをフィードバックする段階とをさらに備える、請求項２７又は２８に記載の方法。
【請求項３０】
前記方法は、
前記第１ネットワークデバイスが、変更フラグを前記第２ネットワークデバイスにフィードバックする前に、前記第１ネットワークデバイスが、前記第１測定パイロットのみを測定して前記第１ＣＳＩをフィードバックする段階と、前記第１ネットワークデバイスが、前記変更フラグを前記第２ネットワークデバイスにフィードバックした後に、前記第１ネットワークデバイスが、前記第１測定パイロットを測定して前記第１ＣＳＩをフィードバックし、前記第２測定パイロットを測定して前記第２ＣＳＩをフィードバックする段階とをさらに備え、又は、
前記第１ネットワークデバイスが、前記変更フラグを前記第２ネットワークデバイスにフィードバックする前に、前記第１ネットワークデバイスが、前記第２測定パイロットのみを測定して前記第２ＣＳＩをフィードバックする段階と、前記第１ネットワークデバイスが、前記変更フラグを前記第２ネットワークデバイスにフィードバックした後に、前記第１ネットワークデバイスが、前記第１測定パイロットを測定して前記第１ＣＳＩをフィードバックし、前記第２測定パイロットを測定して前記第２ＣＳＩをフィードバックする段階とをさらに備える、請求項２７又は２８に記載の方法。
【請求項３１】
前記方法は、
前記第１ネットワークデバイスが、前記第２ネットワークデバイスにより送信された前記構成情報を受信する段階をさらに備え、
前記構成情報は、前記第１測定パイロットを測定して前記第１ＣＳＩをフィードバックするよう前記第１ネットワークデバイスに指示すべく用いられ、又は、
前記構成情報は、前記第２測定パイロットを測定して前記第２ＣＳＩをフィードバックするよう前記第１ネットワークデバイスに指示すべく用いられ、又は、
前記構成情報は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項２３に記載の方法。
【請求項３２】
ＣＳＩ測定プロセスにおいて、前記第１測定パイロットの前記構成情報は可変である、請求項４から３１の何れか一項に記載の方法。
【請求項３３】
ＣＳＩ測定プロセスにおいて、前記第１測定パイロットの前記ポート数は可変である、請求項４から３１の何れか一項に記載の方法。
【請求項３４】
チャネル状態情報ＣＳＩ測定及びフィードバック方法であって、
第１ネットワークデバイスが、第１信号を第２ネットワークデバイスに送信する段階であって、前記第１信号は、前記第１信号に従って第１測定パイロットを決定して、前記第１測定パイロットを前記第１ネットワークデバイスに送信すべく、前記第２ネットワークデバイスに用いられる、段階と、
前記第１ネットワークデバイスが、前記第２ネットワークデバイスにより送信された前記第１測定パイロットを受信し、前記第１測定パイロットを測定して第１ＣＳＩを取得する段階であって、前記第１ＣＳＩは、チャネル品質指標ＣＱＩ、プリコーディング行列指標ＰＭＩ、ランク指標ＲＩ、及びポート選択情報のうちの少なくとも１つを有し、前記ポート選択情報は、第１測定パイロット内の複数のポートから前記第１ネットワークデバイスにより選択されたポートのポート番号を示すために用いられる、段階と、
前記第１ネットワークデバイスが、前記第１ＣＳＩを前記第２ネットワークデバイスに送信する段階と
を備え、
前記第１信号はアップリンクサウンディング基準信号ＳＲＳであり、
前記第１ＣＳＩの前記ＰＭＩはプリコーディング行列Ｗを有し、
ランクが１である場合、
【数２０７】
0006690848.tif 000222
であり、
ランクが２である場合、
【数２０８】
0006690848.tif 000223
であり、
ランクが３である場合、
【数２０９】
0006690848.tif 000224
かつ、
【数２１０】
0006690848.tif 000225
であり、
ランクが４である場合、
【数２１１】
0006690848.tif 000226
かつ、
【数２１２】
0006690848.tif 000227
であり、
ランクが５である場合、
【数２１３】
0006690848.tif 000228
かつ、
【数２１４】
0006690848.tif 000229
であり、
ランクが６である場合、
【数２１５】
0006690848.tif 000230
かつ、
【数２１６】
0006690848.tif 000231
であり、
ランクが７である場合、
【数２１７】
0006690848.tif 000232
かつ、
【数２１８】
0006690848.tif 000233
であり、
ランクが８である場合、
【数２１９】
0006690848.tif 000234
かつ、
【数２２０】
0006690848.tif 000235
であり、
Ｃは、前記プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である、方法。
【請求項３５】
第２ＣＳＩに含まれるポート選択情報は、最良のＭ方式で表され、又は、前記第２ＣＳＩに含まれる前記ポート選択情報は、ビットマップ方式で表され、
前記最良のＭ方式において、Ｐ個のポートからのｒ番目のＱ組み合わせのインデックスは、
【数２３０】
0006690848.tif 000236
として表され、
【数２３１】
0006690848.tif 000237
は、ｘから選択されるｙの順列及び組み合わせの数を表し、
【数２３２】
0006690848.tif 000238
であり、
【数２３３】
0006690848.tif 000239
である、請求項２から３３の何れか一項に記載の方法。
【請求項３６】
第２ＣＳＩに含まれるポート選択情報は、ランク値の範囲を示すべく用いられ、又は、
前記第２ＣＳＩに含まれる前記ポート選択情報は、ランク値の範囲を示すべく用いられ、前記第１ＣＳＩに含まれる前記ＲＩの値の範囲は、前記第２ＣＳＩに含まれる前記ポート選択情報により示される前記ランク値の範囲と同一であり、又は、
前記第１ＣＳＩに含まれる前記ＲＩの値の範囲は、前記第１測定パイロットのポート数に従って、前記第１ネットワークデバイスにより決定される、請求項２から３５の何れか一項に記載の方法。
【請求項３７】
前記第１ネットワークデバイスはユーザ機器ＵＥであり、前記第２ネットワークデバイスは基地局であり、又は、
前記第１ネットワークデバイスはＵＥであり、前記第２ネットワークデバイスはＵＥであり、又は、
前記第１ネットワークデバイスは基地局であり、前記第２ネットワークデバイスは基地局である、請求項１から３６の何れか一項に記載の方法。
【請求項３８】
前記第１測定パイロットはチャネル状態情報測定パイロットＣＳＩ‐ＲＳである、請求項１から３７の何れか一項に記載の方法。
【請求項３９】
第２測定パイロットはＣＳＩ‐ＲＳである、請求項２から３７の何れか一項に記載の方法。
【請求項４０】
チャネル状態情報ＣＳＩ測定及びフィードバック方法であって、
第２ネットワークデバイスが、第１ネットワークデバイスにより送信された第１信号を受信する段階であって、前記第１信号は、第２ＣＳＩを有し、前記第２ＣＳＩは、第２ＲＩの範囲及び第２ＰＭＩを有する、段階と、
前記第２ネットワークデバイスが、前記第１信号に従って第１測定パイロットを決定し、前記第１測定パイロットを前記第１ネットワークデバイスに送信する段階と、
前記第２ネットワークデバイスが、前記第１ネットワークデバイスにより送信された第１ＣＳＩを受信する段階であって、前記第１ＣＳＩは、第１ＲＩ、第１ＰＭＩ、及び第１ＣＱＩを有する、段階と
を備え、
前記第１信号はアップリンクサウンディング基準信号ＳＲＳであり、
前記第１ＣＳＩの前記ＰＭＩはプリコーディング行列Ｗを有し、
ランクが１である場合、
【数２３５】
0006690848.tif 000240
であり、
ランクが２である場合、
【数２３６】
0006690848.tif 000241
であり、
ランクが３である場合、
【数２３７】
0006690848.tif 000242
かつ、
【数２３８】
0006690848.tif 000243
であり、
ランクが４である場合、
【数２３９】
0006690848.tif 000244
かつ、
【数２４０】
0006690848.tif 000245
であり、
ランクが５である場合、
【数２４１】
0006690848.tif 000246
かつ、
【数２４２】
0006690848.tif 000247
であり、
ランクが６である場合、
【数２４３】
0006690848.tif 000248
かつ、
【数２４４】
0006690848.tif 000249
であり、
ランクが７である場合、
【数２４５】
0006690848.tif 000250
かつ、
【数２４６】
0006690848.tif 000251
であり、
ランクが８である場合、
【数２４７】
0006690848.tif 000252
かつ、
【数２４８】
0006690848.tif 000253
であり、
Ｃは、前記プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である方法。
【請求項４１】
前記第２ＣＳＩは、前記第１ネットワークデバイスによって第２測定パイロットを測定することにより取得され、前記第２測定パイロットは、半静的なシグナリング、又は第１ネットワークデバイスのグループに固有のシグナリングを用いることにより、前記第２ネットワークデバイスによって、前記第１ネットワークデバイスに対して構成される測定パイロットである、請求項４０に記載の方法。
【請求項４２】
前記第２ＣＳＩは、ＰＭＩ、ポート選択情報、及びサブバンド情報のうちの少なくとも１つを有し、
前記第２ＣＳＩに含まれる前記ポート選択情報は、前記第２測定パイロット内の複数のポートから前記第１ネットワークデバイスにより選択されたポートのポート番号を示すべく用いられ、前記サブバンド情報は、前記第２測定パイロットの周波数帯から前記第１ネットワークデバイスにより選択されたサブバンドを示すべく用いられる、請求項４１に記載の方法。
【請求項４３】
前記方法は、
前記第２ネットワークデバイスが、前記第１測定パイロットの構成情報を決定する段階であって、前記第１測定パイロットの前記構成情報は、前記第１測定パイロットのポート数、前記第１測定パイロットのパイロットパターン、前記第１測定パイロットのポートと前記第１測定パイロットのデータレイヤ数との間の対応関係、前記第１測定パイロットの周波数帯情報、前記第１測定パイロットの期間、前記第１測定パイロットのサブフレームオフセット、前記第１測定パイロットを送信する開始時刻、前記第１測定パイロットを送信する終了時刻、前記第１測定パイロットを測定する開始時刻、前記第１測定パイロットを測定する終了時刻、及び前記第１測定パイロットのシーケンス情報のうちの少なくとも１つを有する、段階をさらに備える、請求項４１又は４２に記載の方法。
【請求項４４】
前記第２ネットワークデバイスが、前記第１測定パイロットの構成情報を決定する前記段階は、
前記第２ネットワークデバイスが、前記第１信号に従って前記第１測定パイロットの前記構成情報を決定する段階を含む、請求項４３に記載の方法。
【請求項４５】
前記第２ネットワークデバイスが、前記第１信号に従って前記第１測定パイロットの前記構成情報を決定する前記段階は、
前記第２ネットワークデバイスが、最後に受信した第１信号に従って前記第１測定パイロットの前記構成情報を決定する段階を含む、請求項４３に記載の方法。
【請求項４６】
前記第２ネットワークデバイスが、最後に受信した第１信号に従って前記第１測定パイロットの前記構成情報を決定する前記段階は、
前記第２ネットワークデバイスが、最後に受信した前記第１信号内のＰＭＩに従って前記第１測定パイロットの前記パイロットパターンを決定する段階であって、ＰＭＩとパイロットパターンの間に対応関係がある、段階、又は、
前記第２ネットワークデバイスが、最後に受信した前記第１信号内のＲＩに従って前記第１測定パイロットの前記パイロットパターンを決定する段階であって、ＲＩとパイロットパターンとの間に対応関係がある、段階
を含む、請求項４５に記載の方法。
【請求項４７】
ＲＩが別のＲＩよりも低い場合、前記ＲＩに対応するパイロットパターンは、前記別のＲＩに対応するパイロットパターンのサブセットである、請求項４６に記載の方法。
【請求項４８】
前記第２ネットワークデバイスが、前記第１測定パイロットの構成情報を決定する前記段階の後に、前記方法は、
前記第２ネットワークデバイスが、第１シグナリングを前記第１ネットワークデバイスに送信する段階であって、前記第１シグナリングは、前記第１測定パイロットの前記構成情報を搬送し、
前記第１シグナリングは、より高い層のシグナリングである、又は、前記第１シグナリングは、前記第１ネットワークデバイスに固有の動的なシグナリングである、又は、前記第１シグナリングは、前記第１ネットワークデバイスのグループに固有の動的なシグナリングである、段階をさらに備える、請求項４３から４７の何れか一項に記載の方法。
【請求項４９】
前記第１ネットワークデバイスに固有の前記動的なシグナリングは、物理ダウンリンク制御チャネルＰＤＣＣＨ又は拡張物理ダウンリンク制御チャネルＥＰＤＣＣＨに加えられて送信され、又は、
前記第１ネットワークデバイスに固有に前記動的なシグナリングは、ＤＬ  ｇｒａｎｔシグナリング又はＵＬ  ｇｒａｎｔシグナリングであり、
前記第２ネットワークデバイスは、前記第１ネットワークデバイスのグループに固有の前記動的なシグナリングをＰＤＣＣＨ又はＥＰＤＣＣＨに加えて、前記ＰＤＣＣＨ又は前記ＥＰＤＣＣＨを前記第１ネットワークデバイスに送信し、又は、前記第１ネットワークデバイスのグループに固有の前記動的なシグナリングは、前記第１ネットワークデバイスが属するグループの識別子を用いることにより前記第２ネットワークデバイスによってスクランブリングを実行することにより取得される動的なシグナリングである、請求項４８に記載の方法。
【請求項５０】
前記方法は、
前記第２ネットワークデバイスが、前記第１ネットワークデバイスにより送信された前記第１信号に従って、前記第１ネットワークデバイスが属する前記グループの前記識別子を決定し、前記第１ネットワークデバイスが属する前記グループの前記識別子を、前記より高い層のシグナリングを用いることにより、前記第１ネットワークデバイスに送信する段階をさらに備える、請求項４９に記載の方法。
【請求項５１】
前記第２ネットワークデバイスが、前記第１ネットワークデバイスにより送信される前記第１信号を受信する前に、前記方法は、
前記第２ネットワークデバイスが、前記第２測定パイロットを測定するよう前記第１ネットワークデバイスに指示すべく、前記第２測定パイロットを前記第１ネットワークデバイスに送信する段階と、
前記第２ネットワークデバイスが、第２シグナリングを前記第１ネットワークデバイスに送信する段階であって、前記第２シグナリングは、前記第２測定パイロットの構成情報を搬送する、段階と
さらに備え、
前記第２シグナリングは、半静的なシグナリングであり、又は、前記第２シグナリングは、前記第１ネットワークデバイスのグループに固有の動的なシグナリングであり、前記第２測定パイロットの前記構成情報は、前記第２測定パイロットのポート数、前記第２測定パイロットのパイロットパターン、前記第２測定パイロットのポート数と前記第２測定パイロットのデータレイヤ数との間の対応関係、前記第２測定パイロットの周波数帯情報、前記第２測定パイロットの期間、前記第２測定パイロットのサブフレームオフセット、及び前記第２測定パイロットのシーケンス情報のうちの少なくとも１つを有し、ＣＳＩ測定プロセスにおいて、前記第２測定パイロットの前記構成情報は、変化しないままである、
請求項４１から４７の何れか一項に記載の方法。
【請求項５２】
前記第２ＣＳＩに含まれるポート選択情報は、Ｍ個のポートから前記第１ネットワークデバイスにより選択されたＮ個のポートのポート番号を示すべく用いられ、Ｍは、前記第２測定パイロットのポート数であり、Ｎ＜Ｍである、請求項４３から４７の何れか一項に記載の方法。
【請求項５３】
前記第２ネットワークデバイスが、前記第１信号に従って前記第１測定パイロットの前記構成情報を決定する前記段階は、具体的には
前記第２ネットワークデバイスが、前記第１信号に従って前記第１測定パイロットの前記ポート数をＮとして決定する段階、又は、
前記第２ネットワークデバイスが、前記第１信号及び第１マッピング関係に従って前記第１測定パイロットの前記期間を決定する段階であって、前記第１マッピング関係は、前記第１測定パイロットの前記ポート数と前記第１測定パイロットの前記期間との間の対応関係を示すべく用いられる、段階、又は、
前記第２ネットワークデバイスが、前記第１信号及び第２マッピング関係に従って前記第１測定パイロットの前記シーケンス情報を決定する段階であって、前記第２マッピング関係は、前記第１測定パイロットの前記ポート数と前記第１測定パイロットの前記シーケンス情報との間の対応関係を示すべく用いられる、段階
を含む、請求項５２に記載の方法。
【請求項５４】
前記第２測定パイロット及び前記第１測定パイロットは、異なるＣＳＩ測定プロセスに属する、請求項４３から５３の何れか一項に記載の方法。
【請求項５５】
前記第２測定パイロット及び前記第１測定パイロットは、同じＣＳＩ測定プロセスに属する、請求項４３から５３の何れか一項に記載の方法。
【請求項５６】
前記第１測定パイロットは、プリコーディングが実行されるパイロットであり、前記第２測定パイロットは、プリコーディングが実行されないパイロットであり、又は、
前記第１測定パイロットは、クラスＢ測定パイロットであり、前記第２測定パイロットは、クラスＡ測定パイロットであり、又は、
前記第１測定パイロットは動的に変化し、前記第２測定パイロットは半静的方式で構成される、請求項４３から５５の何れか一項に記載の方法。
【請求項５７】
前記第２ネットワークデバイスは、前記第１ネットワークデバイスにより報告された第３ＣＳＩをＣＳＩ測定プロセスにおいて受信し、
前記第３ＣＳＩは、前記第１測定パイロットを測定することにより決定された前記第１ＣＳＩ、及び前記第２測定パイロットを測定することにより決定された第２ＣＳＩを有する、請求項５６に記載の方法。
【請求項５８】
前記第１ＣＳＩは、第１ＲＩ、第１ＰＭＩ、及び第１ＣＱＩを有し、又は、
前記第１ＣＳＩは、第１ＰＭＩ及び第１ＣＱＩを有し、
前記第１ＲＩ及び前記第１ＰＭＩは、前記第１測定パイロットを測定することにより決定され、前記第１ＣＱＩは、第２ＲＩ、及び前記第１ＰＭＩに対応するプリコーディング行列に従って決定されれるＣＱＩである、請求項５７に記載の方法。
【請求項５９】
前記第２ＣＳＩは、第２ＲＩ及び第２ＰＭＩを有し、前記第２ＲＩ及び前記第２ＰＭＩは、同じ時点でフィードバックされ、又は前記第２ＲＩ及び前記第２ＰＭＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスとを有し、前記第２ＲＩ、及び前記第１プリコーディング部分行列に対応する前記インデックスは、同じ時点でフィードバックされ、又は、前記第２ＲＩ、及び前記第１プリコーディング部分行列に対応する前記インデックスは、異なる時点でフィードバックされ、又は、
前記第２ＣＳＩは、第２ＲＩの範囲及び第２ＰＭＩを有し、前記第２ＲＩの前記範囲及び前記第２ＰＭＩは、同じ時点でフィードバックされ、又は、前記第２ＲＩの前記範囲及び前記第２ＰＭＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスとを有し、前記第２ＲＩの前記範囲、及び前記第１プリコーディング部分行列に対応する前記インデックスは、同じ時点でフィードバックされ、又は、前記第２ＲＩの前記範囲、及び前記第１プリコーディング部分行列に対応する前記インデックスは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応している前記プリコーディング行列の第２プリコーディング部分行列の列選択情報とを有し、前記第２ＲＩと、前記第１プリコーディング部分行列に対応する前記インデックスと、前記第２プリコーディング部分行列の前記列選択情報とは、同じ時点でフィードバックされ、又は、前記第２ＲＩと、前記第１プリコーディング部分行列に対応する前記インデックスと、前記第２プリコーディング部分行列の前記列選択情報とは、異なる時点でフィードバックされ、又は、
前記第２ＣＳＩは、第２ＲＩ、第２ＰＭＩ、及び第２ＣＱＩを有し、前記第２ＲＩ、前記第２ＰＭＩ、及び前記第２ＣＱＩは、同じ時点でフィードバックされ、又は、前記第２ＲＩ、前記第２ＰＭＩ、及び前記第２ＣＱＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを有し、前記第２ＲＩと、前記第１プリコーディング部分行列に対応する前記インデックスと、前記第２ＣＱＩとは、同じ時点でフィードバックされ、又は、前記第２ＲＩと、前記第１プリコーディング部分行列に対応する前記インデックスと、前記第２ＣＱＩとは、異なる時点でフィードバックされ、又は、
前記第２ＣＳＩは、第２ＲＩの範囲、第２ＰＭＩ、及び第２ＣＱＩを有し、前記第２ＲＩの前記範囲、前記第２ＰＭＩ、及び前記第２ＣＱＩは、同じ時点でフィードバックされ、又は、前記第２ＲＩの前記範囲、前記第２ＰＭＩ、及び前記第２ＣＱＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを有し、前記第２ＲＩの前記範囲と、前記第１プリコーディング部分行列に対応する前記インデックスと、前記第２ＣＱＩとは、同じ時点でフィードバックされ、又は、前記第２ＲＩの前記範囲と、前記第１プリコーディング部分行列に対応する前記インデックスと、前記第２ＣＱＩとは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応している前記プリコーディング行列の第２プリコーディング部分行列の列選択情報と、第２ＣＱＩとを有し、前記第２ＲＩと、前記第１プリコーディング部分行列に対応する前記インデックスと、前記第２プリコーディング部分行列の前記列選択情報と、前記第２ＣＱＩとは、同じ時点でフィードバックされ、又は、前記第２ＲＩと、前記第１プリコーディング部分行列に対応する前記インデックスと、前記第２プリコーディング部分行列の前記列選択情報と、前記第２ＣＱＩとは、異なる時点でフィードバックされ、
前記第２ＣＱＩは、前記第２ＲＩ、及び前記第２ＰＭＩに対応する前記プリコーディング行列に従って決定され、前記第２ＲＩ及び前記第２ＰＭＩは、前記第２測定パイロットを測定することにより決定され、前記第２ＰＭＩは、前記二重コードブック構成を有する前記プリコーディング行列に対応しており、前記第２ＰＭＩは、前記第１プリコーディング部分行列に対応する前記インデックス、及び前記第２プリコーディング部分行列に対応するインデックスを有し、前記二重コードブック構成は、Ｗ＝Ｗ１×Ｗ２であり、
【数２３４】
0006690848.tif 000254
であり、Ｗ１は対角行列であり、Ｗ１は前記第１プリコーディング部分行列であり、Ｗ２は前記第２プリコーディング部分行列である、請求項５７に記載の方法。
【請求項６０】
前記第２ＲＩ、前記第１プリコーディング部分行列に対応する前記インデックス、前記第２プリコーディング部分行列に対応する前記インデックス、及び前記第２ＣＳＩの前記第２ＣＱＩのうちの少なくとも１つは、結合符号化方式又は独立符号化方式で符号化され、前記第２ＲＩ、前記第１プリコーディング部分行列に対応する前記インデックス、前記第２プリコーディング部分行列に対応する前記インデックス、及び前記第２ＣＳＩの前記第２ＣＱＩのうちの前記少なくとも１つは、前記第１ネットワークデバイスによりフィードバックされ、かつ、同じ時点で前記第２ネットワークデバイスにより受信される、請求項５９に記載の方法。
【請求項６１】
前記第３ＣＳＩは、変更指標をさらに有し、
前記変更指標は、前記第１測定パイロットを測定して前記第１ＣＳＩをフィードバックするよう前記第１ネットワークデバイスに指示すべく用いられ、又は、
前記変更指標は、前記第２測定パイロットを測定して前記第２ＣＳＩをフィードバックするよう前記第１ネットワークデバイスに指示すべく用いられ、又は、
前記変更指標は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項５９又は６０に記載の方法。
【請求項６２】
変更フラグと、前記第２ＲＩ、前記第１プリコーディング部分行列に対応する前記インデックス、前記第２プリコーディング部分行列に対応する前記インデックス、及び前記第２ＣＱＩのうちの前記少なくとも１つとは、同じ時点でフィードバックされ、又は、
前記変更フラグ、前記第２ＲＩ、及びプリコーディングタイプ指標ＰＴＩは、同じ時点でフィードバックされる、請求項６１に記載の方法。
【請求項６３】
前記第１ネットワークデバイスにより報告される変更フラグが受信される前に、前記第１ネットワークデバイスにより報告される前記ＣＳＩは、前記第１ネットワークデバイスによって前記第１測定パイロットのみを測定することにより取得される前記第１ＣＳＩであり、前記第１ネットワークデバイスにより報告された前記変更フラグが受信された後に、前記第１ネットワークデバイスにより報告される前記ＣＳＩは、前記第１ネットワークデバイスによって前記第２測定パイロットのみを測定することにより取得される前記第２ＣＳＩであり、又は、
前記第１ネットワークデバイスにより報告される前記変更フラグが受信される前に、前記第１ネットワークデバイスにより報告される前記ＣＳＩは、前記第１ネットワークデバイスによって前記第２測定パイロットのみを測定することにより取得される前記第２ＣＳＩであり、前記第１ネットワークデバイスにより報告された前記変更フラグが受信された後に、前記第１ネットワークデバイスにより報告される前記ＣＳＩは、前記第１ネットワークデバイスによって前記第１測定パイロットのみを測定することにより取得される前記第１ＣＳＩであり、又は、
前記第１ネットワークデバイスにより報告される前記変更フラグが受信される前に、前記第１ネットワークデバイスにより報告される前記ＣＳＩは、前記第１ネットワークデバイスによって前記第１測定パイロットのみを測定することにより取得される前記第１ＣＳＩであり、前記第１ネットワークデバイスにより報告された前記変更フラグが受信された後に、前記第１ネットワークデバイスにより報告される前記ＣＳＩは、前記第１ネットワークデバイスによって前記第１測定パイロットを測定することにより取得される前記第１ＣＳＩと、前記第１ネットワークデバイスによって前記第２測定パイロットを測定することにより取得される前記第２ＣＳＩとを有し、又は、
前記第１ネットワークデバイスにより報告される前記変更フラグが受信される前に、前記第１ネットワークデバイスにより報告される前記ＣＳＩは、前記第１ネットワークデバイスによって前記第２測定パイロットのみを測定することにより取得される前記第２ＣＳＩであり、前記第１ネットワークデバイスにより報告された前記変更フラグが受信された後に、前記第１ネットワークデバイスにより報告される前記ＣＳＩは、前記第１ネットワークデバイスによって前記第１測定パイロットを測定することにより取得される前記第１ＣＳＩと、前記第１ネットワークデバイスによって前記第２測定パイロットを測定することにより取得される前記第２ＣＳＩとを有する、請求項６１又は６２に記載の方法。
【請求項６４】
前記方法は、
前記第２ネットワークデバイスが、構成情報を前記第１ネットワークデバイスに送信する段階をさらに備え、
前記構成情報は、前記第１測定パイロットを測定して前記第１ＣＳＩをフィードバックするよう前記第１ネットワークデバイスに指示すべく用いられ、又は、
前記構成情報は、前記第２測定パイロットを測定して前記第２ＣＳＩをフィードバックするよう前記第１ネットワークデバイスに指示すべく用いられ、又は、
前記構成情報は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項５７に記載の方法。
【請求項６５】
ＣＳＩ測定プロセスにおいて、前記第１測定パイロットの前記構成情報は可変である、請求項５７から６４の何れか一項に記載の方法。
【請求項６６】
ＣＳＩ測定プロセスにおいて、前記第１測定パイロットの前記ポート数は可変である、請求項５７から６５の何れか一項に記載の方法。
【請求項６７】
チャネル状態情報ＣＳＩ測定及びフィードバック方法であって、
第２ネットワークデバイスが、第１ネットワークデバイスにより送信された第１信号を受信する段階であって、前記第１信号は、前記第１信号に従って第１測定パイロットを決定すべく、前記第２ネットワークデバイスに用いられる、段階と、
前記第２ネットワークデバイスが、前記第１信号に従って前記第１測定パイロットを決定し、前記第１測定パイロットを前記第１ネットワークデバイスに送信する段階と、
前記第２ネットワークデバイスが、前記第１ネットワークデバイスにより送信された第１ＣＳＩを受信する段階であって、前記第１ＣＳＩは、前記第１ネットワークデバイスによって前記第１測定パイロットを測定することにより取得され、前記第１ＣＳＩは、チャネル品質指標ＣＱＩ、プリコーディング行列指標ＰＭＩ、ランク指標ＲＩ、及びポート選択情報のうちの少なくとも１つを有し、前記ポート選択情報は、前記第１測定パイロット内の複数のポートから前記第１ネットワークデバイスにより選択されたポートのポート番号を示すべく用いられる、段階と
を備え、
前記第１信号はアップリンクサウンディング基準信号ＳＲＳであり、
前記第１ＣＳＩの前記ＰＭＩはプリコーディング行列Ｗを有し、
ランクが１である場合、
【数２３５】
0006690848.tif 000255
であり、
ランクが２である場合、
【数２３６】
0006690848.tif 000256
であり、
ランクが３である場合、
【数２３７】
0006690848.tif 000257
かつ、
【数２３８】
0006690848.tif 000258
であり、
ランクが４である場合、
【数２３９】
0006690848.tif 000259
かつ、
【数２４０】
0006690848.tif 000260
であり、
ランクが５である場合、
【数２４１】
0006690848.tif 000261
かつ、
【数２４２】
0006690848.tif 000262
であり、
ランクが６である場合、
【数２４３】
0006690848.tif 000263
かつ、
【数２４４】
0006690848.tif 000264
であり、
ランクが７である場合、
【数２４５】
0006690848.tif 000265
かつ、
【数２４６】
0006690848.tif 000266
であり、
ランクが８である場合、
【数２４７】
0006690848.tif 000267
かつ、
【数２４８】
0006690848.tif 000268
であり、
Ｃは、前記プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である、方法。
【請求項６８】
第２ＣＳＩに含まれるポート選択情報は、最良のＭ方式で表され、又は、前記第２ＣＳＩに含まれる前記ポート選択情報は、ビットマップ方式で表され、前記最良のＭ方式において、Ｐ個のポートからのｒ番目のＱ組み合わせのインデックスは、
【数２５８】
0006690848.tif 000269
として表され、
【数２５９】
0006690848.tif 000270
は、ｘから選択されるｙの順列及び組み合わせの数を表し、
【数２６０】
0006690848.tif 000271
であり、
【数２６１】
0006690848.tif 000272
である、請求項４０から６７の何れか一項に記載の方法。
【請求項６９】
前記第１ネットワークデバイスはユーザ機器ＵＥであり、前記第２ネットワークデバイスは基地局であり、又は、
前記第１ネットワークデバイスはＵＥであり、前記第２ネットワークデバイスはＵＥであり、又は、
前記第１ネットワークデバイスは基地局であり、前記第２ネットワークデバイスは基地局である、請求項４０から６８の何れか一項に記載の方法。
【請求項７０】
前記第１測定パイロットはチャネル状態情報測定パイロットＣＳＩ‐ＲＳである、請求項４０から６９の何れか一項に記載の方法。
【請求項７１】
第２測定パイロットはＣＳＩ‐ＲＳである、請求項４０から６９の何れか一項に記載の方法。
【請求項７２】
第１ネットワークデバイスであって、
第１信号を第２ネットワークデバイスに送信する送信ユニットであって、前記第１信号は、第２ＣＳＩを有し、前記第２ＣＳＩは第２ＲＩの範囲及び第２ＰＭＩを有する、送信ユニットと、
前記第２ネットワークデバイスにより送信された第１測定パイロットを受信する受信ユニットと、
前記第１測定パイロットを測定して第１ＣＳＩを取得する測定ユニットであって、前記第１ＣＳＩは、第１ＲＩ、第１ＰＭＩ、及び第１ＣＱＩを有する、測定ユニットと
を備え、
前記送信ユニットはさらに、前記第１ＣＳＩを前記第２ネットワークデバイスに送信し、
前記第１信号はアップリンクサウンディング基準信号ＳＲＳである、
前記第１ＣＳＩの前記ＰＭＩはプリコーディング行列Ｗを有し、
ランクが１である場合、
【数２６３】
0006690848.tif 000273
であり、
ランクが２である場合、
【数２６４】
0006690848.tif 000274
であり、
ランクが３である場合、
【数２６５】
0006690848.tif 000275
かつ、
【数２６６】
0006690848.tif 000276
であり、
ランクが４である場合、
【数２６７】
0006690848.tif 000277
かつ、
【数２６８】
0006690848.tif 000278
であり、
ランクが５である場合、
【数２６９】
0006690848.tif 000279
かつ、
【数２７０】
0006690848.tif 000280
であり、
ランクが６である場合、
【数２７１】
0006690848.tif 000281
かつ、
【数２７２】
0006690848.tif 000282
であり、ランクが７である場合、
【数２７３】
0006690848.tif 000283
かつ、
【数２７４】
0006690848.tif 000284
であり、
ランクが８である場合、
【数２７５】
0006690848.tif 000285
かつ、
【数２７６】
0006690848.tif 000286
であり、
Ｃは、前記プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である第１ネットワークデバイス。
【請求項７３】
前記第２ＣＳＩは、前記測定ユニットによって第２測定パイロットを測定することにより取得され、前記第２測定パイロットは、半静的なシグナリング、又は第１ネットワークデバイスのグループに固有のシグナリングを用いることにより、前記第２ネットワークデバイスによって、前記第１ネットワークデバイスに対して構成される測定パイロットである、請求項７２に記載の第１ネットワークデバイス。
【請求項７４】
前記第２ＣＳＩは、ＰＭＩ、ポート選択情報、及びサブバンド情報のうちの少なくとも１つを有し、
前記第２ＣＳＩに含まれる前記ポート選択情報は、前記第２測定パイロット内の複数のポートから前記第１ネットワークデバイスにより選択されたポートのポート番号を示すべく用いられ、前記サブバンド情報は、前記第２測定パイロットの周波数帯から前記第１ネットワークデバイスにより選択されたサブバンドを示すべく用いられる、請求項７３に記載の第１ネットワークデバイス。
【請求項７５】
前記第１ネットワークデバイスは、
前記第２ネットワークデバイスにより送信される前記第１測定パイロットを前記受信ユニットが受信し、かつ、前記第１測定パイロットが測定される前に、前記第１測定パイロットの構成情報を決定する決定ユニットであって、前記第１測定パイロットの前記構成情報は、前記第１測定パイロットのポート数、前記第１測定パイロットのパイロットパターン、前記第１測定パイロットのポートと前記第１測定パイロットのデータレイヤ数との間の対応関係、前記第１測定パイロットの周波数帯情報、前記第１測定パイロットの期間、前記第１測定パイロットのサブフレームオフセット、前記第１測定パイロットを送信する開始時刻、前記第１測定パイロットを送信する終了時刻、前記第１測定パイロットを測定する開始時刻、前記第１測定パイロットを測定する終了時刻、及び前記第１測定パイロットのシーケンス情報のうちの少なくとも１つを有する、決定ユニットをさらに備える、請求項７３又は７４に記載の第１ネットワークデバイス。
【請求項７６】
前記決定ユニットは、具体的には、前記第１信号に従って前記第１測定パイロットの前記構成情報を決定する、請求項７５に記載の第１ネットワークデバイス。
【請求項７７】
前記決定ユニットは、具体的には、前記送信ユニットにより前記第２ネットワークデバイスに最後に送信された第１信号に従って前記第１測定パイロットの前記構成情報を決定する、請求項７６に記載の第１ネットワークデバイス。
【請求項７８】
前記決定ユニットは、具体的には、
前記送信ユニットにより前記第２ネットワークデバイスに最後に送信された前記第１信号内のＰＭＩに従って前記第１測定パイロットの前記パイロットパターンを決定する、ＰＭＩとパイロットパターンとの間に対応関係がある、又は、
前記送信ユニットにより前記第２ネットワークデバイスに最後に送信された前記第１信号内のＲＩに従って前記第１測定パイロットの前記パイロットパターンを決定する、ＲＩとパイロットパターンとの間に対応関係がある、請求項７６に記載の第１ネットワークデバイス。
【請求項７９】
ＲＩが別のＲＩよりも低い場合、前記ＲＩに対応するパイロットパターンは、前記別のＲＩに対応するパイロットパターンのサブセットである、請求項７８に記載の第１ネットワークデバイス。
【請求項８０】
前記受信ユニットはさらに、前記第２ネットワークデバイスにより送信された第１シグナリングを受信し、前記第１シグナリングは、前記第１測定パイロットの前記構成情報を搬送し、
前記決定ユニットはさらに、前記第１シグナリングに従って前記第１測定パイロットの前記構成情報を決定し、
前記第１シグナリングは、より高い層のシグナリング、前記第１ネットワークデバイスに固有の動的なシグナリング、及び前記第１ネットワークデバイスのグループに固有の動的なシグナリングのうちの少なくとも１つである、請求項７５に記載の第１ネットワークデバイス。
【請求項８１】
前記第１ネットワークデバイスに固有の前記動的なシグナリングは、物理ダウンリンク制御チャネルＰＤＣＣＨ又は拡張物理ダウンリンク制御チャネルＥＰＤＣＣＨに加えられて送信され、又は、前記第１ネットワークデバイスに固有の前記動的なシグナリングは、ＤＬ  ｇｒａｎｔシグナリング又はＵＬ  ｇｒａｎｔシグナリングであり、
前記第１ネットワークデバイスのグループに固有の前記動的なシグナリングは、ＰＤＣＣＨ又はＥＰＤＣＣＨに加えられて送信され、又は、前記第１ネットワークデバイスのグループに固有の前記動的なシグナリングは、前記第１ネットワークデバイスが属するグループの識別子を用いることによりスクランブリングが実行された後に取得される動的なシグナリングである、請求項８０に記載の第１ネットワークデバイス。
【請求項８２】
前記決定ユニットはさらに、
前記より高い層のシグナリングに従って、前記第１ネットワークデバイスが属するグループの識別子を決定し、前記第１ネットワークデバイスが属する前記グループの前記識別子に従って、前記第１ネットワークデバイスのグループに固有の前記動的なシグナリングから前記第１測定パイロットの前記構成情報を決定し、又は、
前記より高い層のシグナリングに従って、前記第１ネットワークデバイスが属するグループの識別子を決定し、前記第１ネットワークデバイスが属する前記グループの前記識別子、及び前記第１ネットワークデバイスの識別子に従って、前記第１ネットワークデバイスのグループに固有の前記動的なシグナリングから前記第１測定パイロットの前記構成情報を決定する、請求項８０に記載の第１ネットワークデバイス。
【請求項８３】
前記決定ユニットは、さらに、
前記第１信号に従って、前記第１ネットワークデバイスが属するグループの識別子を決定し、前記第１ネットワークデバイスが属する前記グループの前記識別子、及び前記第１ネットワークデバイスの識別子に従って、前記第１ネットワークデバイスのグループに固有の前記動的なシグナリングから前記第１測定パイロットの前記構成情報を決定する、請求項８０に記載の第１ネットワークデバイス。
【請求項８４】
前記決定ユニットは、さらに、前記第２ＣＳＩに含まれるポート選択情報、及び第１マッピング関係に従って、前記第１ネットワークデバイスが属する前記グループの前記識別子を決定し、前記第１マッピング関係は、ポート番号と、前記第１ネットワークデバイスが属する前記グループの前記識別子との間の対応関係を示すべく用いられ、又は、前記第２ＣＳＩに含まれるサブバンド情報、及び第２マッピング関係に従って、前記第１ネットワークデバイスが属する前記グループの前記識別子を決定し、前記第２マッピング関係は、前記サブバンド情報と、前記第１ネットワークデバイスが属する前記グループの前記識別子との間の対応関係を示すべく用いられる、又は、
前記受信ユニットは、さらに、前記第１ネットワークデバイスが属する前記グループの前記識別子を受信し、前記第１ネットワークデバイスが属する前記グループの前記識別子は、前記第２ネットワークデバイスにより送信され、かつ、前記第１信号に従って前記第２ネットワークデバイスにより決定される、請求項８３に記載の第１ネットワークデバイス。
【請求項８５】
前記受信ユニットは、さらに、前記送信ユニットが前記第１信号を前記第２ネットワークデバイスに送信する前に、前記第２ネットワークデバイスにより送信された前記第２測定パイロットを受信し、
前記測定ユニットは、さらに、前記第２ＣＳＩを取得すべく前記第２測定パイロットを測定し、
前記決定ユニットは、さらに、前記第２ＣＳＩに従って前記第１信号を決定する、請求項７５から７９の何れか一項に記載の第１ネットワークデバイス。
【請求項８６】
前記第２ＣＳＩに含まれるポート選択情報は、Ｍ個のポートから前記第１ネットワークデバイスにより選択されたＮ個のポートのポート番号を示すべく用いられ、Ｍは、前記第２測定パイロットのポート数であり、Ｎ＜Ｍである、請求項８５に記載の第１ネットワークデバイス。
【請求項８７】
前記Ｍ個のポートから前記第１ネットワークデバイスにより選択された前記Ｎ個のポートのポート番号は、具体的には、
Ｍ個の第２測定パイロットを測定すること、及び、降順に前記Ｍ個の第２測定パイロットの信号品質をソートすることにより前記第１ネットワークデバイスによって取得される最も高い信号品質の第１のＮ個のポート番号であり、前記第１のＮ個のポート番号は、前記第２測定パイロットに対応している、請求項８６に記載の第１ネットワークデバイス。
【請求項８８】
前記決定ユニットは、さらに、前記第１信号に従って、前記第１測定パイロットの前記ポート数をＮとして決定し、又は、
前記決定ユニットは、さらに、前記第１信号及び第３マッピング関係に従って、前記第１測定パイロットの前記期間を決定し、前記第３マッピング関係は、前記第１測定パイロットの前記ポート数と前記第１測定パイロットの前記期間との間の対応関係を示すべく用いられ、又は、
前記決定ユニットは、さらに、前記第１信号及び第４マッピング関係に従って、前記第１測定パイロットの前記シーケンス情報を決定し、前記第４マッピング関係は、前記第１測定パイロットの前記ポート数と前記第１測定パイロットの前記シーケンス情報との間の対応関係を示すべく用いられる、請求項８５又は８６に記載の第１ネットワークデバイス。
【請求項８９】
前記第２測定パイロットの構成情報は、前記第２測定パイロットのポート数、前記第２測定パイロットのパイロットパターン、前記第２測定パイロットのポート数と前記第２測定パイロットのデータレイヤ数との間の対応関係、前記第２測定パイロットの周波数帯情報、前記第２測定パイロットの期間、前記第２測定パイロットのサブフレームオフセット、及び前記第２測定パイロットのシーケンス情報のうちの少なくとも１つを有し、ＣＳＩ測定プロセスにおいて、前記第２測定パイロットの前記構成情報は、変化しないままである、請求項７５から８８の何れか一項に記載の第１ネットワークデバイス。
【請求項９０】
前記受信ユニットは、さらに、前記測定ユニットが前記第２測定パイロットを測定する前に、前記第２ネットワークデバイスにより送信された第２シグナリングを受信し、前記第２シグナリングは、前記第２測定パイロットの前記構成情報を搬送し、
前記決定ユニットは、さらに、前記第２シグナリングに従って前記第１測定パイロットの前記構成情報を決定し、
前記第２シグナリングは半静的なシグナリングである、又は、前記第２シグナリングは前記第１ネットワークデバイスのグループに固有の動的なシグナリングである、請求項８９に記載の第１ネットワークデバイス。
【請求項９１】
前記第２測定パイロット及び前記第１測定パイロットは、異なるＣＳＩ測定プロセスに属する、請求項７５から９０の何れか一項に記載の第１ネットワークデバイス。
【請求項９２】
前記第２測定パイロット及び前記第１測定パイロットは、同じＣＳＩ測定プロセスに属する、請求項７５から９０の何れか一項に記載の第１ネットワークデバイス。
【請求項９３】
前記第１測定パイロットは、プリコーディングが実行されるパイロットであり、前記第２測定パイロットは、プリコーディングが実行されないパイロットであり、又は、
前記第１測定パイロットは、クラスＢ測定パイロット、前記第２測定パイロットは、クラスＡ測定パイロットであり、又は、
前記第１測定パイロットは動的に変化し、前記第２測定パイロットは半静的方式で構成される、請求項７５から９２の何れか一項に記載の第１ネットワークデバイス。
【請求項９４】
前記送信ユニットは、ＣＳＩ測定プロセスにおいて第３ＣＳＩを報告し、前記第３ＣＳＩは、前記第１測定パイロットを測定することにより決定された前記第１ＣＳＩ、及び前記第２測定パイロットを測定することにより決定された前記第２ＣＳＩを有する、請求項９３に記載の第１ネットワークデバイス。
【請求項９５】
前記第１ＣＳＩは、第１ＲＩ、第１ＰＭＩ、及び第１ＣＱＩを有し、又は、
前記第１ＣＳＩは、第１ＰＭＩ及び第１ＣＱＩを有し、
前記第１ＲＩ及び前記第１ＰＭＩは、前記第１測定パイロットを測定することにより決定され、前記第１ＣＱＩは、第２ＲＩ、及び前記第１ＰＭＩに対応するプリコーディング行列に従って決定されるＣＱＩである、請求項９３に記載の第１ネットワークデバイス。
【請求項９６】
前記第２ＣＳＩは、第２ＲＩ及び第２ＰＭＩを有し、前記第２ＲＩ及び前記第２ＰＭＩは、同じ時点でフィードバックされ、又は前記第２ＲＩ及び前記第２ＰＭＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスとを有し、前記第２ＲＩ、及び前記第１プリコーディング部分行列に対応する前記インデックスは、同じ時点でフィードバックされ、又は、前記第２ＲＩ、及び前記第１プリコーディング部分行列に対応する前記インデックスは、異なる時点でフィードバックされ、又は、
前記第２ＣＳＩは、第２ＲＩの範囲及び第２ＰＭＩを有し、前記第２ＲＩの前記範囲及び前記第２ＰＭＩは、同じ時点でフィードバックされ、又は、前記第２ＲＩの前記範囲及び前記第２ＰＭＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスとを有し、前記第２ＲＩの前記範囲、及び前記第１プリコーディング部分行列に対応する前記インデックスは、同じ時点でフィードバックされ、又は、前記第２ＲＩの前記範囲、及び前記第１プリコーディング部分行列に対応する前記インデックスは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応する前記プリコーディング行列の第２プリコーディング部分行列の列選択情報とを有し、前記第２ＲＩと、前記第１プリコーディング部分行列に対応する前記インデックスと、前記第２プリコーディング部分行列の前記列選択情報とは、同じ時点でフィードバックされ、又は、前記第２ＲＩと、前記第１プリコーディング部分行列に対応する前記インデックスと、前記第２プリコーディング部分行列の前記列選択情報とは、異なる時点でフィードバックされ、又は、
前記第２ＣＳＩは、第２ＲＩ、第２ＰＭＩ、及び第２ＣＱＩを有し、前記第２ＲＩ、前記第２ＰＭＩ、及び前記第２ＣＱＩは、同じ時点でフィードバックされ、又は、前記第２ＲＩ、前記第２ＰＭＩ、及び前記第２ＣＱＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを有し、前記第２ＲＩ、前記第１プリコーディング部分行列に対応する前記インデックス、及び前記第２ＣＱＩは、同じ時点でフィードバックされ、又は、前記第２ＲＩ、前記第１プリコーディング部分行列に対応する前記インデックス、及び前記第２ＣＱＩは、異なる時点でフィードバックされ、又は、
前記第２ＣＳＩは、第２ＲＩの範囲、第２ＰＭＩ、及び第２ＣＱＩを有し、前記第２ＲＩの前記範囲、前記第２ＰＭＩ、及び前記第２ＣＱＩは、同じ時点でフィードバックされ、又は、前記第２ＲＩの前記範囲、前記第２ＰＭＩ、及び前記第２ＣＱＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを有し、前記第２ＲＩの前記範囲、前記第１プリコーディング部分行列に対応する前記インデックス、及び前記第２ＣＱＩは、同じ時点でフィードバックされ、又は、前記第２ＲＩの前記範囲、前記第１プリコーディング部分行列に対応する前記インデックス、及び前記第２ＣＱＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応している前記プリコーディング行列の第２プリコーディング部分行列の列選択情報と、第２ＣＱＩとを有し、前記第２ＲＩと、前記第１プリコーディング部分行列に対応する前記インデックスと、前記第２プリコーディング部分行列の前記列選択情報と、前記第２ＣＱＩとは、同じ時点でフィードバックされ、又は、前記第２ＲＩと、前記第１プリコーディング部分行列に対応する前記インデックスと、前記第２プリコーディング部分行列の前記列選択情報と、前記第２ＣＱＩとは、異なる時点でフィードバックされ、
前記第２ＣＱＩは、前記第２ＲＩ、及び前記第２ＰＭＩに対応する前記プリコーディング行列に従って決定され、前記第２ＲＩ及び前記第２ＰＭＩは、前記第２測定パイロットを測定することにより決定され、前記第２ＰＭＩは、前記二重コードブック構成を有する前記プリコーディング行列に対応しており、前記第２ＰＭＩは、前記第１プリコーディング部分行列に対応する前記インデックス、及び前記第２プリコーディング部分行列に対応するインデックスを有し、前記二重コードブック構成は、Ｗ＝Ｗ１×Ｗ２であり、
【数２６２】
0006690848.tif 000287
であり、Ｗ１は対角行列であり、Ｗ１は前記第１プリコーディング部分行列であり、Ｗ２は前記第２プリコーディング部分行列である、請求項９４に記載の第１ネットワークデバイス。
【請求項９７】
前記第２ＲＩ、前記第１プリコーディング部分行列に対応する前記インデックス、前記第２プリコーディング部分行列に対応する前記インデックス、及び前記第２ＣＳＩ内の前記第２ＣＱＩのうちの少なくとも１つは、結合符号化方式又は独立符号化方式で符号化され、前記第２ＲＩ、前記第１プリコーディング部分行列に対応する前記インデックス、前記第２プリコーディング部分行列に対応する前記インデックス、及び前記第２ＣＳＩ内の前記第２ＣＱＩのうちの前記少なくとも１つは、前記送信ユニットにより同じ時点で前記第２ネットワークデバイスにフィードバックされる、請求項９６に記載の第１ネットワークデバイス。
【請求項９８】
前記第３ＣＳＩは、変更指標をさらに有し、
前記変更指標は、前記第１測定パイロットを測定して前記第１ＣＳＩをフィードバックするよう前記第１ネットワークデバイスに指示すべく用いられ、又は、
前記変更指標は、前記第２測定パイロットを測定して前記第２ＣＳＩをフィードバックするよう前記第１ネットワークデバイスに指示すべく用いられ、又は、
前記変更指標は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項９６に記載の第１ネットワークデバイス。
【請求項９９】
前記送信ユニットは、変更フラグと、前記第２ＲＩ、前記第１プリコーディング部分行列に対応する前記インデックス、前記第２プリコーディング部分行列に対応する前記インデックス、及び前記第２ＣＱＩのうちの前記少なくとも１つとを同じ時点で前記第２ネットワークデバイスにフィードバックし、又は、
前記送信ユニットは、前記変更フラグ、前記第２ＲＩ、及びプリコーディングタイプ指標ＰＴＩを同じ時点で前記第２ネットワークデバイスにフィードバックする、請求項９８に記載の第１ネットワークデバイス。
【請求項１００】
前記測定ユニットは、さらに、前記送信ユニットが変更フラグを前記第２ネットワークデバイスに報告する前に、前記第１測定パイロットのみを測定して前記第１ＣＳＩをフィードバックし、前記送信ユニットが前記第２ネットワークデバイスに前記変更フラグを報告した後に、前記第２測定パイロットのみを測定して前記第２ＣＳＩをフィードバックし、又は、
前記測定ユニットは、さらに、前記送信ユニットが前記第２ネットワークデバイスに変更フラグを報告する前に、前記第２測定パイロットのみを測定して前記第２ＣＳＩを報告し、前記送信ユニットが前記第２ネットワークデバイスに前記変更フラグを報告した後に、前記第１測定パイロットのみを測定して前記第１ＣＳＩをフィードバックする、請求項９８又は９９に記載の第１ネットワークデバイス。
【請求項１０１】
前記測定ユニットは、さらに、前記送信ユニットが前記第２ネットワークデバイスに変更フラグをフィードバックする前に、前記第１測定パイロットのみを測定して前記第１ＣＳＩをフィードバックし、前記送信ユニットが前記第２ネットワークデバイスに前記変更フラグをフィードバックした後に、前記第１測定パイロットを測定して前記第１ＣＳＩをフィードバックし、前記第２測定パイロットを測定して前記第２ＣＳＩをフィードバックし、又は、
前記測定ユニットは、さらに、前記送信ユニットが前記第２ネットワークデバイスに前記変更フラグをフィードバックする前に、前記第２測定パイロットのみを測定して前記第２ＣＳＩをフィードバックし、前記送信ユニットが前記第２ネットワークデバイスに前記変更フラグをフィードバックした後に、前記第１測定パイロットを測定して前記第１ＣＳＩをフィードバックし、前記第２測定パイロットを測定して前記第２ＣＳＩをフィードバックする、請求項９８又は９９に記載の第１ネットワークデバイス。
【請求項１０２】
前記受信ユニットは、さらに、前記第２ネットワークデバイスにより送信された前記構成情報を受信し、
前記構成情報は、前記第１測定パイロットを測定して前記第１ＣＳＩをフィードバックするよう前記第１ネットワークデバイスに指示すべく用いられ、又は、
前記構成情報は、前記第２測定パイロットを測定して前記第２ＣＳＩをフィードバックするよう前記第１ネットワークデバイスに指示すべく用いられ、又は、
前記構成情報は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項９４に記載の第１ネットワークデバイス。
【請求項１０３】
ＣＳＩ測定プロセスにおいて、前記第１測定パイロットの前記構成情報は可変である、請求項７５から１０２の何れか一項に記載の第１ネットワークデバイス。
【請求項１０４】
ＣＳＩ測定プロセスにおいて、前記第１測定パイロットの前記ポート数は可変である、請求項７５から１０２の何れか一項に記載の第１ネットワークデバイス。
【請求項１０５】
第１ネットワークデバイスであって、
第１信号を第２ネットワークデバイスに送信する送信ユニットであって、前記第１信号は、前記第１信号に従って第１測定パイロットを決定して、前記第１測定パイロットを前記第１ネットワークデバイスに送信すべく、前記第２ネットワークデバイスに用いられる、送信ユニットと、
前記第２ネットワークデバイスにより送信された前記第１測定パイロットを受信する受信ユニットと、
前記第１測定パイロットを測定して第１ＣＳＩを取得する測定ユニットであって、前記第１ＣＳＩは、チャネル品質指標ＣＱＩ、プリコーディング行列指標ＰＭＩ、ランク指標ＲＩ、及びポート選択情報のうちの少なくとも１つを有し、前記ポート選択情報は、前記第１測定パイロット内の複数のポートから前記第１ネットワークデバイスにより選択されたポートのポート番号を示すべく用いられる、測定ユニットと
を備え、
前記送信ユニットはさらに、前記第１ＣＳＩを前記第２ネットワークデバイスに送信し、
前記第１信号はアップリンクサウンディング基準信号ＳＲＳであり、
前記第１ＣＳＩの前記ＰＭＩはプリコーディング行列Ｗを有し、
ランクが１である場合、
【数２６３】
0006690848.tif 000288
であり、
ランクが２である場合、
【数２６４】
0006690848.tif 000289
であり、
ランクが３である場合、
【数２６５】
0006690848.tif 000290
かつ、
【数２６６】
0006690848.tif 000291
であり、
ランクが４である場合、
【数２６７】
0006690848.tif 000292
かつ、
【数２６８】
0006690848.tif 000293
であり、
ランクが５である場合、
【数２６９】
0006690848.tif 000294
かつ、
【数２７０】
0006690848.tif 000295
であり、
ランクが６である場合、
【数２７１】
0006690848.tif 000296
かつ、
【数２７２】
0006690848.tif 000297
であり、ランクが７である場合、
【数２７３】
0006690848.tif 000298
かつ、
【数２７４】
0006690848.tif 000299
であり、
ランクが８である場合、
【数２７５】
0006690848.tif 000300
かつ、
【数２７６】
0006690848.tif 000301
であり、
Ｃは、前記プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である、第１ネットワークデバイス。
【請求項１０６】
第２ＣＳＩに含まれるポート選択情報は、ビットマップ方式で表される、請求項７３から１０５の何れか一項に記載の第１ネットワークデバイス。
【請求項１０７】
前記第１ネットワークデバイスはユーザ機器ＵＥであり、前記第２ネットワークデバイスは基地局であり、又は、
前記第１ネットワークデバイスはＵＥであり、前記第２ネットワークデバイスはＵＥであり、又は、
前記第１ネットワークデバイスは基地局であり、前記第２ネットワークデバイスは基地局である、請求項７２から１０６の何れか一項に記載の第１ネットワークデバイス。
【請求項１０８】
前記第１測定パイロットはチャネル状態情報測定パイロットＣＳＩ‐ＲＳである、請求項７２から１０７の何れか一項に記載の第１ネットワークデバイス。
【請求項１０９】
第２測定パイロットはＣＳＩ‐ＲＳである、請求項７３から１０７の何れか一項に記載の第１ネットワークデバイス。
【請求項１１０】
第２ネットワークデバイスであって、
第１ネットワークデバイスにより送信された第１信号を受信する受信ユニットであって、前記第１信号は、第２ＣＳＩを有し、前記第２ＣＳＩは、第２ＲＩの範囲及び第２ＰＭＩを有する、受信ユニットと、
前記第１信号に従って第１測定パイロットを決定する決定ユニットと、
前記第１測定パイロットを前記第１ネットワークデバイスに送信する送信ユニットと
を備え、
前記受信ユニットは、さらに、前記第１ネットワークデバイスにより送信された第１ＣＳＩを受信し、前記第１ＣＳＩは、第１ＲＩ、第１ＰＭＩ、及び第１ＣＱＩを有し、
前記第１信号はアップリンクサウンディング基準信号ＳＲＳであり、
前記第２ＣＳＩは、前記第１ネットワークデバイスによって第２測定パイロットを測定することにより取得され、前記第２測定パイロットは、半静的なシグナリング、又は第１ネットワークデバイスのグループに固有のシグナリングを用いることにより、前記第２ネットワークデバイスによって、前記第１ネットワークデバイスに対して構成される測定パイロットであり、
前記第１ＣＳＩの前記ＰＭＩはプリコーディング行列Ｗを有し、
ランクが１である場合、
【数２９１】
0006690848.tif 000302
であり、
ランクが２である場合、
【数２９２】
0006690848.tif 000303
であり、
ランクが３である場合、
【数２９３】
0006690848.tif 000304
かつ、
【数２９４】
0006690848.tif 000305
であり、
ランクが４である場合、
【数２９５】
0006690848.tif 000306
かつ、
【数２９６】
0006690848.tif 000307
であり、
ランクが５である場合、
【数２９７】
0006690848.tif 000308
かつ、
【数２９８】
0006690848.tif 000309
であり、
ランクが６である場合、
【数２９９】
0006690848.tif 000310
かつ、
【数３００】
0006690848.tif 000311
であり、
ランクが７である場合、
【数３０１】
0006690848.tif 000312
かつ、
【数３０２】
0006690848.tif 000313
であり、
ランクが８である場合、
【数３０３】
0006690848.tif 000314
かつ、
【数３０４】
0006690848.tif 000315
であり、Ｃは、前記プリコーディング行列のコードブックであり、ｘは、前記第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である第２ネットワークデバイス。
【請求項１１１】
前記第２ＣＳＩは、ＰＭＩ、ポート選択情報、及びサブバンド情報のうちの少なくとも１つを有し、
前記第２ＣＳＩに含まれる前記ポート選択情報は、前記第２測定パイロット内の複数のポートから前記第１ネットワークデバイスにより選択されたポートのポート番号を示すべく用いられ、前記サブバンド情報は、前記第２測定パイロットの周波数帯から前記第１ネットワークデバイスにより選択されたサブバンドを示すべく用いられる、請求項１１０に記載の第２ネットワークデバイス。
【請求項１１２】
前記決定ユニットは、さらに、前記第１測定パイロットの構成情報を決定し、前記第１測定パイロットの前記構成情報は、前記第１測定パイロットのポート数、前記第１測定パイロットのパイロットパターン、前記第１測定パイロットのポートと前記第１測定パイロットのデータレイヤ数との間の対応関係、前記第１測定パイロットの周波数帯情報、前記第１測定パイロットの期間、前記第１測定パイロットのサブフレームオフセット、前記第１測定パイロットを送信する開始時刻、前記第１測定パイロットを送信する終了時刻、前記第１測定パイロットを測定する開始時刻、前記第１測定パイロットを測定する終了時刻、及び前記第１測定パイロットのシーケンス情報のうちの少なくとも１つを有する、請求項１１０又は１１１に記載の第２ネットワークデバイス。
【請求項１１３】
前記決定ユニットは、具体的には、前記第１信号に従って前記第１測定パイロットの前記構成情報を決定する、請求項１１２に記載の第２ネットワークデバイス。
【請求項１１４】
前記決定ユニットは、具体的には、前記受信ユニットにより最後に受信された第１信号に従って前記第１測定パイロットの前記構成情報を決定する、請求項１１２に記載の第２ネットワークデバイス。
【請求項１１５】
前記決定ユニットは、具体的には、
前記受信ユニットにより最後に受信された前記第１信号内のＰＭＩに従って前記第１測定パイロットの前記パイロットパターンを決定し、ＰＭＩとパイロットパターンの間に対応関係があり、又は、
前記受信ユニットにより最後に受信された前記第１信号内のＲＩに従って前記第１測定パイロットの前記パイロットパターンを決定し、ＲＩとパイロットパターンとの間に対応関係がある、請求項１１４に記載の第２ネットワークデバイス。
【請求項１１６】
ＲＩが別のＲＩよりも低い場合、前記ＲＩに対応するパイロットパターンは、前記別のＲＩに対応するパイロットパターンのサブセットである、請求項１１５に記載の第２ネットワークデバイス。
【請求項１１７】
前記送信ユニットは、さらに、前記決定ユニットが前記第１測定パイロットの前記構成情報を決定した後に、第１シグナリングを前記第１ネットワークデバイスに送信し、前記第１シグナリングは、前記第１測定パイロットの前記構成情報を搬送し、
前記第１シグナリングは、より高い層のシグナリングである、又は、前記第１シグナリングは、前記第１ネットワークデバイスに固有の動的なシグナリングである、又は、前記第１シグナリングは、前記第１ネットワークデバイスのグループに固有の動的なシグナリングである、請求項１１２から１１６の何れか一項に記載の第２ネットワークデバイス。
【請求項１１８】
前記送信ユニットは、具体的には、前記第１ネットワークデバイスに固有の前記動的なシグナリングを物理ダウンリンク制御チャネルＰＤＣＣＨ又は拡張物理ダウンリンク制御チャネルＥＰＤＣＣＨに加えて、前記ＰＤＣＣＨ又は前記ＥＰＤＣＣＨを前記第１ネットワークデバイスに送信し、又は、前記第１ネットワークデバイスに固有の前記動的なシグナリングは、ＤＬ  ｇｒａｎｔシグナリング又はＵＬ  ｇｒａｎｔシグナリングであり、
前記送信ユニットは、具体的には、前記第１ネットワークデバイスのグループに固有の前記動的なシグナリングをＰＤＣＣＨ又はＥＰＤＣＣＨに加えて、前記ＰＤＣＣＨ又は前記ＥＰＤＣＣＨを前記第１ネットワークデバイスに送信し、又は、前記第１ネットワークデバイスのグループに固有の前記動的なシグナリングは、前記第１ネットワークデバイスが属するグループの識別子を用いることにより前記第２ネットワークデバイスによってスクランブリングを実行することにより取得される動的なシグナリングである、請求項１１７に記載の第２ネットワークデバイス。
【請求項１１９】
前記決定ユニットは、さらに、前記第１ネットワークデバイスにより送信された前記第１信号に従って、前記第１ネットワークデバイスが属する前記グループの前記識別子を決定し、
前記送信ユニットは、さらに、前記より高い層のシグナリングを用いることにより、前記第１ネットワークデバイスが属する前記グループの前記識別子を前記第１ネットワークデバイスに送信する、請求項１１８に記載の第２ネットワークデバイス。
【請求項１２０】
前記送信ユニットは、さらに、前記第１ネットワークデバイスにより送信される前記第１信号を前記受信ユニットが受信する前に、前記第２測定パイロットを前記第１ネットワークデバイスに送信して、前記第２測定パイロットを測定するよう前記第１ネットワークデバイスに指示し、
前記送信ユニットは、さらに、第２シグナリングを前記第１ネットワークデバイスに送信し、前記第２シグナリングは、前記第２測定パイロットの構成情報を搬送し、
前記第２シグナリングは、半静的なシグナリングであり、又は、前記第２シグナリングは、前記第１ネットワークデバイスのグループに固有の動的なシグナリングであり、前記第２測定パイロットの前記構成情報は、前記第２測定パイロットのポート数、前記第２測定パイロットのパイロットパターン、前記第２測定パイロットのポート数と前記第２測定パイロットのデータレイヤ数との間の対応関係、前記第２測定パイロットの周波数帯情報、前記第２測定パイロットの期間、前記第２測定パイロットのサブフレームオフセット、及び前記第２測定パイロットのシーケンス情報のうちの少なくとも１つを有し、ＣＳＩ測定プロセスにおいて、前記第２測定パイロットの前記構成情報は、変化しないままである、請求項１１２から１１６の何れか一項に記載の第２ネットワークデバイス。
【請求項１２１】
前記第２ＣＳＩに含まれるポート選択情報は、Ｍ個のポートから前記第１ネットワークデバイスにより選択されたＮ個のポートのポート番号を示すべく用いられ、Ｍは、前記第２測定パイロットのポート数であり、Ｎ＜Ｍである、請求項１１２から１１６の何れか一項に記載の第２ネットワークデバイス。
【請求項１２２】
前記決定ユニットは、さらに、前記第１信号に従って前記第１測定パイロットの前記ポート数をＮとして決定し、又は、
前記決定ユニットは、さらに、前記第１信号及び第１マッピング関係に従って前記第１測定パイロットの前記期間を決定し、前記第１マッピング関係は、前記第１測定パイロットの前記ポート数と前記第１測定パイロットの前記期間との間の対応関係を示すべく用いられ、又は、
前記決定ユニットは、さらに、前記第１信号及び第２マッピング関係に従って前記第１測定パイロットの前記シーケンス情報を決定し、前記第２マッピング関係は、前記第１測定パイロットの前記ポート数と前記第１測定パイロットの前記シーケンス情報との間の対応関係を示すべく用いられる、請求項１２１に記載の第２ネットワークデバイス。
【請求項１２３】
前記第２測定パイロット及び前記第１測定パイロットは、異なるＣＳＩ測定プロセスに属する、請求項１１２から１２２の何れか一項に記載の第２ネットワークデバイス。
【請求項１２４】
前記第２測定パイロット及び前記第１測定パイロットは、同じＣＳＩ測定プロセスに属する、請求項１１２から１２２の何れか一項に記載の第２ネットワークデバイス。
【請求項１２５】
前記第１測定パイロットは、プリコーディングが実行されるパイロットであり、前記第２測定パイロットは、プリコーディングが実行されないパイロットであり、又は、
前記第１測定パイロットは、クラスＢ測定パイロットであり、前記第２測定パイロットは、クラスＡ測定パイロットであり、又は、
前記第１測定パイロットは動的に変化し、前記第２測定パイロットは半静的方式で構成される、請求項１１２から１２４の何れか一項に記載の第２ネットワークデバイス。
【請求項１２６】
前記受信ユニットは、前記第１ネットワークデバイスにより報告された第３ＣＳＩをＣＳＩ測定プロセスにおいて受信し、
前記第３ＣＳＩは、前記第１測定パイロットを測定することにより決定された前記第１ＣＳＩ、及び前記第２測定パイロットを測定することにより決定された前記第２ＣＳＩを有する、請求項１２５に記載の第２ネットワークデバイス。
【請求項１２７】
前記第１ＣＳＩは、第１ＲＩ、第１ＰＭＩ、及び第１ＣＱＩを有し、又は、
前記第１ＣＳＩは、第１ＰＭＩ及び第１ＣＱＩを有し、
前記第１ＲＩ及び前記第１ＰＭＩは、前記第１測定パイロットを測定することにより決定され、前記第１ＣＱＩは、第２ＲＩ及び前記第１ＰＭＩに対応するプリコーディング行列に従って決定されるＣＱＩである、請求項１２６に記載の第２ネットワークデバイス。
【請求項１２８】
前記第２ＣＳＩは、第２ＲＩ及び第２ＰＭＩを有し、前記第２ＲＩ及び前記第２ＰＭＩは、同じ時点でフィードバックされ、又は、前記第２ＲＩ及び前記第２ＰＭＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスとを有し、前記第２ＲＩ、及び前記第１プリコーディング部分行列に対応する前記インデックスは、同じ時点でフィードバックされ、又は、前記第２ＲＩ、及び前記第１プリコーディング部分行列に対応する前記インデックスは、異なる時点でフィードバックされ、又は、
前記第２ＣＳＩは、第２ＲＩの範囲及び第２ＰＭＩを有し、前記第２ＲＩの前記範囲及び前記第２ＰＭＩは、同じ時点でフィードバックされ、又は、前記第２ＲＩの前記範囲及び前記第２ＰＭＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスとを有し、前記第２ＲＩの前記範囲、及び前記第１プリコーディング部分行列に対応する前記インデックスは、同じ時点でフィードバックされ、又は、前記第２ＲＩの前記範囲、及び前記第１プリコーディング部分行列に対応する前記インデックスは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応している前記プリコーディング行列の第２プリコーディング部分行列の列選択情報とを有し、前記第２ＲＩと、前記第１プリコーディング部分行列に対応する前記インデックスと、前記第２プリコーディング部分行列の前記列選択情報とは、同じ時点でフィードバックされ、又は、前記第２ＲＩと、前記第１プリコーディング部分行列に対応する前記インデックスと、前記第２プリコーディング部分行列の前記列選択情報とは、異なる時点でフィードバックされ、又は、
前記第２ＣＳＩは、第２ＲＩ、第２ＰＭＩ、及び第２ＣＱＩを有し、前記第２ＲＩ、前記第２ＰＭＩ、及び前記第２ＣＱＩは、同じ時点でフィードバックされ、又は、前記第２ＲＩ、前記第２ＰＭＩ、及び前記第２ＣＱＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを有し、前記第２ＲＩ、前記第１プリコーディング部分行列に対応する前記インデックス、及び前記第２ＣＱＩは、同じ時点でフィードバックされ、又は、前記第２ＲＩ、前記第１プリコーディング部分行列に対応する前記インデックス、及び前記第２ＣＱＩは、異なる時点でフィードバックされ、又は、
前記第２ＣＳＩは、第２ＲＩの範囲、第２ＰＭＩ、及び第２ＣＱＩを有し、前記第２ＲＩの前記範囲、前記第２ＰＭＩ、及び前記第２ＣＱＩは、同じ時点でフィードバックされ、又は、前記第２ＲＩの前記範囲、前記第２ＰＭＩ、及び前記第２ＣＱＩは、異なる時点でフィードバックされ、又は、
前記第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを有し、前記第２ＲＩの前記範囲、前記第１プリコーディング部分行列に対応する前記インデックス、及び前記第２ＣＱＩは、同じ時点でフィードバックされ、又は、前記第２ＲＩの前記範囲、前記第１プリコーディング部分行列に対応する前記インデックス、及び前記第２ＣＱＩは、異なる時点でフィードバックされ、又は、
前記第２ＣＳＩは、第２ＲＩと、二重コードブック構成を有し、かつ、第２ＰＭＩに対応しているプリコーディング行列の第１プリコーディング部分行列に対応するインデックスと、前記二重コードブック構成を有し、かつ、前記第２ＰＭＩに対応する前記プリコーディング行列の第２プリコーディング部分行列の列選択情報と、第２ＣＱＩとを有し、前記第２ＲＩと、前記第１プリコーディング部分行列に対応する前記インデックスと、前記第２プリコーディング部分行列の前記列選択情報と、前記第２ＣＱＩとは、同じ時点でフィードバックされ、又は、前記第２ＲＩと、前記第１プリコーディング部分行列に対応する前記インデックスと、前記第２プリコーディング部分行列の前記列選択情報と、前記第２ＣＱＩとは、異なる時点でフィードバックされ、
前記第２ＣＱＩは、前記第２ＲＩ、及び前記第２ＰＭＩに対応する前記プリコーディング行列に従って決定され、前記第２ＲＩ及び前記第２ＰＭＩは、前記第２測定パイロットを測定することにより決定され、前記第２ＰＭＩは、前記二重コードブック構成を有する前記プリコーディング行列に対応しており、前記第２ＰＭＩは、前記第１プリコーディング部分行列に対応する前記インデックス、及び前記第２プリコーディング部分行列に対応するインデックスを有し、前記二重コードブック構成は、Ｗ＝Ｗ１×Ｗ２であり、
【数２９０】
0006690848.tif 000316
であり、Ｗ１は対角行列であり、Ｗ１は前記第１プリコーディング部分行列であり、Ｗ２は前記第２プリコーディング部分行列である、請求項１２６に記載の第２ネットワークデバイス。
【請求項１２９】
前記第２ＲＩ、前記第１プリコーディング部分行列に対応する前記インデックス、前記第２プリコーディング部分行列に対応する前記インデックス、及び前記第２ＣＳＩの前記第２ＣＱＩのうちの少なくとも１つは、結合符号化方式又は独立符号化方式で符号化され、前記第２ＲＩ、前記第１プリコーディング部分行列に対応する前記インデックス、前記第２プリコーディング部分行列に対応する前記インデックス、及び前記第２ＣＳＩの前記第２ＣＱＩのうちの前記少なくとも１つは、前記第１ネットワークデバイスによりフィードバックされ、かつ、同じ時点で前記受信ユニットにより受信される、請求項１２８に記載の第２ネットワークデバイス。
【請求項１３０】
前記第３ＣＳＩは、変更指標をさらに有し、
前記変更指標は、前記第１測定パイロットを測定して前記第１ＣＳＩをフィードバックするよう前記第１ネットワークデバイスに指示すべく用いられ、又は、
前記変更指標は、前記第２測定パイロットを測定して前記第２ＣＳＩをフィードバックするよう前記第１ネットワークデバイスに指示すべく用いられ、又は、
前記変更指標は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項１２８又は１２９に記載の第２ネットワークデバイス。
【請求項１３１】
前記受信ユニットは、さらに、前記第１ネットワークデバイスによりフィードバックされる、変更フラグと、前記第２ＲＩ、前記第１プリコーディング部分行列に対応する前記インデックス、前記第２プリコーディング部分行列に対応する前記インデックス、及び前記第２ＣＱＩのうちの少なくとも１つとを同じ時点で受信し、又は、
前記受信ユニットは、さらに、前記変更フラグ、前記第２ＲＩ、及びプリコーディングタイプ指標ＰＴＩを同じ時点で受信し、前記変更フラグ及び前記第２ＲＩは、前記第１ネットワークデバイスによりフィードバックされる、請求項１３０に記載の第２ネットワークデバイス。
【請求項１３２】
前記受信ユニットが、前記第１ネットワークデバイスにより報告される変更フラグを受信する前に、前記受信ユニットにより受信される前記ＣＳＩは、前記第１ネットワークデバイスによって前記第１測定パイロットのみを測定することにより取得される第１ＣＳＩであり、前記受信ユニットが、前記第１ネットワークデバイスにより報告された前記変更フラグを受信した後に、前記受信ユニットにより受信される前記ＣＳＩは、前記第１ネットワークデバイスによって前記第２測定パイロットのみを測定することにより取得される第２ＣＳＩであり、又は、
前記受信ユニットが、前記第１ネットワークデバイスにより報告される前記変更フラグを受信する前に、前記受信ユニットにより受信された前記ＣＳＩは、前記第１ネットワークデバイスによって前記第２測定パイロットのみを測定することにより取得される第２ＣＳＩであり、前記受信ユニットが、前記第１ネットワークデバイスにより報告された前記変更フラグを受信した後に、前記受信ユニットにより受信される前記ＣＳＩは、前記第１ネットワークデバイスによって前記第１測定パイロットのみを測定することにより取得される第１ＣＳＩであり、又は、
前記受信ユニットが、前記第１ネットワークデバイスにより報告される前記変更フラグを受信する前に、前記受信ユニットにより受信される前記ＣＳＩは、前記第１ネットワークデバイスによって前記第１測定パイロットのみを測定することにより取得される第１ＣＳＩであり、前記受信ユニットが、前記第１ネットワークデバイスにより報告された前記変更フラグを受信した後に、前記受信ユニットにより受信される前記ＣＳＩは、前記第１ネットワークデバイスによって前記第１測定パイロットを測定することにより取得される第１ＣＳＩと、前記第１ネットワークデバイスによって前記第２測定パイロットを測定することにより取得される第２ＣＳＩとを有し、又は、
前記受信ユニットが、前記第１ネットワークデバイスにより報告される前記変更フラグを受信する前に、前記受信ユニットにより受信される前記ＣＳＩは、前記第１ネットワークデバイスによって前記第２測定パイロットのみを測定することにより取得され、前記受信ユニットが、前記第１ネットワークデバイスにより報告された前記変更フラグを受信した後に、前記受信ユニットにより受信される前記ＣＳＩは、前記第１ネットワークデバイスによって前記第１測定パイロットを測定することにより取得される第１ＣＳＩと、前記第１ネットワークデバイスによって前記第２測定パイロットを測定することにより取得される第２ＣＳＩとを有する、請求項１３０又は１３１に記載の第２ネットワークデバイス。
【請求項１３３】
前記送信ユニットは、さらに、構成情報を前記第１ネットワークデバイスに送信し、
前記構成情報は、前記第１測定パイロットを測定して前記第１ＣＳＩをフィードバックするよう前記第１ネットワークデバイスに指示すべく用いられ、又は、
前記構成情報は、前記第２測定パイロットを測定して前記第２ＣＳＩをフィードバックするよう前記第１ネットワークデバイスに指示すべく用いられ、又は、
前記構成情報は、前記第１測定パイロットを測定して前記第１ＣＳＩをフィードバックし、前記第２測定パイロットを測定して前記第２ＣＳＩをフィードバックするよう前記第１ネットワークデバイスに指示すべく用いられる、請求項１２６に記載の第２ネットワークデバイス。
【請求項１３４】
ＣＳＩ測定プロセスにおいて、前記第１測定パイロットの構成情報は可変である、請求項１２８から１３３の何れか一項に記載の第２ネットワークデバイス。
【請求項１３５】
ＣＳＩ測定プロセスにおいて、前記第１測定パイロットの前記ポート数は可変である、請求項１２８から１３４の何れか一項に記載の第２ネットワークデバイス。
【請求項１３６】
第２ネットワークデバイスであって、
第１ネットワークデバイスにより送信された第１信号を受信する受信ユニットであって、前記第１信号は、前記第１信号に従って第１測定パイロットを決定すべく、前記第２ネットワークデバイスに用いられる、受信ユニットと、
前記第１信号に従って前記第１測定パイロットを決定する決定ユニットと、
前記第１測定パイロットを前記第１ネットワークデバイスに送信する送信ユニットと
を備え、
前記受信ユニットは、さらに、前記第１ネットワークデバイスにより送信された第１ＣＳＩを受信し、前記第１ＣＳＩは、前記第１ネットワークデバイスによって前記第１測定パイロットを測定することにより取得され、前記第１ＣＳＩは、チャネル品質指標ＣＱＩ、プリコーディング行列指標ＰＭＩ、ランク指標ＲＩ、及びポート選択情報のうちの少なくとも１つを有し、前記ポート選択情報は、前記第１測定パイロット内の複数のポートから前記第１ネットワークデバイスにより選択されたポートのポート番号を示すべく用いられ、
前記第１信号はアップリンクサウンディング基準信号ＳＲＳであり、
前記第１ＣＳＩの前記ＰＭＩはプリコーディング行列Ｗを有し、
ランクが１である場合、
【数２９１】
0006690848.tif 000317
であり、
ランクが２である場合、
【数２９２】
0006690848.tif 000318
であり、
ランクが３である場合、
【数２９３】
0006690848.tif 000319
かつ、
【数２９４】
0006690848.tif 000320
であり、
ランクが４である場合、
【数２９５】
0006690848.tif 000321
かつ、
【数２９６】
0006690848.tif 000322
であり、
ランクが５である場合、
【数２９７】
0006690848.tif 000323
かつ、
【数２９８】
0006690848.tif 000324
であり、
ランクが６である場合、
【数２９９】
0006690848.tif 000325
かつ、
【数３００】
0006690848.tif 000326
であり、
ランクが７である場合、
【数３０１】
0006690848.tif 000327
かつ、
【数３０２】
0006690848.tif 000328
であり、
ランクが８である場合、
【数３０３】
0006690848.tif 000329
かつ、
【数３０４】
0006690848.tif 000330
であり、Ｃは、前記プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、前記ｅｍのｍ番目の行は１であり、前記ｍ番目の行以外の行は０である、第２ネットワークデバイス。
【請求項１３７】
前記第１ネットワークデバイスはユーザ機器ＵＥであり、前記第２ネットワークデバイスは基地局であり、又は、
前記第１ネットワークデバイスはＵＥであり、前記第２ネットワークデバイスはＵＥであり、又は、
前記第１ネットワークデバイスは基地局であり、前記第２ネットワークデバイスは基地局である、請求項１１０から１３５の何れか一項に記載の第２ネットワークデバイス。
【請求項１３８】
前記第１測定パイロットはチャネル状態情報測定パイロットＣＳＩ‐ＲＳである、請求項１１０から１３７の何れか一項に記載の第２ネットワークデバイス。
【請求項１３９】
第２測定パイロットはＣＳＩ‐ＲＳである、請求項１１０から１３７の何れか一項に記載の第２ネットワークデバイス。
【請求項１４０】
コンピュータに、請求項１から３９のいずれか一項に記載の方法を実行させるためのプログラム。
【請求項１４１】
コンピュータに、請求項４０から７１のいずれか一項に記載の方法を実行させるためのプログラム。
【請求項１４２】
互いに通信する第１ネットワークデバイス及び第２ネットワークデバイスを備え、
前記第１ネットワークデバイスは、請求項１から３９のいずれか一項に記載の方法を実行し、前記第２ネットワークデバイスは、請求項４０から７１のいずれか一項に記載の方法を実行する、通信システム。
【発明の詳細な説明】
【技術分野】
【０００１】
本願は、２０１５年４月１０日付で中国特許庁に出願され、その全体において参照により本明細書に組み込まれる「ＣＳＩ測定及びフィードバック方法及びデバイス」と題されるＰＣＴ／ＣＮ２０１５／０７６３８号に基づく優先権を主張する。
【０００２】
本発明は、通信技術の分野、具体的には、チャネル状態情報（英語：Ｃｈａｎｎｅｌ  Ｓｔａｔｅ  Ｉｎｆｏｒｍａｔｉｏｎ、略してＣＳＩ）測定及びフィードバック方法及びデバイスに関する。
【背景技術】
【０００３】
既存のロングタームエボリューション（英語：Ｌｏｎｇ  Ｔｅｒｍ  Ｅｖｏｌｕｔｉｏｎ、略してＬＴＥ）システムにおけるダウンリンクアンテナポートの数は、１つ、２つ、４つ、８つ等であり得る。最大８つのアンテナポートがある。これに対応して、基地局により構成される測定パイロットには最大８つのポートがある。
【０００４】
従来技術では、ＣＳＩ測定の間、ユーザ機器（英語：Ｕｓｅｒ  Ｅｑｕｉｐｍｅｎｔ、略してＵＥ）は、測定パイロットの構成情報（例えば、測定パイロットのポート数、又は測定パイロットのパイロットパターン）をまず取得し、次に、測定パイロットの構成情報に従って、基地局により送信された測定パイロットを測定してＣＳＩを取得し、最後に、当該ＣＳＩを基地局に報告する。ＣＳＩ測定プロセスにおいて、基地局により構成される測定パイロットは変化しない。すなわち、所与のポートの数があり、基地局が所与のパイロットパターンを選択するときに、基地局は、選択されたパイロットパターンに従って固定的に構成された測定パイロットを送信し続け、ＵＥはまた、パイロットパターンに従って測定パイロットを受信し続け、測定パイロットを測定し、フィードバックを提供する。
【０００５】
しかしながら、ＣＳＩ測定プロセスにおいて、ＵＥが固定的に構成された測定パイロットを繰り返し測定してフィードバックを提供することになるという課題があり、柔軟性に欠ける。
【発明の概要】
【０００６】
本発明の実施形態は、ＣＳＩ測定及びフィードバック方法及びデバイスを提供することで、ＵＥが測定パイロットを測定してフィードバックを提供するときに柔軟性に欠けるという従来技術の課題を解消する。
【０００７】
本発明の実施形態の第１態様によれば、チャネル状態情報ＣＳＩ測定及びフィードバック方法が提供され、方法は、
第１ネットワークデバイスが、第１信号を第２ネットワークデバイスに送信する段階であって、第１信号は、第１信号に従って第１測定パイロットを決定して、第１測定パイロットを第１ネットワークデバイスに送信すべく、第２ネットワークデバイスに用いられる、段階と、
第１ネットワークデバイスが、第２ネットワークデバイスにより送信された第１測定パイロットを受信し、第１測定パイロットを測定して第１ＣＳＩを取得する段階であって、第１ＣＳＩは、チャネル品質指標ＣＱＩ、プリコーディング行列指標ＰＭＩ、ランク指標ＲＩ、及びポート選択情報のうちの少なくとも１つを含み、ポート選択情報は、第１測定パイロット内の複数のポートから第１ネットワークデバイスにより選択されたポートのポート番号を示すべく用いられる、段階と、
第１ネットワークデバイスが、第１ＣＳＩを第２ネットワークデバイスに送信する段階と
を含む。
【０００８】
任意に、第１信号はアップリンクサウンディング基準信号ＳＲＳである。
【０００９】
任意に、第１信号は、第１ネットワークデバイスにより第２ネットワークデバイスに報告された第２ＣＳＩを含み、第２ＣＳＩは、第１ネットワークデバイスによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【００１０】
任意に、第２ＣＳＩは、ＰＭＩ、ポート選択情報、及びサブバンド情報のうちの少なくとも１つを含み、
第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【００１１】
任意に、第１ネットワークデバイスが、第２ネットワークデバイスにより送信された第１測定パイロットを受信し、第１測定パイロットを測定する段階の前に、方法は、
第１ネットワークデバイスが、第１測定パイロットの構成情報を決定する段階であって、第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む、段階をさらに含む。
【００１２】
任意に、第１ネットワークデバイスが、第１測定パイロットの構成情報を決定する段階は、
第１ネットワークデバイスが、第１信号に従って第１測定パイロットの構成情報を決定する段階を含む。
【００１３】
任意に、第１ネットワークデバイスが、第１信号に従って第１測定パイロットの構成情報を決定する段階は、
第１ネットワークデバイスが、第１ネットワークデバイスによって第２ネットワークデバイスに最後に送信された第１信号に従って第１測定パイロットの構成情報を決定する段階を含む。
【００１４】
任意に、第１ネットワークデバイスが、第１ネットワークデバイスによって第２ネットワークデバイスに最後に送信された第１信号に従って第１測定パイロットの構成情報を決定する段階は、
第１ネットワークデバイスが、第１ネットワークデバイスによって第２ネットワークデバイスに最後に送信された第１信号内のＰＭＩに従って第１測定パイロットのパイロットパターンを決定する段階であって、ＰＭＩとパイロットパターンの間に対応関係がある、段階、又は、
第１ネットワークデバイスが、第１ネットワークデバイスによって第２ネットワークデバイスに最後に送信された第１信号内のＲＩに従って第１測定パイロットのパイロットパターンを決定する段階であって、ＲＩとパイロットパターンとの間に対応関係がある、段階
を含む。
【００１５】
任意に、ＲＩが別のＲＩよりも低い場合、ＲＩに対応するパイロットパターンは、別のＲＩに対応するパイロットパターンのサブセットである。
【００１６】
任意に、第１ネットワークデバイスが、第１測定パイロットの構成情報を決定する段階は、
第１ネットワークデバイスが、第２ネットワークデバイスにより送信された第１シグナリングを受信する段階であって、第１シグナリングは、第１測定パイロットの構成情報を搬送する、段階と、
第１ネットワークデバイスが、第１シグナリングに従って第１測定パイロットの構成情報を決定する段階と
を含み、
第１シグナリングは、より高い層のシグナリングであり、第１シグナリングは、第１ネットワークデバイスに固有の動的なシグナリングであり、又は第１シグナリングは、第１ネットワークデバイスのグループに固有の動的なシグナリングである。
【００１７】
任意に、第１ネットワークデバイスに固有の動的なシグナリングは、物理ダウンリンク制御チャネルＰＤＣＣＨ又は拡張物理ダウンリンク制御チャネルＥＰＤＣＣＨに加えられて送信される。
【００１８】
任意に、第１ネットワークデバイスに固有の動的なシグナリングは、ＤＬ  ｇｒａｎｔシグナリング又はＵＬ  ｇｒａｎｔシグナリングである。
【００１９】
任意に、第１ネットワークデバイスのグループに固有の動的なシグナリングは、ＰＤＣＣＨ又はＥＰＤＣＣＨに加えられて送信される。
【００２０】
任意に、第１ネットワークデバイスのグループに固有の動的なシグナリングは、第１ネットワークデバイスが属するグループの識別子を用いることによりスクランブリングが実行された後に取得される動的なシグナリングである。
【００２１】
任意に、第１ネットワークデバイスが、第１シグナリングに従って第１測定パイロットの構成情報を決定する段階は、
第１ネットワークデバイスが、より高い層のシグナリングに従って、第１ネットワークデバイスが属するグループの識別子を決定し、第１ネットワークデバイスが属するグループの識別子に従って、第１ネットワークデバイスのグループに固有の動的なシグナリングから第１測定パイロットの構成情報を決定する段階、又は、
第１ネットワークデバイスが、より高い層のシグナリングに従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定する段階、又は、
第１ネットワークデバイスが、第１信号に従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定する段階
を含む。
【００２２】
任意に、第１ネットワークデバイスが、第１信号に従って、第１ネットワークデバイスが属するグループの識別子を決定する段階は、
第１ネットワークデバイスが、第２ＣＳＩに含まれるポート選択情報、及び第１マッピング関係に従って、第１ネットワークデバイスが属するグループの識別子を決定する段階であって、第１マッピング関係は、ポート番号と、第１ネットワークデバイスが属するグループの識別子との間の対応関係を示すべく用いられる、段階、又は、
第１ネットワークデバイスが、第２ＣＳＩに含まれるサブバンド情報、及び第２マッピング関係に従って、第１ネットワークデバイスが属するグループの識別子を決定する段階であって、第２マッピング関係は、サブバンド情報と、第１ネットワークデバイスが属するグループの識別子との間の対応関係を示すべく用いられる、段階、又は、
第１ネットワークデバイスが、第１信号を第２ネットワークデバイスに送信し、第１ネットワークデバイスが属するグループの識別子を受信する段階であって、第１ネットワークデバイスが属するグループの識別子は、第２ネットワークデバイスにより送信され、かつ、第１信号に従って第２ネットワークデバイスにより決定される、段階
を含む。
【００２３】
任意に、第１ネットワークデバイスが、第１信号を第２ネットワークデバイスに送信する段階の前に、方法は、
第１ネットワークデバイスが、第２ネットワークデバイスにより送信された第２測定パイロットを受信する段階と、第１ネットワークデバイスが、第２測定パイロットを測定して第２ＣＳＩを取得し、第２ＣＳＩに従って第１信号を決定する段階とをさらに含む。
【００２４】
任意に、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【００２５】
任意に、Ｍ個のポートから第１ネットワークデバイスにより選択されたＮ個のポートのポート番号は、具体的には、
Ｍ個の第２測定パイロットを測定すること、及び、降順にＭ個の第２測定パイロットの信号品質をソートすることにより第１ネットワークデバイスによって取得される最も高い信号品質の第１のＮ個のポート番号であり、第１のＮ個のポート番号は、第２測定パイロットに対応している。
【００２６】
任意に、第１ネットワークデバイスが、第１信号に従って第１測定パイロットの構成情報を決定する段階は、具体的には、
第１ネットワークデバイスが、第１信号に従って第１測定パイロットのポート数をＮとして決定する段階を含む。
【００２７】
任意に、第１ネットワークデバイスが、第１信号に従って第１測定パイロットの構成情報を決定する段階は、具体的には、
第１ネットワークデバイスが、第１信号及び第３マッピング関係に従って第１測定パイロットの期間を決定する段階であって、第３マッピング関係は、第１測定パイロットのポート数と第１測定パイロットの期間との間の対応関係を示すべく用いられる、段階を含む。
【００２８】
任意に、第１ネットワークデバイスが、第１信号に従って第１測定パイロットの構成情報を決定する段階は、具体的には、
第１ネットワークデバイスが、第１信号及び第４マッピング関係に従って第１測定パイロットのシーケンス情報を決定する段階であって、第４マッピング関係は、第１測定パイロットのポート数と第１測定パイロットのシーケンス情報との間の対応関係を示すべく用いられる、段階を含む。
【００２９】
任意に、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含み、ＣＳＩ測定プロセスにおいて、第２測定パイロットの構成情報は、変化しないままである。
【００３０】
任意に、第１ネットワークデバイスが、第２測定パイロットを測定する段階の前に、方法は、
第１ネットワークデバイスが、第２ネットワークデバイスにより送信された第２シグナリングを受信する段階であって、第２シグナリングは、第２測定パイロットの構成情報を搬送する、段階と、
第１ネットワークデバイスが、第２シグナリングに従って第１測定パイロットの構成情報を決定する段階と
をさらに含み、
第２シグナリングは半静的なシグナリングであり、又は、第２シグナリングは第１ネットワークデバイスのグループに固有の動的なシグナリングである。
【００３１】
任意に、第２測定パイロット及び第１測定パイロットは、異なるＣＳＩ測定プロセスに属する。
【００３２】
任意に、第２測定パイロット及び第１測定パイロットは、同じＣＳＩ測定プロセスに属する。
【００３３】
任意に、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【００３４】
任意に、第１ネットワークデバイスは、ＣＳＩ測定プロセスにおいて第３ＣＳＩを報告し、第３ＣＳＩは、第１測定パイロットを測定することにより決定された第１ＣＳＩ、及び第２測定パイロットを測定することにより決定された第２ＣＳＩを含む。
【００３５】
任意に、第１ＣＳＩは、第１ＲＩ、第１ＰＭＩ、及び第１ＣＱＩを含み、又は、第１ＣＳＩは、第１ＰＭＩ及び第１ＣＱＩを含み、
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【００３６】
任意に、第２ＣＳＩは、第２ＲＩ及び第２ＰＭＩを含み、第２ＲＩ及び第２ＰＭＩは、同じ時点でフィードバックされ、又は第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされ、
第２ＣＱＩは、第２ＲＩ、及び第２ＰＭＩに対応するプリコーディング行列に従って決定され、第２ＲＩ及び第２ＰＭＩは、第２測定パイロットを測定することにより決定され、第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含み、二重コードブック構成は、Ｗ＝Ｗ１×Ｗ２であり、
【数１】
0006690848.tif 000002
であり、Ｗ１は対角行列であり、Ｗ１は前記第１プリコーディング部分行列であり、Ｗ２は前記第２プリコーディング部分行列である。
【００３７】
任意に、第１ネットワークデバイスが、第２ＲＩ、第１プリコーディング部分行列に対応するインデックス、第２プリコーディング部分行列に対応するインデックス、及び第２ＣＳＩ内の第２ＣＱＩのうちの少なくとも１つを同じ時点で第２ネットワークデバイスにフィードバックするとき、結合符号化方式又は独立符号化方式が符号化に用いられる。
【００３８】
任意に、第３ＣＳＩは、変更指標をさらに含み、変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【００３９】
任意に、変更フラグと、第２ＲＩ、第１プリコーディング部分行列に対応するインデックス、第２プリコーディング部分行列に対応するインデックス、及び第２ＣＱＩのうちの少なくとも１つとは、同じ時点でフィードバックされ、又は、変更フラグ、第２ＲＩ、及びプリコーディングタイプ指標ＰＴＩは、同じ時点でフィードバックされる。
【００４０】
任意に、方法は、
第１ネットワークデバイスが変更フラグを第２ネットワークデバイスに報告する前に、第１ネットワークデバイスが第１測定パイロットのみを測定して第１ＣＳＩをフィードバックする段階と、第１ネットワークデバイスが変更フラグを第２ネットワークデバイスに報告した後に、第１ネットワークデバイスが、第２測定パイロットのみを測定して第２ＣＳＩをフィードバックする段階とをさらに含み、又は、
第１ネットワークデバイスが変更フラグを第２ネットワークデバイスに報告する前に、第１ネットワークデバイスが、第２測定パイロットのみを測定して第２ＣＳＩに報告する段階と、第１ネットワークデバイスが変更フラグを第２ネットワークデバイスに報告した後に、第１ネットワークデバイスが、第１測定パイロットのみを測定して第１ＣＳＩをフィードバックする段階とをさらに含む。
【００４１】
任意に、方法は、
第１ネットワークデバイスが変更フラグを第２ネットワークデバイスにフィードバックする前に、第１ネットワークデバイスが、第１測定パイロットのみを測定して第１ＣＳＩをフィードバックする段階と、第１ネットワークデバイスが変更フラグを第２ネットワークデバイスにフィードバックした後に、第１ネットワークデバイスが、第１測定パイロットを測定して第１ＣＳＩをフィードバックし、第２測定パイロットを測定して第２ＣＳＩをフィードバックする段階とをさらに含み、又は、
第１ネットワークデバイスが変更フラグを第２ネットワークデバイスにフィードバックする前に、第１ネットワークデバイスが、第２測定パイロットのみを測定して第２ＣＳＩをフィードバックする段階と、第１ネットワークデバイスが変更フラグを第２ネットワークデバイスにフィードバックした後に、第１ネットワークデバイスが、第１測定パイロットを測定して第１ＣＳＩをフィードバックし、第２測定パイロットを測定して第２ＣＳＩをフィードバックする段階とをさらに含む。
【００４２】
任意に、方法は、
第１ネットワークデバイスが、第２ネットワークデバイスにより送信された構成情報を受信する段階をさらに含み、
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【００４３】
任意に、ＣＳＩ測定プロセスにおいて、第１測定パイロットの構成情報は可変である。
【００４４】
任意に、ＣＳＩ測定プロセスにおいて、第１測定パイロットのポート数は可変である。
【００４５】
任意に、第１ＣＳＩのＰＭＩはプリコーディング行列Ｗを含み、
ランクが１である場合、
【数２】
0006690848.tif 000003
であり、
ランクが２である場合、
【数３】
0006690848.tif 000004
であり、
ランクが３である場合、
【数４】
0006690848.tif 000005
かつ、
【数５】
0006690848.tif 000006
であり、
ランクが４である場合、
【数６】
0006690848.tif 000007
かつ、
【数７】
0006690848.tif 000008
であり、
ランクが５である場合、
【数８】
0006690848.tif 000009
かつ、
【数９】
0006690848.tif 000010
であり、
ランクが６である場合、
【数１０】
0006690848.tif 000011
かつ、
【数１１】
0006690848.tif 000012
であり、
ランクが７である場合、
【数１２】
0006690848.tif 000013
かつ、
【数１３】
0006690848.tif 000014
であり、
ランクが８である場合、
【数１４】
0006690848.tif 000015
かつ、
【数１５】
0006690848.tif 000016
であり、
Ｃは、プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、ｅｍのｍ番目の行は１であり、ｍ番目の行以外の行は０である。
【００４６】
任意に、第１ＣＳＩのＰＭＩはプリコーディング行列Ｗを含み、
ランクが１である場合、
【数１６】
0006690848.tif 000017
であり、
ランクが２である場合、
【数１７】
0006690848.tif 000018
であり、
ランクが３である場合、
【数１８】
0006690848.tif 000019
であり、
ランクが４である場合、
【数１９】
0006690848.tif 000020
であり、
ランクが５である場合、
【数２０】
0006690848.tif 000021
であり、
ランクが６である場合、
【数２１】
0006690848.tif 000022
であり、
ランクが７である場合、
【数２２】
0006690848.tif 000023
であり、
ランクが８である場合、
【数２３】
0006690848.tif 000024
かつ、
【数２４】
0006690848.tif 000025
であり、
Ｃは、プリコーディング行列のコードブックであり、Ｍは、第２測定パイロットのポート数であり、ｅｍは、Ｍ次元単位列ベクトルであり、ｍ＝１，...Ｍであり、ｅｍのｍ番目の行は１であり、ｍ番目の行以外の行は０である。
【００４７】
任意に、第２ＣＳＩに含まれるポート選択情報は、最良のＭ方式で表され、又は、第２ＣＳＩに含まれるポート選択情報は、ビットマップ方式で表され、
最良のＭ方式において、Ｐ個のポートからのｒ番目のＱ組み合わせのインデックスは、
【数２５】
0006690848.tif 000026
として表され、
【数２６】
0006690848.tif 000027
は、ｘから選択されるｙの順列及び組み合わせの数を表し、
【数２７】
0006690848.tif 000028
であり、
【数２８】
0006690848.tif 000029
である。
【００４８】
任意に、第２ＣＳＩに含まれるポート選択情報は、ランク値の範囲を示すべく用いられ、又は、
第２ＣＳＩに含まれるポート選択情報は、ランク値の範囲を示すべく用いられ、第１ＣＳＩに含まれるＲＩの値の範囲は、第２ＣＳＩに含まれるポート選択情報により示されるランク値の範囲と同一であり、又は、
第１ＣＳＩに含まれるＲＩの値の範囲は、第１測定パイロットのポート数に従って第１ネットワークデバイスにより決定される。
【００４９】
任意に、第１ネットワークデバイスはユーザ機器ＵＥであり、第２ネットワークデバイスは基地局であり、又は、
第１ネットワークデバイスはＵＥであり、第２ネットワークデバイスはＵＥであり、又は、
第１ネットワークデバイスは基地局であり、第２ネットワークデバイスは基地局である。
【００５０】
任意に、第１測定パイロットはチャネル状態情報測定パイロットＣＳＩ‐ＲＳである。
【００５１】
任意に、第２測定パイロットはＣＳＩ‐ＲＳである。
【００５２】
本発明の実施形態の第２態様によれば、チャネル状態情報ＣＳＩ測定及びフィードバック方法が提供され、方法は、
第２ネットワークデバイスが、第１ネットワークデバイスにより送信された第１信号を受信する段階であって、第１信号は、第１信号に従って第１測定パイロットを決定すべく、第２ネットワークデバイスに用いられる、段階と、
第２ネットワークデバイスが、第１信号に従って第１測定パイロットを決定し、第１測定パイロットを第１ネットワークデバイスに送信する段階と、
第２ネットワークデバイスが、第１ネットワークデバイスにより送信された第１ＣＳＩを受信する段階であって、第１ＣＳＩは、第１ネットワークデバイスにより第１測定パイロットを測定することにより取得され、第１ＣＳＩは、チャネル品質指標ＣＱＩ、プリコーディング行列指標ＰＭＩ、ランク指標ＲＩ、及びポート選択情報のうちの少なくとも１つを含み、ポート選択情報は、第１測定パイロット内の複数のポートから第１ネットワークデバイスにより選択されるポートのポート番号を示すべく用いられる、段階と
を含む。
【００５３】
任意に、第１信号はアップリンクサウンディング基準信号ＳＲＳであり、又は、第１信号は、第１ネットワークデバイスにより第２ネットワークデバイスに報告された第２ＣＳＩを含み、第２ＣＳＩは、第１ネットワークデバイスによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【００５４】
任意に、第２ＣＳＩは、ＰＭＩ、ポート選択情報、及びサブバンド情報のうちの少なくとも１つを含み、
第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【００５５】
任意に、方法は、
第２ネットワークデバイスが、第１測定パイロットの構成情報を決定する段階であって、第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む、段階をさらに含む。
【００５６】
任意に、第２ネットワークデバイスが、第１測定パイロットの構成情報を決定する段階は、
第２ネットワークデバイスが、第１信号に従って第１測定パイロットの構成情報を決定する段階を含む。
【００５７】
任意に、第２ネットワークデバイスが、第１信号に従って第１測定パイロットの構成情報を決定する段階は、
第２ネットワークデバイスが、最後に受信した第１信号に従って第１測定パイロットの構成情報を決定する段階を含む。
【００５８】
任意に、第２ネットワークデバイスが、最後に受信された第１信号に従って第１測定パイロットの構成情報を決定する段階は、
第２ネットワークデバイスが、最後に受信された第１信号内のＰＭＩに従って第１測定パイロットのパイロットパターンを決定する段階であって、ＰＭＩとパイロットパターンの間に対応関係がある、段階、又は、
第２ネットワークデバイスが、最後に受信された第１信号内のＲＩに従って第１測定パイロットのパイロットパターンを決定する段階であって、ＲＩとパイロットパターンとの間に対応関係がある、段階
を含む。
【００５９】
任意に、ＲＩが別のＲＩよりも低い場合、ＲＩに対応するパイロットパターンは、別のＲＩに対応するパイロットパターンのサブセットである。
【００６０】
任意に、第２ネットワークデバイスが、第１測定パイロットの構成情報を決定する段階の後に、方法は、
第２ネットワークデバイスが、第１シグナリングを第１ネットワークデバイスに送信する段階であって、第１シグナリングは、第１測定パイロットの構成情報を搬送する、段階
をさらに含み、
第１シグナリングは、より高い層のシグナリングであり、第１シグナリングは、第１ネットワークデバイスに固有の動的なシグナリングであり、第１シグナリングは、第１ネットワークデバイスのグループに固有の動的なシグナリングである。
【００６１】
任意に、第２ネットワークデバイスは、第１ネットワークデバイスに固有の動的なシグナリングを物理ダウンリンク制御チャネルＰＤＣＣＨ又は拡張物理ダウンリンク制御チャネルＥＰＤＣＣＨに加えて、ＰＤＣＣＨ又はＥＰＤＣＣＨを第１ネットワークデバイスに送信する。
【００６２】
任意に、第２態様の第７の可能な実施例において、第１ネットワークデバイスに固有の動的なシグナリングは、ＤＬ  ｇｒａｎｔシグナリング又はＵＬ  ｇｒａｎｔシグナリングである。
【００６３】
任意に、第２ネットワークデバイスは、第１ネットワークデバイスのグループに固有の動的なシグナリングをＰＤＣＣＨ又はＥＰＤＣＣＨに加えて、ＰＤＣＣＨ又はＥＰＤＣＣＨを第１ネットワークデバイスに送信する。
【００６４】
任意に、第２態様の第９の可能な実施例において、第１ネットワークデバイスのグループに固有の動的なシグナリングは、第１ネットワークデバイスが属するグループの識別子を用いることにより第２ネットワークデバイスによってスクランブリングを実行することにより取得される動的なシグナリングである。
【００６５】
任意に、方法は、
第２ネットワークデバイスが、第１ネットワークデバイスにより送信された第１信号に従って、第１ネットワークデバイスが属するグループの識別子を決定し、第１ネットワークデバイスが属するグループの識別子を、より高い層のシグナリングを用いることにより、第１ネットワークデバイスに送信する段階をさらに含む。
【００６６】
任意に、第２ネットワークデバイスが、第１ネットワークデバイスにより送信される第１信号を受信する前に、方法は、
第２ネットワークデバイスが、第２測定パイロットを測定するよう第１ネットワークデバイスに指示すべく、第２測定パイロットを第１ネットワークデバイスに送信する段階と、
第２ネットワークデバイスが、第２シグナリングを第１ネットワークデバイスに送信する段階であって、第２シグナリングは、第２測定パイロットの構成情報を搬送する、段階と
をさらに含み、
第２シグナリングは、半静的なシグナリングであり、又は、第２シグナリングは、第１ネットワークデバイスのグループに固有の動的なシグナリングであり、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含み、ＣＳＩ測定プロセスにおいて、第２測定パイロットの構成情報は、変化しないままである。
【００６７】
任意に、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【００６８】
任意に、第２ネットワークデバイスが、第１信号に従って第１測定パイロットの構成情報を決定する段階は、具体的には、
第２ネットワークデバイスが、第１信号に従って第１測定パイロットのポート数をＮとして決定する段階を含む。
【００６９】
任意に、第２ネットワークデバイスが、第１信号に従って、第１測定パイロットの構成情報を決定する段階は、具体的には、
第２ネットワークデバイスが、第１信号及び第１マッピング関係に従って、第１測定パイロットの期間を決定する段階であって、第１マッピング関係は、第１測定パイロットのポート数と第１測定パイロットの期間との間の対応関係を示すべく用いられる、段階を含む。
【００７０】
任意に、第２ネットワークデバイスが、第１信号に従って第１測定パイロットの構成情報を決定する段階は、具体的には、
第２ネットワークデバイスが、第１信号及び第２マッピング関係に従って第１測定パイロットのシーケンス情報を決定する段階であって、第２マッピング関係は、第１測定パイロットのポート数と第１測定パイロットのシーケンス情報との間の対応関係を示すべく用いられる、段階を含む。
【００７１】
任意に、第２測定パイロット及び第１測定パイロットは、異なるＣＳＩ測定プロセスに属する。
【００７２】
任意に、第２測定パイロット及び第１測定パイロットは、同じＣＳＩ測定プロセスに属する。
【００７３】
任意に、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【００７４】
任意に、第２ネットワークデバイスは、第１ネットワークデバイスにより報告された第３ＣＳＩをＣＳＩ測定プロセスにおいて受信し、第３ＣＳＩは、第１測定パイロットを測定することにより決定された第１ＣＳＩ、及び第２測定パイロットを測定することにより決定された第２ＣＳＩを含む。
【００７５】
任意に、第１ＣＳＩは、第１ＲＩ、第１ＰＭＩ、及び第１ＣＱＩを含み、第１ＣＳＩは、第１ＰＭＩ及び第１ＣＱＩを含み、
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【００７６】
任意に、第２ＣＳＩは、第２ＲＩ及び第２ＰＭＩを含み、第２ＲＩ及び第２ＰＭＩは、同じ時点でフィードバックされ、又は第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされ、
第２ＣＱＩは、第２ＲＩ、及び第２ＰＭＩに対応するプリコーディング行列に従って決定され、第２ＲＩ及び第２ＰＭＩは、第２測定パイロットを測定することにより決定され、第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含み、二重コードブック構成は、Ｗ＝Ｗ１×Ｗ２であり、
【数２９】
0006690848.tif 000030
であり、Ｗ１は対角行列であり、Ｗ１は前記第１プリコーディング部分行列であり、Ｗ２は前記第２プリコーディング部分行列である。
【００７７】
任意に、第２ＲＩ及び第２ＰＭＩは、同じ時点で報告され、第２ＲＩ、第１プリコーディング部分行列に対応するインデックス、第２プリコーディング部分行列に対応するインデックス、及び第２ＣＳＩの第２ＣＱＩのうちの少なくとも１つは、結合符号化方式又は独立符号化方式で符号化され、第２ＲＩ、第１プリコーディング部分行列に対応するインデックス、第２プリコーディング部分行列に対応するインデックス、及び第２ＣＳＩの第２ＣＱＩのうちの少なくとも１つは、第１ネットワークデバイスによりフィードバックされ、かつ、同じ時点で第２ネットワークデバイスにより受信される。
【００７８】
任意に、第３ＣＳＩは、変更指標をさらに含み、変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【００７９】
任意に、変更フラグと、第２ＲＩ、第１プリコーディング部分行列に対応するインデックス、第２プリコーディング部分行列に対応するインデックス、及び第２ＣＱＩのうちの少なくとも１つとは、同じ時点でフィードバックされ、又は、変更フラグ、第２ＲＩ、及びプリコーディングタイプ指標ＰＴＩは、同じ時点でフィードバックされる。
【００８０】
任意に、第１ネットワークデバイスにより報告される変更フラグが受信される前に、第１ネットワークデバイスにより報告されるＣＳＩは、第１ネットワークデバイスにより第１測定パイロットのみを測定することにより取得される第１ＣＳＩであり、第１ネットワークデバイスにより報告された変更フラグが受信された後に、第１ネットワークデバイスにより報告されるＣＳＩは、第１ネットワークデバイスによって第２測定パイロットをのみを測定することにより取得される第２ＣＳＩであり、又は、
第１ネットワークデバイスにより報告される変更フラグが受信される前に、第１ネットワークデバイスにより報告されるＣＳＩは、第１ネットワークデバイスによって第２測定パイロットのみを測定することにより取得される第２ＣＳＩであり、第１ネットワークデバイスにより報告された変更フラグが受信された後に、第１ネットワークデバイスにより報告されるＣＳＩは、第１ネットワークデバイスによって第１測定パイロットのみを測定することにより取得される第１ＣＳＩであり、又は、
第１ネットワークデバイスにより報告される変更フラグが受信される前に、第１ネットワークデバイスにより報告されるＣＳＩは、第１ネットワークデバイスによって第１測定パイロットのみを測定することにより取得される第１ＣＳＩであり、第１ネットワークデバイスにより報告された変更フラグが受信された後に、第１ネットワークデバイスにより報告されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含み、又は、
第１ネットワークデバイスにより報告される変更フラグが受信される前に、第１ネットワークデバイスにより報告されるＣＳＩは、第１ネットワークデバイスによって第２測定パイロットのみを測定することにより取得される第２ＣＳＩであり、第１ネットワークデバイスにより報告された変更フラグが受信された後に、第１ネットワークデバイスにより報告されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含む。
【００８１】
任意に、方法は、
第２ネットワークデバイスが、構成情報を第１ネットワークデバイスに送信する段階をさらに含み、
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【００８２】
任意に、ＣＳＩ測定プロセスにおいて、第１測定パイロットの構成情報は可変である。
【００８３】
任意に、ＣＳＩ測定プロセスにおいて、第１測定パイロットのポート数は可変である。
【００８４】
任意に、第１ＣＳＩのＰＭＩはプリコーディング行列Ｗを含み、
ランクが１である場合、
【数３０】
0006690848.tif 000031
であり、
ランクが２である場合、
【数３１】
0006690848.tif 000032
であり、
ランクが３である場合、
【数３２】
0006690848.tif 000033
かつ、
【数３３】
0006690848.tif 000034
であり、
ランクが４である場合、
【数３４】
0006690848.tif 000035
かつ、
【数３５】
0006690848.tif 000036
であり、
ランクが５である場合、
【数３６】
0006690848.tif 000037
かつ、
【数３７】
0006690848.tif 000038
であり、
ランクが６である場合、
【数３８】
0006690848.tif 000039
かつ、
【数３９】
0006690848.tif 000040
であり、
ランクが７である場合、
【数４０】
0006690848.tif 000041
かつ、
【数４１】
0006690848.tif 000042
であり、
ランクが８である場合、
【数４２】
0006690848.tif 000043
かつ、
【数４３】
0006690848.tif 000044
であり、
Ｃは、プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、ｅｍのｍ番目の行は１であり、ｍ番目の行以外の行は０である。
【００８５】
任意に、第１ＣＳＩのＰＭＩはプリコーディング行列Ｗを含み、
ランクが１である場合、
【数４４】
0006690848.tif 000045
であり、
ランクが２である場合、
【数４５】
0006690848.tif 000046
であり、
ランクが３である場合、
【数４６】
0006690848.tif 000047
であり、
ランクが４である場合、
【数４７】
0006690848.tif 000048
であり、
ランクが５である場合、
【数４８】
0006690848.tif 000049
であり、
ランクが６である場合、
【数４９】
0006690848.tif 000050
であり、
ランクが７である場合、
【数５０】
0006690848.tif 000051
であり、
ランクが８である場合、
【数５１】
0006690848.tif 000052
かつ、
【数５２】
0006690848.tif 000053
であり、
Ｃは、プリコーディング行列のコードブックであり、Ｍは、第２測定パイロットのポート数であり、ｅｍは、Ｍ次元単位列ベクトルであり、ｍ＝１，...Ｍであり、ｅｍのｍ番目の行は１であり、ｍ番目の行以外の行は０である。
【００８６】
任意に、第２ＣＳＩに含まれるポート選択情報は、最良のＭ方式で表され、又は、第２ＣＳＩに含まれるポート選択情報は、ビットマップ方式で表され、最良のＭ方式において、Ｐ個のポートからのｒ番目のＱ組み合わせのインデックスは、
【数５３】
0006690848.tif 000054
として表され、
【数５４】
0006690848.tif 000055
は、ｘから選択されるｙの順列及び組み合わせの数を表し、
【数５５】
0006690848.tif 000056
であり、
【数５６】
0006690848.tif 000057
である。
【００８７】
任意に、第１ネットワークデバイスはユーザ機器ＵＥであり、第２ネットワークデバイスは基地局であり、又は、
第１ネットワークデバイスはＵＥであり、第２ネットワークデバイスはＵＥであり、又は、
第１ネットワークデバイスは基地局であり、第２ネットワークデバイスは基地局である。
【００８８】
任意に、第１測定パイロットはチャネル状態情報測定パイロットＣＳＩ‐ＲＳである。
【００８９】
任意に、第２測定パイロットはＣＳＩ‐ＲＳである。
【００９０】
本発明の実施形態の第３態様によれば、第１ネットワークデバイスが提供され、第１ネットワークデバイスは、
第１信号を第２ネットワークデバイスに送信するように構成される送信ユニットであって、第１信号は、第１信号に従って第１測定パイロットを決定して、第１測定パイロットを第１ネットワークデバイスに送信すべく、第２ネットワークデバイスに用いられる、送信ユニットと、
第２ネットワークデバイスにより送信された第１測定パイロットを受信するように構成される受信ユニットと、
第１測定パイロットを測定して第１ＣＳＩを取得するように構成される測定ユニットであって、第１ＣＳＩは、チャネル品質指標ＣＱＩ、プリコーディング行列指標ＰＭＩ、ランク指標ＲＩ、及びポート選択情報のうちの少なくとも１つを含み、ポート選択情報は、第１測定パイロット内の複数のポートから第１ネットワークデバイスにより選択されたポートのポート番号を示すべく用いられる、測定ユニットと
を含み、
送信ユニットは、第１ＣＳＩを第２ネットワークデバイスに送信するようにさらに構成される。
【００９１】
任意に、第１信号はアップリンクサウンディング基準信号ＳＲＳであり、又は、第１信号は、送信ユニットにより第２ネットワークデバイスに送信された第２ＣＳＩを含み、第２ＣＳＩは、測定ユニットによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【００９２】
任意に、第２ＣＳＩは、ＰＭＩ、ポート選択情報、及びサブバンド情報のうちの少なくとも１つを含み、第２ＣＳＩに含まれるポート選択情報は、第２測定パイロット内の複数のポートから第１ネットワークデバイスにより選択されるポートのポート番号を示すべく用いられ、サブバンド情報は、第２測定パイロットの周波数帯から第１ネットワークデバイスにより選択されたサブバンドを示すべく用いられる。
【００９３】
任意に、第１ネットワークデバイスは、
第２ネットワークデバイスにより送信された第１測定パイロットを受信ユニットが受信し、第１測定パイロットが測定される前に、第１測定パイロットの構成情報を決定するように構成される決定ユニットであって、第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む、決定ユニットをさらに含む。
【００９４】
任意に、決定ユニットは、具体的には、第１信号に従って第１測定パイロットの構成情報を決定するように構成される。
【００９５】
任意に、決定ユニットは、具体的には、送信ユニットにより第２ネットワークデバイスに最後に送信された第１信号に従って第１測定パイロットの構成情報を決定するように構成される。
【００９６】
任意に、決定ユニットは、具体的には、送信ユニットにより第２ネットワークデバイスに最後に送信された第１信号内のＰＭＩに従って第１測定パイロットのパイロットパターンを決定するように構成され、ＰＭＩとパイロットパターンの間に対応関係があり、又は、送信ユニットにより第２ネットワークデバイスに最後に送信された第１信号内のＲＩに従って第１測定パイロットのパイロットパターンを決定するように構成され、ＲＩとパイロットパターンとの間に対応関係がある。
【００９７】
任意に、ＲＩが別のＲＩよりも低い場合、ＲＩに対応するパイロットパターンは、別のＲＩに対応するパイロットパターンのサブセットである。
【００９８】
任意に、受信ユニットは、第２ネットワークデバイスにより送信された第１シグナリングを受信するようにさらに構成され、第１シグナリングは、第１測定パイロットの構成情報を搬送し、
決定ユニットは、第１シグナリングに従って第１測定パイロットの構成情報を決定するようにさらに構成され、
第１シグナリングは、より高い層のシグナリング、第１ネットワークデバイスに固有の動的なシグナリング、及び第１ネットワークデバイスのグループに固有の動的なシグナリングのうちの少なくとも１つである。
【００９９】
任意に、第１ネットワークデバイスに固有の動的なシグナリングは、物理ダウンリンク制御チャネルＰＤＣＣＨ又は拡張物理ダウンリンク制御チャネルＥＰＤＣＣＨに加えられて送信される。
【０１００】
任意に、第３態様の第７の可能な実施例において、第１ネットワークデバイスに固有の動的なシグナリングは、ＤＬ  ｇｒａｎｔシグナリング又はＵＬ  ｇｒａｎｔシグナリングである。
【０１０１】
任意に、第１ネットワークデバイスのグループに固有の動的なシグナリングは、ＰＤＣＣＨ又はＥＰＤＣＣＨに加えられて送信される。
【０１０２】
任意に、第３態様の第９の可能な実施例において、第１ネットワークデバイスのグループに固有の動的なシグナリングは、第１ネットワークデバイスが属するグループの識別子を用いることによりスクランブリングが実行された後に取得される動的なシグナリングである。
【０１０３】
任意に、決定ユニットは、より高い層のシグナリングに従って、第１ネットワークデバイスが属するグループの識別子を決定し、第１ネットワークデバイスが属するグループの識別子に従って、第１ネットワークデバイスのグループに固有の動的なシグナリングから第１測定パイロットの構成情報を決定するようにさらに構成され、又は、より高い層のシグナリングに従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成され、第１信号に従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成される。
【０１０４】
任意に、決定ユニットは、第２ＣＳＩに含まれるポート選択情報、及び第１マッピング関係に従って、第１ネットワークデバイスが属するグループの識別子を決定するようにさらに構成され、第１マッピング関係は、ポート番号と、第１ネットワークデバイスが属するグループの識別子との間の対応関係を示すべく用いられ、又は、第２ＣＳＩに含まれるサブバンド情報、及び第２マッピング関係に従って、第１ネットワークデバイスが属するグループの識別子を決定するようにさらに構成され、第２マッピング関係は、サブバンド情報と、第１ネットワークデバイスが属するグループの識別子との間の対応関係を示すべく用いられ、又は、
受信ユニットは、第１ネットワークデバイスが属するグループの識別子を受信するようにさらに構成され、第１ネットワークデバイスが属するグループの識別子は、第２ネットワークデバイスにより送信され、かつ、第１信号に従って第２ネットワークデバイスにより決定される。
【０１０５】
任意に、受信ユニットは、送信ユニットが第１信号を第２ネットワークデバイスに送信する前に、第２ネットワークデバイスにより送信された第２測定パイロットを受信するようにさらに構成され、
測定ユニットは、第２測定パイロットを測定して第２ＣＳＩを取得するようにさらに構成され、
決定ユニットは、第２ＣＳＩに従って第１信号を決定するようにさらに構成される。
【０１０６】
任意に、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０１０７】
任意に、Ｍ個のポートから第１ネットワークデバイスにより選択されたＮ個のポートのポート番号は、具体的には、
Ｍ個の第２測定パイロットを測定すること、及び、降順にＭ個の第２測定パイロットの信号品質をソートすることにより第１ネットワークデバイスによって取得される最も高い信号品質の第１のＮ個のポート番号であり、第１のＮ個のポート番号は、第２測定パイロットに対応している。
【０１０８】
任意に、決定ユニットは、第１信号に従って、第１測定パイロットのポート数をＮとして決定するようにさらに構成される。
【０１０９】
任意に、決定ユニットは、第１信号及び第３マッピング関係に従って、第１測定パイロットの期間を決定するようにさらに構成され、第３マッピング関係は、第１測定パイロットのポート数と第１測定パイロットの期間との間の対応関係を示すべく用いられ、又は、
任意に、決定ユニットは、第１信号及び第４マッピング関係に従って、第１測定パイロットのシーケンス情報を決定するようにさらに構成され、第４マッピング関係は、第１測定パイロットのポート数と第１測定パイロットのシーケンス情報との間の対応関係を示すべく用いられる。
【０１１０】
任意に、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含み、ＣＳＩ測定プロセスにおいて、第２測定パイロットの構成情報は変化しないままである。
【０１１１】
任意に、受信ユニットは、測定ユニットが第２測定パイロットを測定する前に、第２ネットワークデバイスにより送信された第２シグナリングを受信するようにさらに構成され、第２シグナリングは、第２測定パイロットの構成情報を搬送し、
決定ユニットは、第２シグナリングに従って第１測定パイロットの構成情報を決定するようにさらに構成され、
第２シグナリングは、半静的なシグナリングであり、第２シグナリングは、第１ネットワークデバイスのグループに固有の動的なシグナリングである。
【０１１２】
任意に、第２測定パイロット及び第１測定パイロットは、異なるＣＳＩ測定プロセスに属する。
【０１１３】
任意に、第２測定パイロット及び第１測定パイロットは、同じＣＳＩ測定プロセスに属する。
【０１１４】
任意に、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【０１１５】
任意に、送信ユニットは、ＣＳＩ測定プロセスにおいて第３ＣＳＩを報告し、第３ＣＳＩは、第１測定パイロットを測定することにより決定された第１ＣＳＩ、及び第２測定パイロットを測定することにより決定された第２ＣＳＩを含む。
【０１１６】
任意に、第１ＣＳＩは、第１ＲＩ、第１ＰＭＩ、及び第１ＣＱＩを含み、又は、第１ＣＳＩは、第１ＰＭＩ及び第１ＣＱＩを含み、第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【０１１７】
任意に、第２ＣＳＩは、第２ＲＩ及び第２ＰＭＩを含み、第２ＲＩ及び第２ＰＭＩは、同じ時点でフィードバックされ、又は第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされ、
第２ＣＱＩは、第２ＲＩ、及び第２ＰＭＩに対応するプリコーディング行列に従って決定され、第２ＲＩ及び第２ＰＭＩは、第２測定パイロットを測定することにより決定され、第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含み、二重コードブック構成は、Ｗ＝Ｗ１×Ｗ２であり、
【数５７】
0006690848.tif 000058
であり、Ｗ１は対角行列であり、Ｗ１は前記第１プリコーディング部分行列であり、Ｗ２は前記第２プリコーディング部分行列である。
【０１１８】
任意に、第２ＲＩ、第１プリコーディング部分行列に対応するインデックス、第２プリコーディング部分行列に対応するインデックス、及び第２ＣＳＩの第２ＣＱＩのうちの少なくとも１つは、結合符号化方式又は独立符号化方式で符号化され、第２ＲＩ、第１プリコーディング部分行列に対応するインデックス、第２プリコーディング部分行列に対応するインデックス、及び第２ＣＳＩの第２ＣＱＩのうちの少なくとも１つは、送信ユニットにより同じ時点で第２ネットワークデバイスにフィードバックされる。
【０１１９】
任意に、第３ＣＳＩは、変更指標をさらに含み、変更指標は、第１測定パイロットを測定して第１ＣＳＩをフィードバックするよう第１ネットワークデバイスに指示すべく用いられ、又は、
変更指標は、第２測定パイロットを測定して第２ＣＳＩをフィードバックするよう第１ネットワークデバイスに指示すべく用いられ、又は、
変更指標は、第１測定パイロットを測定して第１ＣＳＩをフィードバックし、第２測定パイロットを測定して第２ＣＳＩをフィードバックするよう第１ネットワークデバイスに指示すべく用いられる。
【０１２０】
任意に、送信ユニットは、変更フラグと、第２ＲＩ、第１プリコーディング部分行列に対応するインデックス、第２プリコーディング部分行列に対応するインデックス、及び第２ＣＱＩのうちの少なくとも１つとを同じ時点で第２ネットワークデバイスにフィードバックし、又は、
送信ユニットは、変更フラグ、第２ＲＩ、及びプリコーディングタイプ指標ＰＴＩを同じ時点で第２ネットワークデバイスにフィードバックする。
【０１２１】
任意に、測定ユニットは、送信ユニットが変更フラグを第２ネットワークデバイスに報告する前に、第１測定パイロットのみを測定して第１ＣＳＩをフィードバックし、送信ユニットが変更フラグを第２ネットワークデバイスに報告した後に、第２測定パイロットのみを測定して第２ＣＳＩをフィードバックするようにさらに構成され、又は、
測定ユニットは、送信ユニットが変更フラグを第２ネットワークデバイスに報告する前に、第２測定パイロットのみを測定して第２ＣＳＩを報告し、送信ユニットが変更フラグを第２ネットワークデバイスに報告した後に、第１測定パイロットのみを測定して第１ＣＳＩをフィードバックするようにさらに構成される。
【０１２２】
任意に、測定ユニットは、送信ユニットが変更フラグを第２ネットワークデバイスにフィードバックする前に、第１測定パイロットのみを測定して第１ＣＳＩをフィードバックし、送信ユニットが変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成され、又は、
測定ユニットは、送信ユニットが変更フラグを第２ネットワークデバイスにフィードバックする前に、第２測定パイロットのみを測定して第２ＣＳＩをフィードバックし、送信ユニットが変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成される。
【０１２３】
任意に、受信ユニットは、第２ネットワークデバイスにより送信された構成情報を受信するようにさらに構成され、
構成情報は、第１測定パイロットを測定して第１ＣＳＩをフィードバックするよう第１ネットワークデバイスに指示すべく用いられ、又は、
構成情報は、第２測定パイロットを測定して第２ＣＳＩをフィードバックするよう第１ネットワークデバイスに指示すべく用いられ、又は、
構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０１２４】
任意に、ＣＳＩ測定プロセスにおいて、第１測定パイロットの構成情報は可変である。
【０１２５】
任意に、ＣＳＩ測定プロセスにおいて、第１測定パイロットのポート数は可変である。
【０１２６】
任意に、第１ＣＳＩのＰＭＩはプリコーディング行列Ｗを含み、
ランクが１である場合、
【数５８】
0006690848.tif 000059
であり、
ランクが２である場合、
【数５９】
0006690848.tif 000060
であり、
ランクが３である場合、
【数６０】
0006690848.tif 000061
かつ、
【数６１】
0006690848.tif 000062
であり、
ランクが４である場合、
【数６２】
0006690848.tif 000063
かつ、
【数６３】
0006690848.tif 000064
であり、
ランクが５である場合、
【数６４】
0006690848.tif 000065
かつ、
【数６５】
0006690848.tif 000066
であり、
ランクが６である場合、
【数６６】
0006690848.tif 000067
かつ、
【数６７】
0006690848.tif 000068
であり、
ランクが７である場合、
【数６８】
0006690848.tif 000069
かつ、
【数６９】
0006690848.tif 000070
であり、
ランクが８である場合、
【数７０】
0006690848.tif 000071
かつ、
【数７１】
0006690848.tif 000072
であり、
Ｃは、プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、ｅｍのｍ番目の行は１であり、ｍ番目の行以外の行は０である。
【０１２７】
任意に、第１ＣＳＩのＰＭＩはプリコーディング行列Ｗを含み、
ランクが１である場合、
【数７２】
0006690848.tif 000073
であり、
ランクが２である場合、
【数７３】
0006690848.tif 000074
であり、
ランクが３である場合、
【数７４】
0006690848.tif 000075
であり、
ランクが４である場合、
【数７５】
0006690848.tif 000076
であり、
ランクが５である場合、
【数７６】
0006690848.tif 000077
であり、
ランクが６である場合、
【数７７】
0006690848.tif 000078
であり、
ランクが７である場合、
【数７８】
0006690848.tif 000079
であり、
ランクが８である場合、
【数７９】
0006690848.tif 000080
かつ、
【数８０】
0006690848.tif 000081
であり、
Ｃは、プリコーディング行列のコードブックであり、Ｍは、第２測定パイロットのポート数であり、ｅｍは、Ｍ次元単位列ベクトルであり、ｍ＝１，...Ｍであり、ｅｍのｍ番目の行は１であり、ｍ番目の行以外の行は０である。
【０１２８】
任意に、第２ＣＳＩに含まれるポート選択情報は、最良のＭ方式で表され、最良のＭ方式において、Ｐ個のポートからのｒ番目のＱ組み合わせのインデックスは、
【数８１】
0006690848.tif 000082
として表され、
【数８２】
0006690848.tif 000083
は、ｘから選択されるｙの順列及び組み合わせの数を表し、
【数８３】
0006690848.tif 000084
であり、
【数８４】
0006690848.tif 000085
である。
【０１２９】
任意に、第２ＣＳＩに含まれるポート選択情報はビットマップ方式で表される。
【０１３０】
任意に、第１ネットワークデバイスはユーザ機器ＵＥであり、第２ネットワークデバイスは基地局であり、又は、
第１ネットワークデバイスはＵＥであり、第２ネットワークデバイスはＵＥであり、又は、
第１ネットワークデバイスは基地局であり、第２ネットワークデバイスは基地局である。
【０１３１】
任意に、第１測定パイロットはチャネル状態情報測定パイロットＣＳＩ‐ＲＳである。
【０１３２】
任意に、第２測定パイロットはＣＳＩ‐ＲＳである。
【０１３３】
本発明の実施形態の第４態様によれば、第２ネットワークデバイスが提供され、第２ネットワークデバイスは、
第１ネットワークデバイスにより送信された第１信号を受信するように構成される受信ユニットであって、第１信号は、第１信号に従って第１測定パイロットを決定すべく、第２ネットワークデバイスに用いられる、受信ユニットと、
第１信号に従って第１測定パイロットを決定するように構成される決定ユニットと、
第１測定パイロットを第１ネットワークデバイスに送信するように構成される送信ユニットと
を含み、
受信ユニットは、第１ネットワークデバイスにより送信された第１ＣＳＩを受信するようにさらに構成され、第１ＣＳＩは、第１ネットワークデバイスによって第１測定パイロットを測定することにより取得され、第１ＣＳＩは、チャネル品質指標ＣＱＩ、プリコーディング行列指標ＰＭＩ、ランク指標ＲＩ、及びポート選択情報のうちの少なくとも１つを含み、ポート選択情報は、第１測定パイロット内の複数のポートから第１ネットワークデバイスにより選択されたポートのポート番号を示すべく用いられる。
【０１３４】
任意に、第１信号はアップリンクサウンディング基準信号ＳＲＳであり、又は、第１信号は、第１ネットワークデバイスにより第２ネットワークデバイスに報告される第２ＣＳＩを含み、第２ＣＳＩは、第１ネットワークデバイスによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【０１３５】
任意に、第２ＣＳＩは、ＰＭＩ、ポート選択情報、及びサブバンド情報のうちの少なくとも１つを含み、第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【０１３６】
任意に、決定ユニットは、第１測定パイロットの構成情報を決定するようにさらに構成され、第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０１３７】
任意に、決定ユニットは、具体的には、第１信号に従って第１測定パイロットの構成情報を決定するように構成される。
【０１３８】
任意に、決定ユニットは、具体的には、受信ユニットにより最後に受信された第１信号に従って第１測定パイロットの構成情報を決定するように構成される。
【０１３９】
任意に、決定ユニットは、具体的には、
最後に受信した第１信号内のＰＭＩに従って第１測定パイロットのパイロットパターンを決定するように構成され、ＰＭＩとパイロットパターンの間に対応関係があり、又は、最後に受信した第１信号内のＲＩに従って第１測定パイロットのパイロットパターンを決定するように構成され、ＲＩとパイロットパターンとの間に対応関係がある。
【０１４０】
任意に、ＲＩが別のＲＩよりも低い場合、ＲＩに対応するパイロットパターンは、別のＲＩに対応するパイロットパターンのサブセットである。
【０１４１】
任意に、送信ユニットは、決定ユニットが第１測定パイロットの構成情報を決定した後に、第１シグナリングを第１ネットワークデバイスに送信するようにさらに構成され、第１シグナリングは、第１測定パイロットの構成情報を搬送し、
第１シグナリングは、より高い層のシグナリングであり、又は、第１シグナリングは、第１ネットワークデバイスに固有の動的なシグナリングであり、又は、第１シグナリングは、第１ネットワークデバイスのグループに固有の動的なシグナリングである。
【０１４２】
任意に、送信ユニットは、具体的には、第１ネットワークデバイスに固有の動的なシグナリングを物理ダウンリンク制御チャネルＰＤＣＣＨ又は拡張物理ダウンリンク制御チャネルＥＰＤＣＣＨに加えて、ＰＤＣＣＨ又はＥＰＤＣＣＨを第１ネットワークデバイスに送信するように構成される。
【０１４３】
任意に、第４態様の第７の可能な実施例において、第１ネットワークデバイスに固有の動的なシグナリングは、ＤＬ  ｇｒａｎｔシグナリング又はＵＬ  ｇｒａｎｔシグナリングである。
【０１４４】
任意に、送信ユニットは、具体的には、第１ネットワークデバイスのグループに固有の動的なシグナリングをＰＤＣＣＨ又はＥＰＤＣＣＨに加えて、ＰＤＣＣＨ又はＥＰＤＣＣＨを第１ネットワークデバイスに送信するように構成される。
【０１４５】
任意に、第４態様の第９の可能な実施例において、第１ネットワークデバイスのグループに固有の動的なシグナリングは、第１ネットワークデバイスが属するグループの識別子を用いることにより第２ネットワークデバイスによってスクランブリングを実行することにより取得される動的なシグナリングである。
【０１４６】
任意に、決定ユニットは、第１ネットワークデバイスにより送信された第１信号に従って、第１ネットワークデバイスが属するグループの識別子を決定するようにさらに構成され、
送信ユニットは、第１ネットワークデバイスが属するグループの識別子を、より高い層のシグナリングを用いることにより、第１ネットワークデバイスに送信するようにさらに構成される。
【０１４７】
任意に、送信ユニットは、第１ネットワークデバイスにより送信される第１信号を受信ユニットが受信する前に、第２測定パイロットを測定するよう第１ネットワークデバイスに指示すべく、第２測定パイロットを第１ネットワークデバイスに送信するようにさらに構成され、
送信ユニットは、第２シグナリングを第１ネットワークデバイスに送信するようにさらに構成され、第２シグナリングは、第２測定パイロットの構成情報を搬送し、
第２シグナリングは、半静的なシグナリングであり、又は、第２シグナリングは、第１ネットワークデバイスのグループに固有の動的なシグナリングであり、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含み、ＣＳＩ測定プロセスにおいて、第２測定パイロットの構成情報は、変化しないままである。
【０１４８】
任意に、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０１４９】
任意に、決定ユニットは、第１信号に従って、第１測定パイロットのポート数をＮとして決定するようにさらに構成される。
【０１５０】
任意に、決定ユニットは、第１信号及び第１マッピング関係に従って、第１測定パイロットの期間を決定するようにさらに構成され、第１マッピング関係は、第１測定パイロットのポート数と第１測定パイロットの期間との間の対応関係を示すべく用いられる。
【０１５１】
任意に、決定ユニットは、第１信号及び第２マッピング関係に従って、第１測定パイロットのシーケンス情報を決定するようにさらに構成され、第２マッピング関係は、第１測定パイロットのポート数と第１測定パイロットのシーケンス情報との間の対応関係を示すべく用いられる。
【０１５２】
任意に、第２測定パイロット及び第１測定パイロットは、異なるＣＳＩ測定プロセスに属する。
【０１５３】
任意に、第２測定パイロット及び第１測定パイロットは、同じＣＳＩ測定プロセスに属する。
【０１５４】
任意に、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【０１５５】
任意に、受信ユニットは、第１ネットワークデバイスにより報告された第３ＣＳＩをＣＳＩ測定プロセスにおいて受信し、第３ＣＳＩは、第１測定パイロットを測定することにより決定された第１ＣＳＩ、及び第２測定パイロットを測定することにより決定された第２ＣＳＩを含む。
【０１５６】
任意に、第１ＣＳＩは、第１ＲＩ、第１ＰＭＩ、及び第１ＣＱＩを含み、又は、第１ＣＳＩは、第１ＰＭＩ及び第１ＣＱＩを含み、
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【０１５７】
任意に、第２ＣＳＩは、第２ＲＩ及び第２ＰＭＩを含み、第２ＲＩ及び第２ＰＭＩは、同じ時点でフィードバックされ、又は第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされ、
第２ＣＱＩは、第２ＲＩ、及び第２ＰＭＩに対応するプリコーディング行列に従って決定され、第２ＲＩ及び第２ＰＭＩは、第２測定パイロットを測定することにより決定され、第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含み、二重コードブック構成は、Ｗ＝Ｗ１×Ｗ２であり、
【数８５】
0006690848.tif 000086
であり、Ｗ１は対角行列であり、Ｗ１は前記第１プリコーディング部分行列であり、Ｗ２は前記第２プリコーディング部分行列である。
【０１５８】
任意に、第２ＲＩ、第１プリコーディング部分行列に対応するインデックス、第２プリコーディング部分行列に対応するインデックス、及び第２ＣＳＩの第２ＣＱＩのうちの少なくとも１つは、結合符号化方式又は独立符号化方式で符号化され、第２ＲＩ、第１プリコーディング部分行列に対応するインデックス、第２プリコーディング部分行列に対応するインデックス、及び第２ＣＳＩの第２ＣＱＩのうちの少なくとも１つは、第１ネットワークデバイスによりフィードバックされ、かつ、同じ時点で受信ユニットにより受信される。
【０１５９】
任意に、第３ＣＳＩは、変更指標をさらに含み、変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【０１６０】
任意に、受信ユニットは、第１ネットワークデバイスによりフィードバックされる、変更フラグと、第２ＲＩ、第１プリコーディング部分行列に対応するインデックス、第２プリコーディング部分行列に対応するインデックス、及び第２ＣＱＩのうちの少なくとも１つとを同じ時点で受信するようにさらに構成され、又は、
受信ユニットは、変更フラグ、第２ＲＩ、及びプリコーディングタイプ指標ＰＴＩを同じ時点で受信するようにさらに構成され、変更フラグ及び第２ＲＩは、第１ネットワークデバイスによりフィードバックされる。
【０１６１】
任意に、第１ネットワークデバイスにより報告される変更フラグを受信ユニットが受信する前に、受信ユニットにより受信されるＣＳＩは、第１ネットワークデバイスによって第１測定パイロットのみを測定することにより取得される第１ＣＳＩであり、第１ネットワークデバイスにより報告された変更フラグを受信ユニットが受信した後に、受信ユニットにより受信されるＣＳＩは、第１ネットワークデバイスによって第２測定パイロットのみを測定することにより取得される第２ＣＳＩであり、又は、
第１ネットワークデバイスにより報告される変更フラグを受信ユニットが受信する前に、受信ユニットにより受信されたＣＳＩは、第１ネットワークデバイスによって第２測定パイロットのみを測定することにより取得される第２ＣＳＩであり、第１ネットワークデバイスにより報告された変更フラグを受信ユニットが受信した後に、受信ユニットにより受信されるＣＳＩは、第１ネットワークデバイスによって第１測定パイロットのみを測定することにより取得される第１ＣＳＩであり、又は、
第１ネットワークデバイスにより報告される変更フラグを受信ユニットが受信する前に、受信ユニットにより受信されるＣＳＩは、第１ネットワークデバイスによって第１測定パイロットのみを測定することにより取得される第１ＣＳＩであり、第１ネットワークデバイスにより報告された変更フラグを受信ユニットが受信した後に、受信ユニットにより受信されたＣＳＩは、第１ネットワークデバイスによって第１測定パイロットを測定することにより取得される第１ＣＳＩ、及び第１ネットワークデバイスによって第２測定パイロットを測定することにより取得される第２ＣＳＩを含み、又は、
第１ネットワークデバイスにより報告される変更フラグを受信ユニットが受信する前に、受信ユニットにより受信されるＣＳＩは、第１ネットワークデバイスによって第２測定パイロットのみを測定することにより取得され、第１ネットワークデバイスにおり報告された変更フラグを受信ユニットが受信した後に、受信ユニットにより受信されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含む。
【０１６２】
任意に、送信ユニットは、構成情報を第１ネットワークデバイスに送信するようにさらに構成され、構成情報は、第１測定パイロットに基づいて第１ＣＳＩを報告するよう第１ネットワークデバイスに指示すべく用いられ、又は、構成情報は、第２測定パイロットに基づいて第２ＣＳＩを報告するよう第１ネットワークデバイスに指示すべく用いられる。
【０１６３】
任意に、ＣＳＩ測定プロセスにおいて、第１測定パイロットの構成情報は可変である。
【０１６４】
任意に、ＣＳＩ測定プロセスにおいて、第１測定パイロットのポート数は可変である。
【０１６５】
任意に、第１ＣＳＩのＰＭＩはプリコーディング行列Ｗを含み、
ランクが１である場合、
【数８６】
0006690848.tif 000087
であり、
ランクが２である場合、
【数８７】
0006690848.tif 000088
であり、
ランクが３である場合、
【数８８】
0006690848.tif 000089
かつ、
【数８９】
0006690848.tif 000090
であり、
ランクが４である場合、
【数９０】
0006690848.tif 000091
かつ、
【数９１】
0006690848.tif 000092
であり、
ランクが５である場合、
【数９２】
0006690848.tif 000093
かつ、
【数９３】
0006690848.tif 000094
であり、
ランクが６である場合、
【数９４】
0006690848.tif 000095
かつ、
【数９５】
0006690848.tif 000096
であり、
ランクが７である場合、
【数９６】
0006690848.tif 000097
かつ、
【数９７】
0006690848.tif 000098
であり、
ランクが８である場合、
【数９８】
0006690848.tif 000099
かつ、
【数９９】
0006690848.tif 000100
であり、
Ｃは、プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、ｅｍのｍ番目の行は１であり、ｍ番目の行以外の行は０である。
【０１６６】
任意に、第１ＣＳＩのＰＭＩはプリコーディング行列Ｗを含み、
ランクが１である場合、
【数１００】
0006690848.tif 000101
であり、
ランクが２である場合、
【数１０１】
0006690848.tif 000102
であり、
ランクが３である場合、
【数１０２】
0006690848.tif 000103
であり、
ランクが４である場合、
【数１０３】
0006690848.tif 000104
であり、
ランクが５である場合、
【数１０４】
0006690848.tif 000105
であり、
ランクが６である場合、
【数１０５】
0006690848.tif 000106
であり、
ランクが７である場合、
【数１０６】
0006690848.tif 000107
であり、
ランクが８である場合、
【数１０７】
0006690848.tif 000108
かつ、
【数１０８】
0006690848.tif 000109
であり、
Ｃは、プリコーディング行列のコードブックであり、Ｍは、第２測定パイロットのポート数であり、ｅｍは、Ｍ次元単位列ベクトルであり、ｍ＝１，...Ｍであり、ｅｍのｍ番目の行は１であり、ｍ番目の行以外の行は０である。
【０１６７】
任意に、第２ＣＳＩに含まれるポート選択情報は、最良のＭ方式で表され、又は、第２ＣＳＩに含まれるポート選択情報は、ビットマップ方式で表され、最良のＭ方式において、Ｐ個のポートからのｒ番目のＱ組み合わせのインデックスは、
【数１０９】
0006690848.tif 000110
として表され、
【数１１０】
0006690848.tif 000111
は、ｘから選択されるｙの順列及び組み合わせの数を表し、
【数１１１】
0006690848.tif 000112
であり、
【数１１２】
0006690848.tif 000113
である。
【０１６８】
任意に、第１ネットワークデバイスはユーザ機器ＵＥであり、第２ネットワークデバイスは基地局であり、又は、
第１ネットワークデバイスはＵＥであり、第２ネットワークデバイスはＵＥであり、又は、
第１ネットワークデバイスは基地局であり、第２ネットワークデバイスは基地局である。
【０１６９】
任意に、第１測定パイロットはチャネル状態情報測定パイロットＣＳＩ‐ＲＳである。
【０１７０】
任意に、第２測定パイロットはＣＳＩ‐ＲＳである。
【０１７１】
本発明の実施形態の第５態様によれば、第１ネットワークデバイスが提供され、第１ネットワークデバイスは、
第１信号を第２ネットワークデバイスに送信するように構成される伝送機であって、第１信号は、第１信号に従って第１測定パイロットを決定して、第１測定パイロットを第１ネットワークデバイスに送信すべく、第２ネットワークデバイスに用いられる、伝送機と、
第２ネットワークデバイスにより送信された第１測定パイロットを受信するように構成される受信機と、
第１測定パイロットを測定して第１ＣＳＩを取得し、第１ＣＳＩを第２ネットワークデバイスに送信するように構成されるプロセッサであって、第１ＣＳＩは、チャネル品質指標ＣＱＩ、プリコーディング行列指標ＰＭＩ、ランク指標ＲＩ、及びポート選択情報のうちの少なくとも１つを含み、ポート選択情報は、第１測定パイロット内の複数のポートから第１ネットワークデバイスにより選択されたポートのポート番号を示すべく用いられる、プロセッサと
を含む。
【０１７２】
任意に、第１信号はアップリンクサウンディング基準信号ＳＲＳであり、又は、第１信号は、伝送機により第２ネットワークデバイスに送信される第２ＣＳＩを含み、第２ＣＳＩは、プロセッサによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【０１７３】
任意に、第２ＣＳＩは、ＰＭＩ、ポート選択情報、及びサブバンド情報のうちの少なくとも１つを含み、
第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【０１７４】
任意に、プロセッサは、第２ネットワークデバイスにより送信された第１測定パイロットを受信機が受信し、第１測定パイロットが測定される前に、第１測定パイロットの構成情報を決定するように構成され、第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０１７５】
任意に、プロセッサは、具体的には、第１信号に従って第１測定パイロットの構成情報を決定するように構成される。
【０１７６】
任意に、プロセッサは、具体的には、伝送機により第２ネットワークデバイスに最後に送信された第１信号に従って第１測定パイロットの構成情報を決定するように構成される。
【０１７７】
任意に、プロセッサは、具体的には、受信機により最後に受信された第１信号内のＰＭＩに従って第１測定パイロットのパイロットパターンを決定するように構成され、ＰＭＩとパイロットパターンの間に対応関係があり、又は、受信機により最後に受信された第１信号内のＲＩに従って第１測定パイロットのパイロットパターンを決定するように構成され、ＲＩとパイロットパターンとの間に対応関係がある。
【０１７８】
任意に、ＲＩが別のＲＩよりも低い場合、ＲＩに対応するパイロットパターンは、別のＲＩに対応するパイロットパターンのサブセットである。
【０１７９】
任意に、受信機は、第２ネットワークデバイスにより送信された第１シグナリングを受信するようにさらに構成され、第１シグナリングは、第１測定パイロットの構成情報を搬送し、
プロセッサは、第１シグナリングに従って第１測定パイロットの構成情報を決定するようにさらに構成され、
第１シグナリングは、より高い層のシグナリング、第１ネットワークデバイスに固有の動的なシグナリング、及び第１ネットワークデバイスのグループに固有の動的なシグナリングのうちの少なくとも１つである。
【０１８０】
任意に、第１ネットワークデバイスに固有の動的なシグナリングは、物理ダウンリンク制御チャネルＰＤＣＣＨ又は拡張物理ダウンリンク制御チャネルＥＰＤＣＣＨに加えられて送信される。
【０１８１】
任意に、第１ネットワークデバイスに固有の動的なシグナリングは、ＤＬ  ｇｒａｎｔシグナリング又はＵＬ  ｇｒａｎｔシグナリングである。
【０１８２】
任意に、第１ネットワークデバイスのグループに固有の動的なシグナリングは、ＰＤＣＣＨ又はＥＰＤＣＣＨに加えられて送信される。
【０１８３】
任意に、第５態様の第９の可能な実施例において、第１ネットワークデバイスのグループに固有に動的なシグナリングは、第１ネットワークデバイスが属するグループの識別子を用いることによりスクランブリングが実行された後に取得される動的なシグナリングである。
【０１８４】
任意に、プロセッサは、より高い層のシグナリングに従って、第１ネットワークデバイスが属するグループの識別子を決定し、第１ネットワークデバイスが属するグループの識別子に従って、第１ネットワークデバイスのグループに固有の動的なシグナリングから第１測定パイロットの構成情報を決定するようにさらに構成され、又は、より高い層のシグナリングに従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成され、第１信号に従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成される。
【０１８５】
任意に、プロセッサは、第２ＣＳＩに含まれるポート選択情報、及び第１マッピング関係に従って、第１ネットワークデバイスが属するグループの識別子を決定するようにさらに構成され、第１マッピング関係は、ポート番号と、第１ネットワークデバイスが属するグループの識別子との間の対応関係を示すべく用いられ、又は、第２ＣＳＩに含まれるサブバンド情報、及び第２マッピング関係に従って、第１ネットワークデバイスが属するグループの識別子を決定するようにさらに構成され、第２マッピング関係は、サブバンド情報と、第１ネットワークデバイスが属するグループの識別子との間の対応関係を示すべく用いられ、又は、
受信機は、第１ネットワークデバイスが属するグループの識別子を受信するようにさらに構成され、第１ネットワークデバイスが属するグループの識別子は、第２ネットワークデバイスにより送信され、かつ、第１信号に従って第２ネットワークデバイスにより決定される。
【０１８６】
任意に、受信機は、伝送機が第１信号を第２ネットワークデバイスに送信する前に、第２ネットワークデバイスにより送信された第２測定パイロットを受信するようにさらに構成され、
プロセッサは、第２測定パイロットを測定して第２ＣＳＩを取得し、第２ＣＳＩに従って第１信号を決定するようにさらに構成される。
【０１８７】
任意に、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０１８８】
任意に、プロセッサは、Ｍ個の第２測定パイロットを測定し、降順にＭ個の第２測定パイロットの信号品質をソートし、最も高い信号品質の第２測定パイロットに対応している最も高い信号品質の第１のＮ個のポート番号を選択するようにさらに構成される。
【０１８９】
任意に、プロセッサは、第１信号に従って、第１測定パイロットのポート数をＮとしてとして決定するようにさらに構成される。
【０１９０】
任意に、プロセッサは、第１信号及び第３マッピング関係に従って、第１測定パイロットの期間を決定するようにさらに構成され、第３マッピング関係は、第１測定パイロットのポート数と第１測定パイロットの期間との間の対応関係を示すべく用いられる。
【０１９１】
任意に、プロセッサは、第１信号及び第４マッピング関係に従って、第１測定パイロットのシーケンス情報を決定するようにさらに構成され、第４マッピング関係は、第１測定パイロットのポート数と第１測定パイロットのシーケンス情報との間の対応関係を示すべく用いられる。
【０１９２】
任意に、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含み、ＣＳＩ測定プロセスにおいて、第２測定パイロットの構成情報は、変化しないままである。
【０１９３】
任意に、受信機は、プロセッサが第２測定パイロットを測定する前に、第２ネットワークデバイスにより送信された第２シグナリングを受信するようにさらに構成され、第２シグナリングは、第２測定パイロットの構成情報を搬送し、
プロセッサは、第２シグナリングに従って第１測定パイロットの構成情報を決定するようにさらに構成され、
第２シグナリングは、半静的なシグナリングであり、第２シグナリングは、第１ネットワークデバイスのグループに固有の動的なシグナリングである。
【０１９４】
任意に、第２測定パイロット及び第１測定パイロットは、異なるＣＳＩ測定プロセスに属する。
【０１９５】
任意に、第２測定パイロット及び第１測定パイロットは、同じＣＳＩ測定プロセスに属する。
【０１９６】
任意に、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【０１９７】
任意に、第２ネットワークデバイスは、第１ネットワークデバイスにより報告された第３ＣＳＩをＣＳＩ測定プロセスにおいて受信し、第３ＣＳＩは、第１測定パイロットを測定することにより決定された第１ＣＳＩ、及び第２測定パイロットを測定することにより決定された第２ＣＳＩを含む。
【０１９８】
任意に、第１ＣＳＩは、第１ＲＩ、第１ＰＭＩ、及び第１ＣＱＩを含み、又は、第１ＣＳＩは、第１ＰＭＩ及び第１ＣＱＩを含み、
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【０１９９】
任意に、第２ＣＳＩは、第２ＲＩ及び第２ＰＭＩを含み、第２ＲＩ及び第２ＰＭＩは、同じ時点でフィードバックされ、又は第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされ、
第２ＣＱＩは、第２ＲＩ、及び第２ＰＭＩに対応するプリコーディング行列に従って決定され、第２ＲＩ及び第２ＰＭＩは、第２測定パイロットを測定することにより決定され、第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含み、二重コードブック構成は、Ｗ＝Ｗ１×Ｗ２であり、
【数１１３】
0006690848.tif 000114
であり、Ｗ１は対角行列であり、Ｗ１は前記第１プリコーディング部分行列であり、Ｗ２は前記第２プリコーディング部分行列である。
【０２００】
任意に、伝送機が、第２ＲＩ、第１プリコーディング部分行列に対応するインデックス、第２プリコーディング部分行列に対応するインデックス、及び第２ＣＳＩ内の第２ＣＱＩのうちの少なくとも１つを同じ時点で第２ネットワークデバイスにフィードバックするようにさらに構成されるとき、プロセッサは、結合符号化方式又は独立符号化方式で、伝送機により送信される情報をコード化する。
【０２０１】
任意に、第３ＣＳＩは、変更指標をさらに含み、変更指標は、第１測定パイロットを測定して第１ＣＳＩを取得するようプロセッサに指示すべく用いられ、伝送機は、第１ＣＳＩを第２ネットワークデバイスにフィードバックし、又は、変更指標は、第２測定パイロットを測定して第２ＣＳＩを取得するようプロセッサに指示すべく用いられ、伝送機は、第２ＣＳＩを第２ネットワークデバイスにフィードバックし、又は、
変更指標は、第１測定パイロットを測定して第１ＣＳＩを取得し、第２測定パイロットを測定してZ第２ＣＳＩを取得するようプロセッサに指示すべく用いられ、伝送機は、第１ＣＳＩ及び第２ＣＳＩを第２ネットワークデバイスにフィードバックする。
【０２０２】
任意に、伝送機は、変更フラグと、第２ＲＩ、第１プリコーディング部分行列に対応するインデックス、第２プリコーディング部分行列に対応するインデックス、及び第２ＣＱＩのうちの少なくとも１つとを同じ時点で第２ネットワークデバイスにフィードバックするようにさらに構成され、又は、伝送機は、変更フラグ、第２ＲＩ、プリコーディングタイプ指標ＰＴＩを同じ時点で第２ネットワークデバイスにフィードバックするようにさらに構成される。
【０２０３】
任意に、プロセッサは、伝送機が変更フラグを第２ネットワークデバイスに報告する前に、第１測定パイロットのみを測定して第１ＣＳＩをフィードバックし、伝送機が変更フラグを第２ネットワークデバイスに報告した後、第２測定パイロットのみを測定して第２ＣＳＩをフィードバックするようにさらに構成され、又は、
プロセッサは、伝送機が変更フラグを第２ネットワークデバイスに報告する前に、第２測定パイロットのみを測定して第２ＣＳＩを報告し、伝送機が変更フラグを第２ネットワークデバイスに報告した後に、第１測定パイロットのみを測定して第１ＣＳＩをフィードバックするようにさらに構成される。
【０２０４】
任意に、プロセッサは、伝送機が変更フラグを第２ネットワークデバイスにフィードバックする前に、第１測定パイロットのみを測定して第１ＣＳＩをフィードバックし、伝送機が変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成され、又は、
プロセッサは、伝送機が変更フラグを第２ネットワークデバイスにフィードバックする前に、第２測定パイロットのみを測定して第２ＣＳＩをフィードバックし、伝送機が変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成される。
【０２０５】
任意に、受信機は、第２ネットワークデバイスにより送信された構成情報を受信するようにさらに構成され、構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０２０６】
任意に、ＣＳＩ測定プロセスにおいて、第１測定パイロットの構成情報は可変である。
【０２０７】
任意に、ＣＳＩ測定プロセスにおいて、第１測定パイロットのポート数は可変である。
【０２０８】
任意に、第１ＣＳＩのＰＭＩはプリコーディング行列Ｗを含み、
ランクが１である場合、
【数１１４】
0006690848.tif 000115
であり、
ランクが２である場合、
【数１１５】
0006690848.tif 000116
であり、
ランクが３である場合、
【数１１６】
0006690848.tif 000117
かつ、
【数１１７】
0006690848.tif 000118
であり、
ランクが４である場合、
【数１１８】
0006690848.tif 000119
かつ、
【数１１９】
0006690848.tif 000120
であり、
ランクが５である場合、
【数１２０】
0006690848.tif 000121
かつ、
【数１２１】
0006690848.tif 000122
であり、
ランクが６である場合、
【数１２２】
0006690848.tif 000123
かつ、
【数１２３】
0006690848.tif 000124
であり、
ランクが７である場合、
【数１２４】
0006690848.tif 000125
かつ、
【数１２５】
0006690848.tif 000126
であり、
ランクが８である場合、
【数１２６】
0006690848.tif 000127
かつ、
【数１２７】
0006690848.tif 000128
であり、
Ｃは、プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、ｅｍのｍ番目の行は１であり、ｍ番目の行以外の行は０である。
【０２０９】
任意に、第１ＣＳＩのＰＭＩはプリコーディング行列Ｗを含み、
ランクが１である場合、
【数１２８】
0006690848.tif 000129
であり、
ランクが２である場合、
【数１２９】
0006690848.tif 000130
であり、
ランクが３である場合、
【数１３０】
0006690848.tif 000131
であり、
ランクが４である場合、
【数１３１】
0006690848.tif 000132
であり、
ランクが５である場合、
【数１３２】
0006690848.tif 000133
であり、
ランクが６である場合、
【数１３３】
0006690848.tif 000134
であり、
ランクが７である場合、
【数１３４】
0006690848.tif 000135
であり、
ランクが８である場合、
【数１３５】
0006690848.tif 000136
かつ、
【数１３６】
0006690848.tif 000137
であり、
Ｃは、プリコーディング行列のコードブックであり、Ｍは、第２測定パイロットのポート数であり、ｅｍは、Ｍ次元単位列ベクトルであり、ｍ＝１，...Ｍであり、ｅｍのｍ番目の行は１であり、ｍ番目の行以外の行は０である。
【０２１０】
任意に、第２ＣＳＩに含まれるポート選択情報は、最良のＭ方式で表され、最良のＭ方式において、Ｐ個のポートからのｒ番目のＱ組み合わせのインデックスは、
【数１３７】
0006690848.tif 000138
として表され、
【数１３８】
0006690848.tif 000139
は、ｙから選択されるｘの順列及び組み合わせの数を表し、
【数１３９】
0006690848.tif 000140
であり、
【数１４０】
0006690848.tif 000141
である。
【０２１１】
任意に、第２ＣＳＩに含まれるポート選択情報はビットマップ方式で表される。
【０２１２】
任意に、第１ネットワークデバイスはユーザ機器ＵＥであり、第２ネットワークデバイスは基地局であり、又は、
第１ネットワークデバイスはＵＥであり、第２ネットワークデバイスはＵＥであり、又は、
第１ネットワークデバイスは基地局であり、第２ネットワークデバイスは基地局である。
【０２１３】
任意に、第１測定パイロットはチャネル状態情報測定パイロットＣＳＩ‐ＲＳである。
【０２１４】
任意に、第２測定パイロットはＣＳＩ‐ＲＳである。
【０２１５】
本発明の実施形態の第６態様によれば、第２ネットワークデバイスが提供され、第２ネットワークデバイスは、
第１ネットワークデバイスにより送信された第１信号を受信するように構成される受信機であって、第１信号は、第１信号に従って第１測定パイロットを決定すべく、第２ネットワークデバイスに用いられる、受信機と、
第１信号に従って第１測定パイロットを決定するように構成されるプロセッサと、
第１測定パイロットを第１ネットワークデバイスに送信するように構成される伝送機と
を含み、
受信機は、第１ネットワークデバイスにより送信された第１ＣＳＩを受信するようにさらに構成され、第１ＣＳＩは、第１ネットワークデバイスによって第１測定パイロットを測定することにより取得され、第１ＣＳＩは、チャネル品質指標ＣＱＩ、プリコーディング行列指標ＰＭＩ、ランク指標ＲＩ、及びポート選択情報のうちの少なくとも１つを含み、ポート選択情報は、第１測定パイロット内の複数のポートから第１ネットワークデバイスにより選択されたポートのポート番号を示すべく用いられる。
【０２１６】
任意に、第１信号はアップリンクサウンディング基準信号ＳＲＳであり、又は、第１信号は、第１ネットワークデバイスにより第２ネットワークデバイスに報告される第２ＣＳＩを含み、第２ＣＳＩは、第１ネットワークデバイスによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【０２１７】
任意に、プロセッサは、第１測定パイロットの構成情報を決定するようにさらに構成され、第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０２１８】
任意に、プロセッサは、具体的には、第１信号に従って第１測定パイロットの構成情報を決定するように構成される。
【０２１９】
任意に、プロセッサは、具体的には、受信機により最後に受信された第１信号に従って第１測定パイロットの構成情報を決定するように構成される。
【０２２０】
任意に、プロセッサは、具体的には、
受信機により最後に受信された第１信号内のＰＭＩに従って第１測定パイロットのパイロットパターンを決定するように構成され、ＰＭＩとパイロットパターンの間に対応関係があり、又は、受信機により最後に受信された第１信号内のＲＩに従って第１測定パイロットのパイロットパターンを決定するように構成され、ＲＩとパイロットパターンとの間に対応関係がある。
【０２２１】
任意に、ＲＩが別のＲＩよりも低い場合、ＲＩに対応するパイロットパターンは、別のＲＩに対応するパイロットパターンのサブセットである。
【０２２２】
任意に、伝送機は、プロセッサが第１測定パイロットの構成情報を決定した後に、第１シグナリングを第１ネットワークデバイスに送信するようにさらに構成され、第１シグナリングは、第１測定パイロットの構成情報を搬送し、
第１シグナリングは、より高い層のシグナリングであり、又は、第１シグナリングは、第１ネットワークデバイスに固有の動的なシグナリングであり、又は、第１シグナリングは、第１ネットワークデバイスのグループに固有の動的なシグナリングである。
【０２２３】
任意に、伝送機は、具体的には、第１ネットワークデバイスに固有の動的なシグナリングを物理ダウンリンク制御チャネルＰＤＣＣＨ又は拡張物理ダウンリンク制御チャネルＥＰＤＣＣＨに加えて、ＰＤＣＣＨ又はＥＰＤＣＣＨを第１ネットワークデバイスに送信するように構成される。
【０２２４】
任意に、第１ネットワークデバイスに固有の動的なシグナリングは、ＤＬ  ｇｒａｎｔシグナリング又はＵＬ  ｇｒａｎｔシグナリングである。
【０２２５】
任意に、伝送機は、具体的には、第１ネットワークデバイスのグループに固有の動的なシグナリングをＰＤＣＣＨ又はＥＰＤＣＣＨに加えて、ＰＤＣＣＨ又はＥＰＤＣＣＨを第１ネットワークデバイスに送信するように構成される。
【０２２６】
任意に、第６態様の第９の可能な実施例において、第１ネットワークデバイスのグループに固有の動的なシグナリングは、第１ネットワークデバイスが属するグループの識別子を用いることにより第２ネットワークデバイスによってスクランブリングを実行することにより取得される動的なシグナリングである。
【０２２７】
任意に、プロセッサは、第１ネットワークデバイスにより送信された第１信号に従って、第１ネットワークデバイスが属するグループの識別子を決定するようにさらに構成され、
伝送機は、第１ネットワークデバイスが属するグループの識別子を、より高い層のシグナリングを用いることにより、第１ネットワークデバイスに送信するようにさらに構成される。
【０２２８】
任意に、伝送機は、第１ネットワークデバイスにより送信される第１信号を受信機が受信する前に、第２測定パイロットを測定するよう第１ネットワークデバイスに指示すべく、第２測定パイロットを第１ネットワークデバイスに送信するようにさらに構成され、
伝送機は、第２シグナリングを第１ネットワークデバイスに送信するようにさらに構成され、第２シグナリングは、第２測定パイロットの構成情報を搬送し、
第２シグナリングは、半静的なシグナリングであり、又は、第２シグナリングは、第１ネットワークデバイスのグループに固有の動的なシグナリングであり、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含み、ＣＳＩ測定プロセスにおいて、第２測定パイロットの構成情報は、変化しないままである。
【０２２９】
任意に、第２ＣＳＩは、ＰＭＩ、ポート選択情報、及びサブバンド情報のうちの少なくとも１つを含み、第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【０２３０】
任意に、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０２３１】
任意に、プロセッサは、第１信号に従って、第１測定パイロットのポート数をＮとして決定するようにさらに構成される。
【０２３２】
任意に、プロセッサは、第１信号及び第１マッピング関係に従って、第１測定パイロットの期間を決定するようにさらに構成され、第１マッピング関係は、第１測定パイロットのポート数と第１測定パイロットの期間との間の対応関係を示すべく用いられる。
【０２３３】
任意に、プロセッサは、第１信号及び第２マッピング関係に従って、第１測定パイロットのシーケンス情報を決定するようにさらに構成され、第２マッピング関係は、第１測定パイロットのポート数と第１測定パイロットのシーケンス情報との間の対応関係を示すべく用いられる。
【０２３４】
任意に、第２測定パイロット及び第１測定パイロットは、異なるＣＳＩ測定プロセスに属する。
【０２３５】
任意に、第２測定パイロット及び第１測定パイロットは、同じＣＳＩ測定プロセスに属する。
【０２３６】
任意に、第１ＣＳＩは、第１ＲＩ、第１ＰＭＩ、及び第１ＣＱＩを含み、又は、
第１ＣＳＩは、第１ＰＭＩ及び第１ＣＱＩを含み、
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【０２３７】
任意に、第２ＣＳＩは、第２ＲＩ及び第２ＰＭＩを含み、第２ＲＩ及び第２ＰＭＩは、同じ時点でフィードバックされ、又は第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応するプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされ、
第２ＣＱＩは、第２ＲＩ、及び第２ＰＭＩに対応するプリコーディング行列に従って決定され、第２ＲＩ及び第２ＰＭＩは、第２測定パイロットを測定することにより決定され、第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含み、二重コードブック構成は、Ｗ＝Ｗ１×Ｗ２であり、
【数１４１】
0006690848.tif 000142
であり、Ｗ１は対角行列であり、Ｗ１は前記第１プリコーディング部分行列であり、Ｗ２は前記第２プリコーディング部分行列である。
【０２３８】
任意に、受信機が、第１ネットワークデバイスによりフィードバックされた第２ＲＩ、第１プリコーディング部分行列に対応するインデックス、第２プリコーディング部分行列に対応するインデックス、及び第２ＣＳＩの第２ＣＱＩのうちの少なくとも１つを同じ時点で受信したとき、受信機により受信されたフィードバック情報は、結合符号化方式又は独立符号化方式で符号化される。
【０２３９】
任意に、第３ＣＳＩは、変更指標をさらに含み、
変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【０２４０】
任意に、受信機は、第１ネットワークデバイスによりフィードバックされる、変更フラグと、第２ＲＩ、第１プリコーディング部分行列に対応するインデックス、第２プリコーディング部分行列に対応するインデックス、及び第２ＣＱＩのうちの少なくとも１つとを同じ時点で受信するようにさらに構成され、又は、受信機は、変更フラグ、第２ＲＩ、及びプリコーディングタイプ指標ＰＴＩを同じ時点で受信するようにさらに構成され、変更フラグ及び第２ＲＩは第１ネットワークデバイスによりフィードバックされる。
【０２４１】
任意に、第１ネットワークデバイスにより報告される変更フラグを受信機が受信する前に、受信機により受信されるＣＳＩは、第１ネットワークデバイスによって第１測定パイロットのみを測定することにより取得された第１ＣＳＩであり、第１ネットワークデバイスにより報告された変更フラグを受信機が受信した後に、受信機により受信されるＣＳＩは、第１ネットワークデバイスによって第２測定パイロットのみを測定することにより取得される第２ＣＳＩであり、又は、
第１ネットワークデバイスにより報告される変更フラグを受信機が受信する前に、受信機により受信されるＣＳＩは、第１ネットワークデバイスによって第２測定パイロットのみを測定することにより取得される第２ＣＳＩであり、第１ネットワークデバイスにより報告された変更フラグを受信機が受信した後に、受信機により受信されるＣＳＩは、第１ネットワークデバイスによって第１測定パイロットのみを測定することにより取得される第１ＣＳＩであり、又は、
第１ネットワークデバイスにより報告される変更フラグを受信機が受信する前に、受信機により受信されるＣＳＩは、第１ネットワークデバイスによって第１測定パイロットのみを測定することにより取得される第１ＣＳＩであり、第１ネットワークデバイスにより報告された変更フラグを受信機が受信した後に、受信機により受信されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含み、又は、
第１ネットワークデバイスにより報告される変更フラグを受信機が受信する前に、受信機により受信されるＣＳＩは、第１ネットワークデバイスによって第２測定パイロットのみを測定することにより取得され、第１ネットワークデバイスにより報告された変更フラグを受信機が受信した後に、受信機により受信されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含む。
【０２４２】
任意に、伝送機は、構成情報を第１ネットワークデバイスに送信するようにさらに構成され、
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０２４３】
任意に、ＣＳＩ測定プロセスにおいて、第１測定パイロットの構成情報は可変である。
【０２４４】
任意に、ＣＳＩ測定プロセスにおいて、第１測定パイロットのポート数は可変である。
【０２４５】
任意に、第１ＣＳＩのＰＭＩはプリコーディング行列Ｗを含み、
ランクが１である場合、
【数１４２】
0006690848.tif 000143
であり、
ランクが２である場合、
【数１４３】
0006690848.tif 000144
であり、
ランクが３である場合、
【数１４４】
0006690848.tif 000145
かつ、
【数１４５】
0006690848.tif 000146
であり、
ランクが４である場合、
【数１４６】
0006690848.tif 000147
かつ、
【数１４７】
0006690848.tif 000148
であり、
ランクが５である場合、
【数１４８】
0006690848.tif 000149
かつ、
【数１４９】
0006690848.tif 000150
であり、
ランクが６である場合、
【数１５０】
0006690848.tif 000151
かつ、
【数１５１】
0006690848.tif 000152
であり、
ランクが７である場合、
【数１５２】
0006690848.tif 000153
かつ、
【数１５３】
0006690848.tif 000154
であり、
ランクが８である場合、
【数１５４】
0006690848.tif 000155
かつ、
【数１５５】
0006690848.tif 000156
であり、
Ｃは、プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、ｅｍのｍ番目の行は１であり、ｍ番目の行以外の行は０である。
【０２４６】
任意に、第１ＣＳＩのＰＭＩはプリコーディング行列Ｗを含み、
ランクが１である場合、
【数１５６】
0006690848.tif 000157
であり、
ランクが２である場合、
【数１５７】
0006690848.tif 000158
であり、
ランクが３である場合、
【数１５８】
0006690848.tif 000159
であり、
ランクが４である場合、
【数１５９】
0006690848.tif 000160
であり、
ランクが５である場合、
【数１６０】
0006690848.tif 000161
であり、
ランクが６である場合、
【数１６１】
0006690848.tif 000162
であり、
ランクが７である場合、
【数１６２】
0006690848.tif 000163
であり、
ランクが８である場合、
【数１６３】
0006690848.tif 000164
かつ、
【数１６４】
0006690848.tif 000165
であり、
Ｃは、プリコーディング行列のコードブックであり、Ｍは、第２測定パイロットのポート数であり、ｅｍは、Ｍ次元単位列ベクトルであり、ｍ＝１，...Ｍであり、ｅｍのｍ番目の行は１であり、ｍ番目の行以外の行は０である。
【０２４７】
任意に、第２ＣＳＩに含まれるポート選択情報は、最良のＭ方式で表され、又は、第２ＣＳＩに含まれるポート選択情報は、ビットマップ方式で表され、最良のＭ方式において、Ｐ個のポートからのｒ番目のＱ組み合わせのインデックスは、
【数１６５】
0006690848.tif 000166
として表され、
【数１６６】
0006690848.tif 000167
は、ｘから選択されるｙの順列及び組み合わせの数を表し、
【数１６７】
0006690848.tif 000168
であり、
【数１６８】
0006690848.tif 000169
である。
【０２４８】
任意に、第１ネットワークデバイスはユーザ機器ＵＥであり、第２ネットワークデバイスは基地局であり、又は、
第１ネットワークデバイスはＵＥであり、第２ネットワークデバイスはＵＥであり、又は、
第１ネットワークデバイスは基地局であり、第２ネットワークデバイスは基地局である。
【０２４９】
任意に、第１測定パイロットはチャネル状態情報測定パイロットＣＳＩ‐ＲＳである。
【０２５０】
任意に、第２測定パイロットはＣＳＩ‐ＲＳである。
【０２５１】
本発明の実施形態で提供されるＣＳＩ測定及びフィードバック方法及びデバイスによれば、第２ネットワークデバイスにより送信される第１測定パイロットを第１ネットワークデバイスが受信する前に、第１ネットワークデバイスは、第１信号を第２ネットワークデバイスに送信し、第１信号は、第１信号に従って第１測定パイロットを決定すべく、第２ネットワークデバイスに用いられる。故に、第１測定パイロットは、第１信号の内容の変化と共に変化する、すなわち、本発明の実施形態における第１測定パイロットは可変である。第１ネットワークデバイスがＵＥであり、かつ、第２ネットワークデバイスが基地局であるとき、ＵＥにより測定される第１測定パイロットは、第１信号に従って基地局により決定される測定パイロットである。従来技術における基地局により構成される固定された測定パイロットと比較して、本発明の実施形態における第１測定パイロットは、基地局により適応的に構成される。故に、ＵＥが測定パイロットを測定してフィードバックを提供するときに柔軟性に欠けるという従来技術の課題が、本発明の実施形態における方法を用いることで解消され得る。
【図面の簡単な説明】
【０２５２】
本発明の実施形態又は従来技術における技術的解決法をより明確に説明すべく、実施形態又は従来技術を説明するために必要な添付の図面を以下で簡潔に説明する。以下の説明における添付の図面は、本発明のいくつかの実施形態を示しているに過ぎず、当業者であれば、創造努力なしでこれら添付の図面から他の図面をさらに導き出し得ることは明らかである。
【０２５３】
【図１】本発明の実施形態に係るＣＳＩ測定及びフィードバック方法のフローチャートである。
【０２５４】
【図２】本発明の実施形態に係る別のＣＳＩ測定及びフィードバック方法のフローチャートである。
【０２５５】
【図３】本発明の実施形態に係る別のＣＳＩ測定及びフィードバック方法のフローチャートである。
【０２５６】
【図４】本発明の実施形態に係る別のＣＳＩ測定及びフィードバック方法のフローチャートである。
【０２５７】
【図５】本発明の実施形態に係る第２測定パイロット及び第１測定パイロットの概略図である。
【０２５８】
【図６】本発明の実施形態に係る第２測定パイロット及び第１測定パイロットのシーケンス図の概略図である。
【０２５９】
【図７】本発明の実施形態に係る別のＣＳＩ測定及びフィードバック方法のフローチャートである。
【０２６０】
【図８】本発明の実施形態に係る第１ネットワークデバイスの概略構成図である。
【０２６１】
【図９】本発明の実施形態に係る別の第１ネットワークデバイスの概略構成図である。
【０２６２】
【図１０】本発明の実施形態に係る第２ネットワークデバイスの概略構成図である。
【０２６３】
【図１１】本発明の実施形態に係る別の第１ネットワークデバイスの概略構成図である。
【０２６４】
【図１２】本発明の実施形態に係る別の第２ネットワークデバイスの概略構成図である。
【０２６５】
【図１３】本発明の実施形態に係る測定パイロットの概略図である。
【０２６６】
【図１４】本発明の実施形態に係るリソース分布の概略図である。
【０２６７】
【図１５】本発明の実施形態に係る別の測定パイロットの概略図である。
【０２６８】
【図１６】本発明の実施形態に係る別の測定パイロットの概略図である。
【０２６９】
【図１７】本発明の実施形態に係る第２ＣＳＩ及び第１ＣＳＩのシーケンス図の概略図である。
【０２７０】
【図１８】本発明の実施形態に係る第２ＣＳＩ及び第１ＣＳＩのシーケンス図の概略図である。
【０２７１】
【図１９】本発明の実施形態に係る第２ＣＳＩ及び第１ＣＳＩのシーケンス図の概略図である。
【発明を実施するための形態】
【０２７２】
以下では、本発明の実施形態における添付の図面を参照して、本発明の実施形態における技術的解決法を明確かつ完全に説明する。説明される実施形態は、本発明の実施形態の一部に過ぎず、全てでないことは明らかである。創造努力なく本発明の実施形態に基づいて当業者により得られる全ての他の実施形態が、本発明の保護範囲に含まれるものとする。
【０２７３】
本明細書で説明される様々な技術は、ロングタームエボリューション（英語：Ｌｏｎｇ  Ｔｅｒｍ  Ｅｖｏｌｕｔｉｏｎ、略してＬＴＥ）システム、ＬＴＥ−アドバンスト（英語：ＬＴＥ‐Ａｄｖａｎｃｅｄ、略してＬＴＥ‐Ａ）システム、及びこのタイプの別の通信システムのような、様々な無線通信システムに適用され得る。
【０２７４】
本明細書は、端末及び／又は基地局を参照して、様々な態様を説明する。
【０２７５】
ユーザ機器（英語：Ｕｓｅｒ  Ｅｑｕｉｐｍｅｎｔ、略してＵＥ）は、無線端末又は有線端末であってよい。無線端末は、ユーザに音声及び／又はデータ接続を提供するデバイス、無線接続機能を有するハンドヘルドデバイス、又は、ワイヤレスモデムに接続される別の処理デバイスであってよい。無線端末は、無線アクセスネットワーク（英語：Ｒａｄｉｏ  Ａｃｃｅｓｓ  Ｎｅｔｗｏｒｋ、略してＲＡＮ）を用いることにより１又は複数のコアネットワークと通信し得る。無線端末は、モバイルフォン（「セルラー」フォンとも称される）のようなモバイル端末であってよく、モバイル端末を有するコンピュータは、例えば、ポータブル、ポケットサイズ、ハンドヘルド、コンピュータ内蔵、又は車載モバイル装置であってよく、それは、無線アクセスネットワークで音声及び／又はデータを交換する。それは、例えば、パーソナル通信サービス（英語：Ｐｅｒｓｏｎａｌ  Ｃｏｍｍｕｎｉｃａｔｉｏｎ  Ｓｅｒｖｉｃｅ、略してＰＣＳ）電話、コードレス電話セット、セッション開始プロトコル（英語：Ｓｅｓｓｉｏｎ  Ｉｎｉｔｉａｔｉｏｎ  Ｐｒｏｔｏｃｏｌ、略してＳＩＰ）電話、無線ローカルループ（英語：Ｗｉｒｅｌｅｓｓ  Ｌｏｃａｌ  Ｌｏｏｐ、略してＷＬＬ）ステーション、又はパーソナルデジタルアシスタント（英語：Ｐｅｒｓｏｎａｌ  Ｄｉｇｉｔａｌ  Ａｓｓｉｓｔａｎｔ、略してＰＤＡ）のようなデバイスであってよい。無線端末は、加入者ユニット（英語、Ｓｕｂｓｃｒｉｂｅｒ  Ｕｎｉｔ）、加入者ステーション（英語：Ｓｕｂｓｃｒｉｂｅｒ  Ｓｔａｔｉｏｎ）、移動局（英語：Ｍｏｂｉｌｅ  Ｓｔａｔｉｏｎ）、モバイル（英語：Ｍｏｂｉｌｅ）、リモートステーション（英語：Ｒｅｍｏｔｅ  Ｓｔａｔｉｏｎ）、アクセスポイント（英語、Ａｃｃｅｓｓ  Ｐｏｉｎｔ、略してＡＰ）、リモートターミナル（英語：Ｒｅｍｏｔｅ  Ｔｅｒｍｉｎａｌ）、アクセスターミナル（英語：Ａｃｃｅｓｓ  Ｔｅｒｍｉｎａｌ）、ユーザ端末（英語：Ｕｓｅｒ  Ｔｅｒｍｉｎａｌ）、ユーザエージェント（Ｕｓｅｒ  Ａｇｅｎｔ）等とも称され得る。
【０２７６】
基地局（例えば、アクセスポイント）は、アクセスネットワーク内のエアーインタフェースにおいて１又は複数のセクタを用いることにより無線端末と通信するデバイスであってよい。基地局は、受信した無線フレームと、インターネットプロトコル（英語、Ｉｎｔｅｒｎｅｔ  Ｐｒｏｔｏｃｏｌ、略してＩＰ）パケットとの間の変換を実行し、無線端末とアクセスネットワークの残りの部分との間のルータとしての機能を果たすように構成されてよく、アクセスネットワークの残りの部分は、ＩＰネットワークを含んでよい。基地局は、エアーインタフェースの属性管理をさらに調整してよい。例えば、基地局は、ＬＴＥシステム内の進化型基地局（英語、ｅｖｏｌｕｔｉｏｎａｌ  Ｎｏｄｅ  Ｂ、略してｅＮＢ又はｅ‐ＮｏｄｅＢ）であってよく、本発明において制限が課されることはない。
【０２７７】
さらに、「システム」及び「ネットワーク」という用語は、本明細書において互換的に用いられてよい。
【０２７８】
本発明の実施形態は、ＣＳＩ測定及びフィードバック方法を提供する。図１に示されるように、方法は、以下の段階を含む。
【０２７９】
Ｓ１０１、第１ネットワークデバイスは、第１信号を第２ネットワークデバイスに送信する。
【０２８０】
第１信号は、第１信号に従って第１測定パイロットを決定し、第１測定パイロットを第１ネットワークデバイスに送信すべく、第２ネットワークデバイスに用いられる。
【０２８１】
任意に、第１ネットワークデバイスはＵＥであり、第２ネットワークデバイスは基地局であり、又は、第１ネットワークデバイスはＵＥであり、第２ネットワークデバイスはＵＥであり、又は、第１ネットワークデバイスは基地局であり、第２ネットワークデバイスは基地局である。第１ネットワークデバイス及び第２ネットワークデバイスは、他の複数の形態におけるネットワークデバイスであってよく、本明細書において、本発明の本実施形態における第１ネットワークデバイス及び第２ネットワークデバイスの特定の形態に制限が課されることはない。
【０２８２】
任意に、第１信号は、第１ネットワークデバイスにより第２ネットワークデバイスに送信されるアップリンク信号、例えば、アップリンクサウンディング基準信号（英語：Ｓｏｕｎｄｉｎｇ  Ｒｅｆｅｒｅｎｃｅ  Ｓｉｇｎａｌ、略してＳＲＳ）を含んでよく、又は、第１信号は、第２ネットワークデバイスにより送信されるダウンリンク信号を、第１ネットワークデバイスによって測定した結果を含んでよい。本明細書において、アップリンクは、第１ネットワークデバイスから第２ネットワークデバイスへ向かい、ダウンリンクは、第２ネットワークデバイスから第１ネットワークデバイスへ向かう。本明細書において、本発明の本実施形態におけるアップリンク信号の具体的な内容、ダウンリンク信号の具体的な内容、及び第１信号の具体的な内容に制限が課されることはない。
【０２８３】
アップリンク及びダウンリンクチャネルが対称であるシナリオにおいて、第１信号は、第１ネットワークデバイスにより第２ネットワークデバイスに送信されるアップリンク信号であってよく、第２ネットワークデバイスは、アップリンク信号に従ってダウンリンクチャネルのチャネル品質を推定し、ダウンリンクチャネルの推定されたチャネル品質に従って第１測定パイロットを決定してよい。
【０２８４】
第１ネットワークデバイスは、第１信号に従って第１測定パイロットを決定し、第１測定パイロットを第１ネットワークデバイスに送信するよう第２ネットワークデバイスに指示すべく、第１信号を第２ネットワークデバイスに送信する。故に、第１測定パイロットは、第１信号の内容の変化と共に変化する、すなわち、従来技術における基地局に対して構成される固定された測定パイロットと比較して、本発明の本実施形態における第１測定パイロットは可変である。
【０２８５】
Ｓ１０２、第１ネットワークデバイスは、第２ネットワークデバイスにより送信された第１測定パイロットを受信し、第１測定パイロットを測定して第１ＣＳＩを取得する。
【０２８６】
第１ＣＳＩは、チャネル品質指標（英語、Ｃｈａｎｎｅｌ  Ｑｕａｌｉｔｙ  Ｉｎｄｉｃａｔｏｒ、略してＣＱＩ）、プリコーディング行列指標（英語、Ｐｒｅｃｏｄｉｎｇ  Ｍａｔｒｉｘ  Ｉｎｄｉｃａｔｏｒ、略してＰＭＩ）、ランク指標（英語、Ｒａｎｋ  Ｉｎｄｉｃａｔｉｏｎ、略してＲＩ）、及びポート選択情報のうちの少なくとも１つを含む。第１ＣＳＩに含まれるポート選択情報は、第１測定パイロット内の複数のポートから第１ネットワークデバイスにより選択されたポートのポート番号を示すべく用いられる。
【０２８７】
Ｓ１０３、第１ネットワークデバイスは、第１ＣＳＩを第２ネットワークデバイスに送信する。
【０２８８】
本発明の本実施形態で提供されるＣＳＩ測定及びフィードバック方法によれば、第２ネットワークデバイスにより送信される第１測定パイロットを第１ネットワークデバイスが受信する前に、第１ネットワークデバイスは、第１信号を第２ネットワークデバイスに送信し、第１信号は、第１信号に従って第１測定パイロットを決定すべく、第２ネットワークデバイスに用いられる。故に、第１測定パイロットは、第１信号の内容の変化と共に変化する、すなわち、本発明の本実施形態における第１測定パイロットは可変である。第１ネットワークデバイスがＵＥであり、かつ、第２ネットワークデバイスが基地局であるとき、ＵＥにより測定される第１測定パイロットは、第１信号に従って基地局により決定される測定パイロットである。従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の本実施形態における方法を用いることで解消され得る。
【０２８９】
本発明の実施形態は、ＣＳＩ測定及びフィードバック方法をさらに提供する。図２に示されるように、方法は、以下の段階を含む。
【０２９０】
Ｓ２０１、第２ネットワークデバイスは、第１ネットワークデバイスにより送信された第１信号を受信する。
【０２９１】
第１信号は、第１信号に従って第１測定パイロットを決定すべく、第２ネットワークデバイスに用いられる。
【０２９２】
第１ネットワークデバイス、第２ネットワークデバイス、及び第１信号の具体的な説明のために、Ｓ１０１に関連する説明が参照されてよく、詳細は、本発明の本実施形態においてここで繰り返されない。
【０２９３】
Ｓ２０２、第２ネットワークデバイスは、第１信号に従って第１測定パイロットを決定し、第１測定パイロットを第１ネットワークデバイスに送信する。
【０２９４】
第１信号が、第１ネットワークデバイスにより第２ネットワークデバイスに送信されたアップリンク信号であるとき、第２ネットワークデバイスは、アップリンク及びダウンリンクチャネルの対称性を用いることによりアップリンク信号に従ってダウンリンクチャネルのチャネル品質を推定し、ダウンリンクチャネルの推定されたチャネル品質に従って第１測定パイロットを適応的に決定してよい。
【０２９５】
第１信号が、第２ネットワークデバイスにより送信されたダウンリンク信号を、第１ネットワークデバイスによって測定した結果であるとき、測定結果は、第１ネットワークデバイスに関心のある測定パイロットのポート番号のような情報を含んでよく、第２ネットワークデバイスは、第１ネットワークデバイスに関心のある測定パイロットのポート番号のような情報に従って第１測定パイロットを構成してよく、又は、確かに、第２ネットワークデバイスは、別のポリシに従って第１測定パイロットを決定してよい。本明細書において、本発明の本実施形態における第１信号に従って、第２ネットワークデバイスがどのように第１測定パイロットを決定するかについて特定の制限が課されることはない。
【０２９６】
Ｓ２０３、第２ネットワークデバイスは、第１ネットワークデバイスにより送信された第１ＣＳＩを受信する。
【０２９７】
第１ＣＳＩは、第１測定パイロットを測定することにより第１ネットワークデバイスよって取得される。第１ＣＳＩは、ＣＱＩ、ＰＭＩ、ＲＩ、及びポート選択情報のうちの少なくとも１つを含む。第１ＣＳＩに含まれるポート選択情報は、第１測定パイロット内の複数のポートから第１ネットワークデバイスにより選択されたポートのポート番号を示すべく用いられる。
【０２９８】
本発明の本実施形態で提供されるＣＳＩ測定及びフィードバック方法によれば、第２ネットワークデバイスは、第１ネットワークデバイスから受信した第１信号に従って第１測定パイロットを決定する。故に、第１測定パイロットは、第１信号の内容の変化と共に変化する、すなわち、本発明の本実施形態における第１測定パイロットは可変である。第１ネットワークデバイスがＵＥであり、かつ、第２ネットワークデバイスが基地局であるとき、基地局によりＵＥに送信される第１測定パイロットは、第１信号に従って基地局により決定される従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の本実施形態における方法を用いることで解消され得る。
【０２９９】
本発明の実施形態は、ＣＳＩ測定及びフィードバック方法をさらに提供する。図３に示されるように、方法は、以下の段階を含む。
【０３００】
Ｓ３０１、第２ネットワークデバイスは、第２測定パイロットを測定するよう第１ネットワークデバイスに指示すべく、第２測定パイロットを第１ネットワークデバイスに送信する。
【０３０１】
任意に、第１ネットワークデバイスはＵＥであり、第２ネットワークデバイスは基地局であり、又は、第１ネットワークデバイスはＵＥであり、第２ネットワークデバイスはＵＥであり、又は、第１ネットワークデバイスは基地局であり、第２ネットワークデバイスは基地局である。第１ネットワークデバイス及び第２ネットワークデバイスは、他の複数の形態におけるネットワークデバイスであってよく、本明細書において、本発明の本実施形態における第１ネットワークデバイス及び第２ネットワークデバイスの特定の形態に制限が課されることはない。
【０３０２】
第２測定パイロットは、半静的なシグナリング、第１ネットワークデバイスのグループに固有のシグナリング、又は第２ネットワークデバイスのポリシを用いることにより第２ネットワークデバイスによって構成される測定パイロットである。ＣＳＩ測定プロセスにおいて、第２測定パイロットは変化しないままである。第２測定パイロットは、チャネル状態情報測定パイロット（英語、Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ、略してＣＳＩ‐ＲＳ）であってよい。
【０３０３】
Ｓ３０２、第２ネットワークデバイスは、第２シグナリングを第１ネットワークデバイスに送信し、第２シグナリングは、第２測定パイロットの構成情報を搬送する。
【０３０４】
第２シグナリングは、半静的なシグナリングであり、又は、第２シグナリングは、第１ネットワークデバイスのグループに固有の動的なシグナリングである。第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含む。ＣＳＩ測定プロセスにおいて、第２測定パイロットの構成情報は、変化しないままである。
【０３０５】
Ｓ３０３、第１ネットワークデバイスは、第２測定パイロットを測定して第２ＣＳＩを取得し、第２ＣＳＩに従って第１信号を決定する。
【０３０６】
第１信号は、第１信号に従って第１測定パイロットを決定し、第１測定パイロットを第１ネットワークデバイスに送信するよう第２ネットワークデバイスに指示すべく用いられる。第１信号は第２ＣＳＩを含む。
【０３０７】
具体的には、第２ＣＳＩは、ＰＭＩ、ポート選択情報、及びサブバンド情報のうちの少なくとも１つを含んでよい。第２ＣＳＩに含まれるポート選択情報は、第２測定パイロット内の複数のポートから第１ネットワークデバイスにより選択されるポートのポート番号を示すべく用いられ、サブバンド情報は、第２測定パイロットの周波数帯から第１ネットワークデバイスにより選択されたサブバンドを示すべく用いられる。
【０３０８】
さらに、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０３０９】
さらに、Ｍ個のポートから第１ネットワークデバイスにより選択されたＮ個のポートのポート番号は、具体的には、Ｍ個の第２測定パイロットを測定すること、及び、降順にＭ個の第２測定パイロットの信号品質をソートすることにより第１ネットワークデバイスによって取得される最も高い信号品質の第１のＮ個のポート番号であり、第１のＮ個のポート番号は、第２測定パイロットに対応している。
【０３１０】
例えば、第２測定パイロット内に１６個のポートがある、すなわち、Ｓ３０２においてＭ＝１６と仮定した場合、第１ネットワークデバイスは、第２測定パイロットの構成情報を取得する。故に、第１ネットワークデバイスは、１６個のポートの第２測定パイロットを測定し、降順に１６個の第２測定パイロットの信号品質をソートし、第２測定パイロットに対応する最初の４つのポート番号、すなわち、Ｎ＝４を選択してよい。例えば、第２測定パイロットに対応しており、かつ、第１ネットワークデバイスにより選択された４つのポート番号は、それぞれポート番号１、ポート番号３、ポート番号６、及びポート番号７であり、この場合、第２ＣＳＩに含まれるポート選択情報は、ポート番号１、ポート番号３、ポート番号６、及びポート番号７を示すべく用いられる。
【０３１１】
別の状況において、第１ネットワークデバイスは、第２測定パイロットの周波数帯情報に従って、ポート番号１、ポート番号３、ポート番号６、及びポート番号７のそれぞれを用いることによりサブバンド１上で送信が行われることを取得し、この場合、第２ＣＳＩは、サブバンド１についての情報を含んでよい。故に、第２ＣＳＩに従って第１ネットワークデバイスにより決定される第１信号は、ポート選択情報、及びサブバンド１についての情報のうちの少なくとも１つを含んでよい。
【０３１２】
さらに、第２ＣＳＩに含まれるポート選択情報は、最良のＭ方式又はビットマップ方式で表されてよい。
【０３１３】
最良のＭ方式において、Ｐ個のポートからのｒ番目のＱ組み合わせのインデックスは、
【数１６９】
0006690848.tif 000170
（式１）として表され、
【数１７０】
0006690848.tif 000171
は、ｘから選択されるｙの順列及び組み合わせの数を表し、
【数１７１】
0006690848.tif 000172
であり、
【数１７２】
0006690848.tif 000173
である。
【０３１４】
ビットマップ方式は、異なるポート選択方式に対応するポート選択情報をコード化して一意のビットを取得すべく用いられてよい。ビットマップの具体的な説明について、従来技術に関連する説明が参照されてよく、本発明の本実施形態において、詳細がここで説明されることなはい。
【０３１５】
さらに、第２ＣＳＩに含まれるポート選択情報は、ランク値の範囲を示すべく用いられてよい。
【０３１６】
具体的には、第２ＣＳＩに含まれるポート選択情報は、第１ネットワークデバイスにより選択されたポート数を含んでよく、第１ネットワークデバイス及び第２ネットワークデバイスは、ポート数とランク値の範囲との間の対応関係を予め定義してよく、第１ネットワークデバイスは、ポート数、及びポート数とランク値の範囲との間において予め定義された対応関係に従ってランク値の範囲を決定してよい。
【０３１７】
例えば、ポート数とランク値の範囲との間において予め定義された対応関係は、４つのポートがある場合、対応するランク値の範囲が１から２であってよく、６つのポートがある場合、対応するランク値の範囲が３から４であってよく、又は、８つのポートがある場合、対応するランク値の範囲が５から８であってよい。
【０３１８】
Ｓ３０４、第１ネットワークデバイスは、第１信号を第２ネットワークデバイスに送信する。
【０３１９】
Ｓ３０５、第２ネットワークデバイスは、第１信号に従って第１測定パイロットを決定し、第１測定パイロットを第１ネットワークデバイスに送信する。
【０３２０】
例えば、第１信号に含まれるポート選択情報がポート番号１、ポート番号３、ポート番号６、及びポート番号７を示すべく用いられる場合、第２ネットワークデバイスにより決定される第１測定パイロットは、ポート番号１、ポート番号３、ポート番号６、及びポート番号７にそれぞれ対応し、かつ、１６個のポートに対する第２測定パイロットから選択された第２測定パイロットを含んでよい、すなわち、第１測定パイロットは、第２測定パイロットのサブセットであってよい。代わりに、第１測定パイロットはＣＳＩ‐ＲＳであってよい。
【０３２１】
第１信号がサブバンド１に関する情報を含む場合、第２ネットワークデバイスは、第１測定パイロットがサブバンド１上のみで送信されると決定してよい。
【０３２２】
本発明の本実施形態において、第２測定パイロットは、半静的な方法で構成されてよく、一方、第１測定パイロットは、動的に変化することが理解され得る。例えば、第２測定パイロットは、半静的なシグナリング、第１ネットワークデバイスのグループに固有のシグナリング、又は第２ネットワークデバイスのポリシを用いることにより第２ネットワークデバイスによって構成されてよく、第１測定パイロットは、第１信号の内容の変化と共に変化する。
【０３２３】
Ｓ３０６、第２ネットワークデバイスは、第１測定パイロットの構成情報を決定する。
【０３２４】
第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０３２５】
好ましくは、第２ネットワークデバイスが、第１測定パイロットの構成情報を決定する段階は、具体的には、第２ネットワークデバイスが、第１信号に従って第１測定パイロットの構成情報を決定する段階を含む。
【０３２６】
具体的には、第２ネットワークデバイスは、第１信号に従って、第１測定パイロットのポート数をＮとして決定してよい。第２ネットワークデバイスは、第１信号及び第３マッピング関係に従って第１測定パイロットの期間を決定してよい。第３マッピング関係は、第１測定パイロットのポート数と第１測定パイロットの期間との間の対応関係を示すべく用いられる。第２ネットワークデバイスは、第１信号及び第４マッピング関係に従って第１測定パイロットのシーケンス情報を決定してよい。第４マッピング関係は、第１測定パイロットのポート数と第１測定パイロットのシーケンス情報との間の対応関係を示すべく用いられる。
【０３２７】
さらに、第２ネットワークデバイスが、第１信号に従って第１測定パイロットの構成情報を決定する段階は、第２ネットワークデバイスが、最後に受信した第１信号に従って第１測定パイロットの構成情報を決定する段階を含む。
【０３２８】
例えば、本発明の本実施形態の適用シナリオにおいて、第２ネットワークデバイスが、最後に受信した第１信号に従って第１測定パイロットの構成情報を決定するための方法は、第２ネットワークデバイスが、最後に受信した第１信号のＰＭＩに従って第１測定パイロットのパイロットパターンを決定する段階を含んでよい。ＰＭＩとパイロットパターンの間に対応関係がある。
【０３２９】
本発明の本実施形態の別の適用シナリオにおいて、第２ネットワークデバイスが、最後に受信した第１信号に従って第１測定パイロットの構成情報を決定するための方法は、第１ネットワークデバイスが、第１ネットワークデバイスにより第２ネットワークデバイスに最後に送信された第１信号内のＲＩに従って、第１測定パイロットのパイロットパターンを決定する段階を含んでよい。ＲＩとパイロットパターンとの間に対応関係がある。
【０３３０】
ＲＩが別のＲＩよりも低い場合、ＲＩに対応するパイロットパターンは、別のＲＩに対応するパイロットパターンのサブセットであってよいことに留意すべきである。
【０３３１】
Ｓ３０７、第２ネットワークデバイスは、第１シグナリングを第１ネットワークデバイスに送信し、第１シグナリングは、第１測定パイロットの構成情報を搬送する。
【０３３２】
任意に、第１シグナリングは、より高い層のシグナリング、第１ネットワークデバイスに固有の動的なシグナリング、第１ネットワークデバイスのグループに固有の動的なシグナリングのうちの少なくとも１つである。
【０３３３】
第２ネットワークデバイスは、第１ネットワークデバイスに固有の動的なシグナリングを物理ダウンリンク制御チャネル（英語、Ｐｈｙｓｉｃａｌ  Ｄｏｗｎｌｉｎｋ  Ｃｏｎｔｒｏｌ  Ｃｈａｎｎｅｌ、略してＰＤＣＣＨ）又は、拡張物理ダウンリンク制御チャネル（英語、Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ、略してＥＰＤＣＣＨ）に加えて、ＰＤＣＣＨ又はＥＰＤＣＣＨを第１ネットワークデバイスに送信してよい。第１ネットワークデバイスに固有の動的なシグナリングは、ＤＬ  ｇｒａｎｔシグナリング又はＵＬ  ｇｒａｎｔシグナリングである。
【０３３４】
代わりに、第２ネットワークデバイスは、第１ネットワークデバイスのグループに固有の動的なシグナリングをＰＤＣＣＨ又はＥＰＤＣＣＨに加えて、ＰＤＣＣＨ又はＥＰＤＣＣＨを第１ネットワークデバイスに送信してよい。
【０３３５】
さらに、第１ネットワークデバイスのグループに固有の動的なシグナリングは、第１ネットワークデバイスが属するグループの識別子を用いることによってスクランブリングを実行することにより第２ネットワークデバイスによって取得される動的なシグナリングである。
【０３３６】
Ｓ３０８、第１ネットワークデバイスは、第１測定パイロットの構成情報を決定する。
【０３３７】
具体的には、第１ネットワークデバイスは、第１シグナリングに従って第１測定パイロットの構成情報を決定してよい。
【０３３８】
任意に、第１ネットワークデバイスは、より高い層のシグナリングに従って第１測定パイロットの構成情報を決定し、又は、第１ネットワークデバイスは、第１ネットワークデバイスに固有の動的なシグナリングに従って第１測定パイロットの構成情報を決定し、又は、第１ネットワークデバイスは、第１ネットワークデバイスのグループに固有の動的なシグナリングに従って第１測定パイロットの構成情報を決定する。
【０３３９】
具体的には、第１ネットワークデバイスが属するグループ内の全てのネットワークデバイスが同一の第１測定パイロットを共有するとき、第１ネットワークデバイスが、第１シグナリングに従って第１測定パイロットの構成情報を決定する段階は、第１ネットワークデバイスが、より高い層のシグナリング（より高い層のシグナリングは、第１ネットワークデバイスが属するグループの識別子を搬送する）に従って、第１ネットワークデバイスが属するグループの識別子を決定する段階と、第１ネットワークデバイスが属するグループの識別子に従って、第１ネットワークデバイスのグループに固有の動的なシグナリングから第１測定パイロットの構成情報を決定する段階とを含んでよい。
【０３４０】
第１ネットワークデバイスが属するグループ内の全てのネットワークデバイスが第１測定パイロットの一部を共有するとき、第１ネットワークデバイスが、第１シグナリングに従って第１測定パイロットの構成情報を決定する段階は、第１ネットワークデバイスが、より高い層のシグナリングに従って、第１ネットワークデバイスが属するグループの識別子を決定する段階と、第１ネットワークデバイスが属するグループの識別子、及び第１ネットワークデバイスの識別子に従って、第１ネットワークデバイスのグループに固有の動的なシグナリングから第１測定パイロットの構成情報を決定する段階とを含んでよい。
【０３４１】
代わりに、第１ネットワークデバイスは、第１信号に従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定してよい。
【０３４２】
任意に、第１ネットワークデバイスが、第１信号に従って、第１ネットワークデバイスが属するグループの識別子を決定する段階は、
第１ネットワークデバイスが、第２ＣＳＩに含まれるポート選択情報、及び第１マッピング関係に従って、第１ネットワークデバイスが属するグループの識別子を決定する段階であって、第１マッピング関係は、ポート番号と、第１ネットワークデバイスが属するグループの識別子との間の対応関係を示すべく用いられる、段階、又は、第１ネットワークデバイスが、第２ＣＳＩに含まれるサブバンド情報、及び第２マッピング関係に従って、第１ネットワークデバイスが属するグループの識別子を決定する段階であって、第２マッピング関係は、サブバンド情報と、第１ネットワークデバイスが属するグループの識別子との間の対応関係を示すべく用いられる、段階、又は、第１ネットワークデバイスが、第１信号を第２ネットワークデバイスに送信し、第２ネットワークデバイスにより送信され、かつ、第１ネットワークデバイスが属するグループの識別子を搬送するより高い層のシグナリングを受信する段階であって、第１ネットワークデバイスが属するグループの識別子は、第１信号に従って第２ネットワークデバイスにより決定される、段階を含む。
【０３４３】
任意に、第２ネットワークデバイスが第１シグナリングを第１ネットワークデバイスに送信しない場合、第１ネットワークデバイスは、それ自体の第１測定パイロットの構成情報を決定する必要がある。図４に示されるように、Ｓ３０６からＳ３０８は、Ｓ３０８´に置き換られてよい。
【０３４４】
Ｓ３０８´、第１ネットワークデバイスは、第１信号に従って第１測定パイロットの構成情報を決定する。
【０３４５】
第１ネットワークデバイスが、第１信号に従って第１測定パイロットの構成情報を決定する段階は、具体的には、第１ネットワークデバイスが、第１ネットワークデバイスによって第２ネットワークデバイスに最後に送信された第１信号に従って第１測定パイロットの構成情報を決定する段階を含んでよい。
【０３４６】
例えば、本発明の本実施形態の適用シナリオにおいて、第１ネットワークデバイスが、第１ネットワークデバイスにより第２ネットワークデバイスに最後に送信された第１信号に従って、第１測定パイロットの構成情報を決定するための方法は、第１ネットワークデバイスが、第１ネットワークデバイスにより第２ネットワークデバイスに最後に送信された第１信号内のＰＭＩに従って、第１測定パイロットのパイロットパターンを決定する段階を含んでよい。
【０３４７】
例えば、第１信号内のＰＭＩは、Ｗ１のＰＭＩであってよい。
【０３４８】
図１３に示されるように、
【数１７３】
0006690848.tif 000174
である場合、ｕ１は、ビーム方向Ｂ１に対応しており、ｕ２は、ビーム方向Ｂ２に対応しており、ｕ３は、ビーム方向Ｂ３に対応しており、ｕ４は、ビーム方向Ｂ４に対応している。
【０３４９】
クラスＢアンテナポート、すなわち、第１測定パイロットのポートは、Ｗ１を用いることによって二重偏波アンテナをプリコーディングすることにより取得され得る。例えば、Ｗ１に対応するビーム方向は、Ｂ１、Ｂ２、Ｂ３、及びＢ４であり、この場合、クラスＢについて最後に形成された８つのポートのうち、同じ偏光保護ケーブル内の４つのポートに対応するビーム方向は、それぞれＢ１、Ｂ２、Ｂ３、及びＢ４である。Ｂ１、Ｂ２、Ｂ３、及びＢ４に対応するクラスＢ構成、すなわち、第１測定パイロットの構成は、構成１であってよい。
【０３５０】
例えば、構成１に対応するリソース位置は、図１４に示される８つのクラスＡポートの位置であってよい。加えて、サブフレームオフセットはＸ１であり、期間はＹ１であり、Ｘ１は、Ｙ１よりも小さい正の整数であり、Ｙ１は、５ｍｓ、１０ｍｓ、２０ｍｓ等のうちの１つである。
【０３５１】
図１５に示されるように、
【数１７４】
0006690848.tif 000175
である場合、ｕ５は、ビーム方向Ｂ５に対応しており、ｕ６は、ビーム方向Ｂ６に対応しており、ｕ７は、ビーム方向Ｂ７に対応しており、ｕ８は、ビーム方向Ｂ８に対応している。
【０３５２】
クラスＢアンテナポート、すなわち、第１測定パイロットのポートは、Ｗ１を用いることによって二重偏波アンテナをプリコーディングすることにより取得され得る。例えば、Ｗ１に対応するビーム方向はＢ５、Ｂ６、Ｂ７、及びＢ８であり、この場合、クラスＢについて最後に形成された８つのポートのうち、同じ偏光保護ケーブル内の４つのポートに対応するビーム方向は、それぞれＢ５、Ｂ６、Ｂ７、及びＢ８である。Ｂ５、Ｂ６、Ｂ７、及びＢ８に対応するクラスＢ構成、すなわち、第１測定パイロットの構成は、構成２であってよい。
【０３５３】
例えば、構成２に対応するリソース位置は、図１４に示される８つのクラスＢポートの位置であってよい。加えて、サブフレームオフセットはＸ２であり、期間はＹ２であり、Ｘ２は、Ｙ２よりも小さい正の整数であり、Ｙ２は、５ｍｓ、１０ｍｓ、２０ｍｓ等のうちの１つである。
【０３５４】
一般に、ＰＭＩとパイロットパターンの間に対応関係がある。例えば、異なるＷ１は、異なるパイロットパターンに対応する。
【０３５５】
例えば、本発明の本実施形態の別の適用シナリオにおいて、第１ネットワークデバイスは、第１ネットワークデバイスにより第２ネットワークデバイスに最後に送信された第１信号内のＲＩに従って第１測定パイロットのパイロットパターンを決定する。図１６を参照すると、ＲＩとパイロットパターンとの間に対応関係がある。
【０３５６】
ＲＩが別のＲＩよりも低い場合、ＲＩに対応するパイロットパターンは、別のＲＩに対応するパイロットパターンのサブセットであってよいことに留意すべきである。
【０３５７】
具体的には、第１ネットワークデバイスは、第１信号に従って、第１測定パイロットのポート数をＮとして決定してよい。第１ネットワークデバイスは、第１信号及び第３マッピング関係に従って、第１測定パイロットの期間を決定してよい。第３マッピング関係は、第１測定パイロットのポート数と第１測定パイロットの期間との間の対応関係を示すべく用いられる。第１ネットワークデバイスは、第１信号及び第４マッピング関係に従って、第１測定パイロットのシーケンス情報を決定してよい。第４マッピング関係は、第１測定パイロットのポート数と第１測定パイロットのシーケンス情報との間の対応関係を示すべく用いられる。
【０３５８】
ＣＳＩ測定プロセスにおいて、第１測定パイロットの構成情報は可変であることに留意すべきである。第１測定パイロットの構成情報は、第１信号の内容の変化と共に変化してよい。具体的には、ＣＳＩ測定プロセスにおいて、第１測定パイロットのポート数は可変であり、第１測定パイロットのポート数は、第２ＣＳＩに含まれるポート番号の数の変化と共に変化し得る。
【０３５９】
本実施形態における第２測定パイロット及び第１測定パイロットは異なるＣＳＩ測定プロセスに属してよく、又は、同じＣＳＩ測定プロセスに属してよい。
【０３６０】
本発明の本実施形態における第１マッピング関係、第２マッピング関係、第３マッピング関係、及び第４マッピング関係は、表で示されてよく、又は、文書で示されてよく、又は、確かに、別の形式で示されてよく、本発明の本実施形態において制限が課されることはない。
【０３６１】
Ｓ３０９、第１ネットワークデバイスは、第２ネットワークデバイスにより送信された第１測定パイロットを測定して第１ＣＳＩを取得する。
【０３６２】
第１ＣＳＩは、ＣＱＩ、ＰＭＩ、ＲＩ、及びポート選択情報のうちの少なくとも１つを含む。第１ＣＳＩに含まれるポート選択情報は、第１測定パイロット内の複数のポートから第１ネットワークデバイスにより選択されたポートのポート番号を示すべく用いられる。
【０３６３】
第１ＣＳＩのＰＭＩはプリコーディング行列Ｗを含んでよい。第２ネットワークデバイスは、二重偏波アンテナ又は単一偏波アンテナを用いてよい。
【０３６４】
第１状況において、第２ネットワークデバイスは、二重偏波アンテナを用いる。
【０３６５】
ランクが１である場合、
【数１７５】
0006690848.tif 000176
（式２）であり、
ランクが２である場合、
【数１７６】
0006690848.tif 000177
（式３）であり、
ランクが３である場合、
【数１７７】
0006690848.tif 000178
かつ、
【数１７８】
0006690848.tif 000179
（式４）であり、
ランクが４である場合、
【数１７９】
0006690848.tif 000180
かつ、
【数１８０】
0006690848.tif 000181
（式５）であり、
ランクが５である場合、
【数１８１】
0006690848.tif 000182
かつ、
【数１８２】
0006690848.tif 000183
（式６）であり、
ランクが６である場合、
【数１８３】
0006690848.tif 000184
かつ、
【数１８４】
0006690848.tif 000185
（式７）であり、
ランクが７である場合、
【数１８５】
0006690848.tif 000186
かつ、
【数１８６】
0006690848.tif 000187
（式８）であり、
ランクが８である場合、
【数１８７】
0006690848.tif 000188
かつ、
【数１８８】
0006690848.tif 000189
（式９）であり、
Ｃは、プリコーディング行列のコードブックであり、ｘは、第２測定パイロットのポート数Ｍに関連する実数であり、ｍ＝１，...４、ｎ＝１，...４であり、ｍ≠ｎであり、ｅｍ及びｅｎは、Ｍ／２次元単位列ベクトルであり、ｅｍのｍ番目の行は１であり、ｍ番目の行以外の行は０である。
【０３６６】
第２状況において、第２ネットワークデバイスは、単一偏波アンテナを用いる。
【０３６７】
ランクが１である場合、
【数１８９】
0006690848.tif 000190
（式１０）であり、
ランクが２である場合、
【数１９０】
0006690848.tif 000191
（式１１）であり、
ランクが３である場合、
【数１９１】
0006690848.tif 000192
（式１２）であり、
ランクが４である場合、
【数１９２】
0006690848.tif 000193
（式１３）であり、
ランクが５である場合、
【数１９３】
0006690848.tif 000194
（式１４）であり、
ランクが６である場合、
【数１９４】
0006690848.tif 000195
（式１５）であり、
ランクが７である場合、
【数１９５】
0006690848.tif 000196
（式１６）であり、
ランクが８である場合、
【数１９６】
0006690848.tif 000197
かつ、
【数１９７】
0006690848.tif 000198
（式１７）であり、
Ｃは、プリコーディング行列のコードブックであり、Ｍは、第２測定パイロットのポート数であり、ｅｍは、Ｍ次元単位列ベクトルであり、ｍ＝１，...Ｍであり、ｅｍのｍ番目の行は１であり、ｍ番目の行以外の行は０である。
【０３６８】
任意に、第２ＣＳＩに含まれるポート選択情報は、ランク値の範囲を示すべく用いられ、第１ＣＳＩに含まれるＲＩの値の範囲は、第２ＣＳＩに含まれるポート選択情報により示されるランク値の範囲と同一である。
【０３６９】
例えば、ポート数とランク値の範囲との間で予め定義された対応関係は、４つのポートがある場合、対応するランク値の範囲が１から２であってよく、６つのポートがある場合、対応するランク値の範囲が３から４であってよく、又は、８つのポートがある場合、対応するランク値の範囲が５から８であってよい。
【０３７０】
ランク値の範囲が１から２であることを示すべく第２ＣＳＩに含まれるポート選択情報が用いられる場合、第１ＣＳＩに含まれるＲＩの値の範囲は、１から２である。
【０３７１】
ランク値の範囲が３から４であることを示すべく第２ＣＳＩに含まれるポート選択情報が用いられる場合、第１ＣＳＩに含まれるＲＩの値の範囲は、３から４である。
【０３７２】
ランク値の範囲が５から８であることを示すべく第２ＣＳＩに含まれるポート選択情報が用いられる場合、第１ＣＳＩに含まれるＲＩの値の範囲は、５から８である。
【０３７３】
任意に、第１ＣＳＩに含まれるＲＩの値の範囲は、第１測定パイロットのポート数に従って第１ネットワークデバイスにより決定される。
【０３７４】
具体的には、第１測定パイロット内の複数のポートの数が４である場合、第１ＣＳＩに含まれるＲＩの値の範囲は、１から２である。
【０３７５】
第１測定パイロット内の複数のポートの数が６である場合、第１ＣＳＩに含まれるＲＩの値の範囲は、３から４である。
【０３７６】
第１測定パイロット内の複数のポートの数が８である場合、第１ＣＳＩに含まれるＲＩの値の範囲は、５から８である。
【０３７７】
Ｓ３１０、第１ネットワークデバイスは、第１ＣＳＩを第２ネットワークデバイスに送信する。
【０３７８】
さらに、本実施形態において、第２測定パイロットを第１ネットワークデバイスに送信する前に、第２ネットワークデバイスは、第２測定パイロットをプリコードしてよいことに留意すべきである。
【０３７９】
本発明の本実施形態において、第１測定パイロットは、プリコーディングが実行されるパイロットであってよく、一方、第２測定パイロットは、プリコーディングが実行されないパイロットである。
【０３８０】
本実施形態において、第１測定パイロットを第１ネットワークデバイスに送信する前に、第２ネットワークデバイスは、第１測定パイロットをプリコードしてよいことに留意すべきである。第２ネットワークデバイスは、第２ＣＳＩ内のプリコーディング行列を用いて第１測定パイロットをプリコードしてよい。
【０３８１】
言い換えれば、第１測定パイロットはクラスＢ測定パイロットであってよく、第２測定パイロットはクラスＡ測定パイロットであってよい。プリコーディングは、クラスＡ測定パイロット上では実行されず、プリコーディングは、クラスＢ測定パイロット上で実行される。
【０３８２】
例えば、第１ネットワークデバイスはＵＥであり、かつ、第２ネットワークデバイスは基地局である例を用いることにより説明が提供される。図５に示されるように、基地局がＲ個の送受信ユニット（英語、Ｔｒａｎｓｍｉｔ  ａｎｄ  Ｒｅｃｅｉｖｅ  ｕｎｉｔ、略してＴｘＲｕ）を有すると仮定すると、基地局は、Ｎ１個のポートに対する第２測定パイロットを取得すべく、プリコーディング行列Ｗ１を用いてＲ個のＴｘＲｕにより送信された基準信号をプリコードする。図５では、例えば、基地局は、二重偏波アンテナを用いており、それぞれのポートに対応する第２測定パイロットは、１つのビーム（英語、ｂｅａｍ）に対応している。基地局が二重偏波アンテナを用いるとき、第２測定パイロットに対して２つのタイプのビームがある。
【数１９８】
0006690848.tif 000199
ｗｉは、Ｒ次元列ベクトルであり、
【数１９９】
0006690848.tif 000200
である。Ｎ１個のポートに対する第２測定パイロットを測定した後に、ポート番号１、ポート番号３、ポート番号６、及びポート番号７に対応するビームの品質がより高く、他のポートに対応するビームの品質が非常に悪いとＵＥが決定した場合、ＵＥにより報告される第２ＣＳＩに含まれるポート選択情報は、ポート番号１、ポート番号３、ポート番号６、及びポート番号７を示すべく用いられる。この場合、基地局が他のポートに対する測定パイロットをさらに送信する場合、測定パイロットが相対的に多くのリソースブロックを占めるので、データ伝送に用いられ得るリソースブロックが低減され、ＵＥの性能に影響を与える。しかしながら、本実施形態における方法によれば、基地局は、４つのポート、ポート番号１、ポート番号３、ポート番号６、及びポート番号７に対する測定パイロットのみをＵＥに送信でき、これにより、リソースを減らすことができる。図５に示されるように、第１測定パイロットに対応するビームは、ポート番号１、ポート番号３、ポート番号６、及びポート番号７に対応する測定パイロットにより形成されたビームである。加えて、第１測定パイロットは、プリコーディング行列Ｗ２を用いることにより基地局によって、Ｒ個のＴｘＲｕによって送信された基準信号をプリコーディングすることにより取得され、
【数２００】
0006690848.tif 000201
である。このように、基地局は、第１測定パイロットを柔軟に構成できる。これは、測定パイロットにより占有されるリソースブロックを減らし、ＵＥの性能を向上させる。
【０３８３】
さらに、第２ＣＳＩに含まれるポート選択情報、例えば、４つのポートがあることを示す第２ＣＳＩに含まれるポート選択情報がランク値の範囲を示すべく用いられ得るので、対応するランク（Ｒａｎｋ）値の範囲は１から２である。このように、第１測定パイロットを測定するときに、ＵＥは、ランク１からランク２のみの測定を実行する必要がある。しかしながら、従来技術では、４つのポートがある場合、ＵＥは、ランク１からランク４の測定を実行する必要があり、８つのポートがある場合、ＵＥは、ランク１からランク８の測定を実行する必要がある。従来技術と比較して、本実施形態における方法は、ＵＥの測定範囲を大幅に縮小できる。
【０３８４】
さらに、第１測定パイロットは、チャネルの長期的な特徴を反映でき、第２測定パイロットは、チャネルの一時的な特徴を反映できる。故に、第１測定パイロットの期間は、第２測定パイロットの期間よりもはるかに短くてよい。例えば、第１測定パイロットの期間は、１０ミリ秒であってよく、第２測定パイロットの期間は、１００ミリ秒であってよい。図６は、第２測定パイロット及び第１測定パイロットのシーケンス図を示する。まず、基地局は、第２測定パイロットをＵＥに送信する。次に、ＵＥは、第２測定パイロットを測定して第２ＣＳＩを取得し、第２ＣＳＩを基地局に報告する。次に、基地局は、第２ＣＳＩに従って第１測定パイロットを決定し、第１測定パイロットをＵＥに送信する。そして、ＵＥは、第１測定パイロットを測定して第１ＣＳＩを取得し、第１ＣＳＩを基地局に報告する。
【０３８５】
第１ネットワークデバイスは、異なるＣＳＩ測定プロセスにおいて、第１ＣＳＩ及び第２ＣＳＩを第２ネットワークデバイスに報告してよい。確かに、第１ネットワークデバイスは、同じＣＳＩ測定プロセスにおいて、第１ＣＳＩ及び第２ＣＳＩを第２ネットワークデバイスに報告してもよい。
【０３８６】
具体的には、本発明の本実施形態における方法は、第１ネットワークデバイスが、ＣＳＩ測定プロセスにおいて第３ＣＳＩを第２ネットワークデバイスに報告する段階をさらに含んでよい。第３ＣＳＩは、第１測定パイロットを測定することにより決定された第１ＣＳＩ、及び第２測定パイロットを測定することにより決定された第２ＣＳＩを含む。
【０３８７】
本発明の本実施形態において、以下では、第１ネットワークデバイスが、同じＣＳＩ測定プロセスにおいて第１ＣＳＩ及び第２ＣＳＩを第２ネットワークデバイスに報告するときに、異なる実装で第２ＣＳＩに含まれる詳細情報を説明する。
【０３８８】
第１実装では、第２ＣＳＩは第２ＲＩ及び第２ＰＭＩを含んでよい。
【０３８９】
第１実装では、第１ネットワークデバイスは、第２測定パイロットを測定することにより決定された全てのＲＩ及びＰＭＩを第２ネットワークデバイスに報告してよい。第２ＲＩ及び第２ＰＭＩは、同じ時点でフィードバックされてよく、又は、第２ＲＩ及び第２ＰＭＩは、異なる時点でフィードバックされてよい。
【０３９０】
本発明の本実施形態において、第２ＲＩは、第２測定パイロットを測定することにより決定されるＲＩであり、第２ＰＭＩは、第２測定パイロットを測定することにより決定されるＰＭＩであることに留意すべきである。
【０３９１】
第２実装では、第２ＣＳＩは、第２ＲＩと、二重コードブック構成を有し、かつ、第２ＰＭＩに対応しているプリコーディング行列の第１プリコーディング部分行列Ｗ１に対応するインデックスとを含んでよい。第２ＲＩ、及び第１プリコーディング部分行列に対応するインデックスは、同じ時点でフィードバックされてよく、又は、第２ＲＩ、及び第１プリコーディング部分行列に対応するインデックスは、異なる時点でフィードバックされてよい。
【０３９２】
本発明の本実施形態における第２ＰＭＩは、二重コードブック構成を有するプリコーディング行列に対応している、すなわち、第２ＰＭＩは、第１プリコーディング部分行列Ｗ１に対応するインデックス、及び第２プリコーディング部分行列Ｗ２に対応するインデックスを含む。本明細書において、二重コードブック構成は、具体的には、Ｗ＝Ｗ１×Ｗ２であり、
【数２０１】
0006690848.tif 000202
であり、Ｗ１は対角行列である。
【０３９３】
第２実装において、第１ネットワークデバイスは、第２ＰＭＩ内の第２プリコーディング部分行列Ｗ２に対応するインデックスを第２ネットワークデバイスに報告する必要がなくてよいことが強調されるべきである。
【０３９４】
第３実装では、第２ＣＳＩは、第２ＲＩの範囲及び第２ＰＭＩを含んでよい。第２ＲＩの範囲及び第２ＰＭＩは、同じ時点でフィードバックされてよく、又は、第２ＲＩの範囲及び第２ＰＭＩは、異なる時点でフィードバックされてよい。
【０３９５】
第３実装では、第１ネットワークデバイスは、第２測定パイロットを測定することにより決定された全てのＲＩを第２ネットワークデバイスに報告する必要がなくてよい。代わりに、第１ネットワークデバイスは、第２測定パイロットを測定することにより決定された複数のＲＩから選択を行い、第１ネットワークデバイスにより選択されたＲＩの範囲を第２ネットワークデバイスに報告する。
【０３９６】
第４実装では、第２ＣＳＩは、第２ＲＩの範囲と、二重コードブック構成を有し、かつ、第２ＰＭＩに対応しているプリコーディング行列の第１プリコーディング部分行列に対応するインデックスとを含んでよい。第２ＲＩの範囲、及び第１プリコーディング部分行列に対応するインデックスは、同じ時点でフィードバックされてよく、又は、第２ＲＩの範囲、及び第１プリコーディング部分行列に対応するインデックスは、異なる時点でフィードバックされてよい。
【０３９７】
第５実装では、第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報とを含む。第２ＲＩと、第１プリコーディング部分行列に対応するインデックスと、第２プリコーディング部分行列の列選択情報とは、同じ時点でフィードバックされてよく、又は、第２ＲＩと、第１プリコーディング部分行列に対応するインデックスと、第２プリコーディング部分行列の列選択情報とは、異なる時点でフィードバックされてよい。
【０３９８】
第１ネットワークデバイスは、第２ＲＩ、及び第１プリコーディング部分行列に対応するインデックスを第２ネットワークデバイスに報告しつつ、第２プリコーディング部分行列の列選択情報を第２ネットワークデバイスにさらに報告してよく、これにより、第２ネットワークデバイスは、第２プリコーディング部分行列の列選択情報により示される列で形成されたプリコーディング行列を用いることによって第１測定パイロットをプリコードできることが理解され得る。
【０３９９】
第６実装では、第２ＣＳＩは、第２ＲＩ、第２ＰＭＩ、及び第２ＣＱＩを含んでよい。第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされる。
【０４００】
本発明の本実施形態における第２ＣＱＩは、第２ＲＩ、及び第２ＰＭＩに対応するプリコーディング行列に従って決定される。
【０４０１】
第７実装では、第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含んでよい。第２ＲＩと、第１プリコーディング部分行列に対応するインデックスと、第２ＣＱＩとは、同じ時点でフィードバックされ、又は、第２ＲＩと、第１プリコーディング部分行列に対応するインデックスと、第２ＣＱＩとは、異なる時点でフィードバックされる。
【０４０２】
第８実装では、第２ＣＳＩは、第２ＲＩの範囲、第２ＰＭＩ、及び第２ＣＱＩを含む。第２ＲＩの範囲、第２ＰＭＩ、及び第２ＣＱＩは、同じ時点でフィードバックされ、第２ＲＩの範囲、第２ＰＭＩ、及び第２ＣＱＩは、異なる時点でフィードバックされる。
【０４０３】
第９実装では、第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含む。第２ＲＩの範囲と、第１プリコーディング部分行列に対応するインデックスと、第２ＣＱＩとは、同じ時点でフィードバックされ、又は、第２ＲＩの範囲と、第１プリコーディング部分行列に対応するインデックスと、第２ＣＱＩとは、異なる時点でフィードバックされる。
【０４０４】
第１０実装では、第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報と、第２ＣＱＩとを含む。第２ＲＩと、第１プリコーディング部分行列に対応するインデックスと、第２プリコーディング部分行列の列選択情報と、第２ＣＱＩとは、同じ時点でフィードバックされ、又は第２ＲＩと、第１プリコーディング部分行列に対応するインデックスと、第２プリコーディング部分行列の列選択情報と、第２ＣＱＩとは、異なる時点でフィードバックされる。
【０４０５】
第１ネットワークデバイスが、第２ＲＩ、第１プリコーディング部分行列に対応するインデックス、第２プリコーディング部分行列に対応するインデックス、及び第２ＣＳＩ内の第２ＣＱＩのうちの少なくとも１つを同じ時点で第２ネットワークデバイスにフィードバックするとき、結合符号化方式又は独立符号化方式が符号化に用いられる。
【０４０６】
本発明の本実施形態において、以下では、第１ネットワークデバイスが、同じＣＳＩ測定プロセスにおいて第１ＣＳＩ及び第２ＣＳＩを第２ネットワークデバイスに報告するときに、異なる実装で第１ＣＳＩに含まれる詳細情報を説明する。
【０４０７】
第１実装において、第１ＣＳＩは、第１ＲＩ、第１ＰＭＩ、及び第１ＣＱＩを含んでよい。
【０４０８】
本発明の本実施形態において、第１ＲＩは、第１測定パイロットを測定することにより決定されるＲＩであり、第１ＰＭＩは、第１測定パイロットを測定することにより決定されるＰＭＩであり、第１ＣＱＩは、第２ＲＩ、及び第１ＰＭＩに対応するプリコーディング行列に従って決定されるＣＱＩであることに留意すべきである。
【０４０９】
第２実装において、第１ＣＳＩは、第１ＰＭＩ及び第１ＣＱＩを含んでよい。
【０４１０】
第２実装において、第１ネットワークデバイスは、第１ＲＩを第２ネットワークデバイスに報告する必要はなことが強調されるべきである。
【０４１１】
さらに、本発明の本実施形態の第１の適用シナリオにおいて、第３ＣＳＩは、変更指標をさらに含んでよい。
【０４１２】
変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【０４１３】
第１ネットワークデバイスは、同じＣＳＩ測定プロセスにおいて第３ＣＳＩを第２ネットワークデバイスに報告するが、第３ＣＳＩの第１ＣＳＩに含まれる第１ＲＩ、第１ＰＭＩ、及び第１ＣＱＩのような様々な情報についての具体的な報告時点は、第１ネットワークデバイスがＣＳＩ測定プロセスにおいて第３ＣＳＩを報告するときとは異なっていてよいことが理解され得る。加えて、第３ＣＳＩの第２ＣＳＩに含まれる、第２ＲＩ、第２ＰＭＩ、及び第２ＣＱＩのような、様々な情報の具体的な報告時点は異なっていてもよい。確かに、第１ネットワークデバイスは、ＣＳＩ測定プロセスの異なる時点で第２ネットワークデバイスに第３ＣＳＩの変更フラグを報告してよい。
【０４１４】
第１ネットワークデバイスは、変更フラグと、第２ＲＩ、第１プリコーディング部分行列に対応するインデックス、第２プリコーディング部分行列に対応するインデックス、及び第２ＣＱＩのうちの少なくとも１つを同じ時点で第２ネットワークデバイスにフィードバックしてよく、又は、第１ネットワークデバイスは、変更フラグ、第２ＲＩ、及びプリコーディングタイプ指標（Ｐｒｅｃｏｄｉｎｇ  Ｔｙｐｅ  Ｉｎｄｉｃａｔｏｒ、ＰＴＩ）を同じ時点で第２ネットワークデバイスにフィードバックしてよいことに留意すべきである。
【０４１５】
変更フラグが、パイロット測定方式を変更し、例えば、第１測定パイロットを測定し、第１ＣＳＩをフィードバックする、又は、第２測定パイロットを測定して第２ＣＳＩをフィードバックするよう第１ネットワークデバイスに指示すべく用いられてよいことが理解され得る。
【０４１６】
例えば、本発明の本実施形態における方法は、
第１ネットワークデバイスが変更フラグを第２ネットワークデバイスに報告する前に、第１ネットワークデバイスが、第１測定パイロットのみを測定して第１ＣＳＩをフィードバックする段階と、第１ネットワークデバイスが変更フラグを第２ネットワークデバイスに報告する後に、第１ネットワークデバイスが、第２測定パイロットのみを測定して第２ＣＳＩをフィードバックする段階とをさらに含んでよく、又は、
第１ネットワークデバイスが変更フラグを第２ネットワークデバイスに報告する前に、第１ネットワークデバイスが、第２測定パイロットのみを測定して第２ＣＳＩを報告する段階と、第１ネットワークデバイスが変更フラグを第２ネットワークデバイスに報告した後に、第１ネットワークデバイスが、第１測定パイロットのみを測定して第１ＣＳＩをフィードバックする段階とをさらに含んでよく、又は、
第１ネットワークデバイスが変更フラグを第２ネットワークデバイスにフィードバックする前に、第１ネットワークデバイスが、第１測定パイロットのみを測定して第１ＣＳＩをフィードバックする段階と、第１ネットワークデバイスが変更フラグを第２ネットワークデバイスにフィードバックした後に、第１ネットワークデバイスが、第１測定パイロットを測定して第１ＣＳＩをフィードバックし、第２測定パイロットを測定して第２ＣＳＩをフィードバックする段階とをさらに含んでよく、又は、
第１ネットワークデバイスが変更フラグを第２ネットワークデバイスにフィードバックする前に、第１ネットワークデバイスが、第２測定パイロットのみを測定して第２ＣＳＩをフィードバックする段階と、第１ネットワークデバイスが変更フラグを第２ネットワークデバイスにフィードバックした後に、第１ネットワークデバイスが、第１測定パイロットを測定して第１ＣＳＩをフィードバックし、第２測定パイロットを測定して第２ＣＳＩをフィードバックする段階とをさらに含んでよい。
【０４１７】
任意に、本発明の本実施形態において、第２ネットワークデバイスは、パイロットを測定するために、第１ネットワークデバイスにより用いられる方式を第１ネットワークデバイスに通知してよい。具体的には、本発明の本実施形態における方法は、第１ネットワークデバイスが、第２ネットワークデバイスにより送信された構成情報を受信する段階を含んでよい。
【０４１８】
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０４１９】
変更指標又は構成情報が、第２測定パイロットのみを測定して第２ＣＳＩをフィードバックするよう第１ネットワークデバイスに指示すべく用いられるとき、第２ＣＳＩは第２ＣＱＩを含み、変更指標又は構成情報が、第１測定パイロットのみを測定して第１ＣＳＩをフィードバックする、又は、第１測定パイロットを測定して第１ＣＳＩをフィードバックし、第２測定パイロットを測定して第２ＣＳＩをフィードバックをするよう第１ネットワークデバイスに指示すべく用いられるとき、第２ＣＳＩは、第２ＣＱＩを含まなくてよい。
【０４２０】
例えば、本明細書における本発明の本実施形態では、第１ネットワークデバイスはＵＥであり、かつ、第２ネットワークデバイスは基地局であることが例として用いられる。基地局は、無線リソース制御（Ｒａｄｉｏ  Ｒｅｓｏｕｒｃｅ  Ｃｏｎｔｒｏｌ、ＲＲＣ）シグナリングを用いることにより、ハイブリッドＣＳＩ測定プロセス（Ｈｙｂｒｉｄ  ＣＳＩ  Ｐｒｏｅｓｓ）を構成してよい。ハイブリッドＣＳＩ測定プロセスは、同じＣＳＩ測定プロセスにおいて第１ＣＳＩ及び第２ＣＳＩを基地局に報告すべく、ＵＥに用いられる。第２測定パイロットは１６個のポートを含み、第１測定パイロットは８つのポートを含む。
【０４２１】
例えば、本発明の本実施形態における変更フラグは、タイプＡとタイプＢとを切り替えることについてのフラグである。
【０４２２】
以下では、第２ＣＳＩのいくつかの実装、第１ＣＳＩのいくつかの実装、及び、ＵＥにより変更フラグを決定することについての異なる実装、並びに、本発明の本実施形態における「ＣＳＩ測定プロセスにおいて第１ＣＳＩ及び第２ＣＳＩを報告する」ことの組み合わせを説明するための例を用いる。
【０４２３】
図１７に示されるように、ＵＥが変更フラグを基地局に報告する前、かつ、ＵＥが、第２測定パイロットを測定することにより第２ＣＳＩを取得した後に、ＵＥは、第２ＲＩ及びＷ１を含む第２ＣＳＩを基地局に報告する。ＵＥが変更フラグを基地局に報告した後に、第１測定パイロットのみを現在測定するようＵＥに指示すべく測定パイロットが用いられる場合、ＵＥは、第１測定パイロットを測定することを開始して第１ＣＳＩを取得し、第１ＣＳＩを基地局に報告してよい。
【０４２４】
図１８に示されるように、基地局は、パイロットを測定するために、ＵＥにより用いられる方式をＵＥに示してよい。加えて、第１ＣＳＩは、第１ＰＭＩ及び第１ＣＱＩのみを含んでよい。
【０４２５】
ＵＥが第２測定パイロットを測定して第２ＣＳＩを取得した後に、ＵＥは、第２ＣＳＩ内の第２ＲＩ及びＷ１を基地局にフィードバックしてよい。加えて、基地局は、第２測定パイロットのみを現在測定するので、ＵＥは、第２ＣＱＩ及びＷ２を含む第２ＣＳＩを基地局に報告する。ＵＥは、変更フラグを基地局に報告した後に、第１測定パイロットのみを現在測定するようＵＥに指示すべく測定パイロットが用いられる場合、ＵＥは、第１測定パイロットを測定することを開始して第１ＣＳＩを取得し、第１ＣＳＩを基地局に報告してよい。第１ＣＳＩは第１ＰＭＩ及び第１ＣＱＩを含む。
【０４２６】
図１８に示されるように、基地局は、パイロットを測定するために、ＵＥにより用いられる方式をＵＥに示してよい。加えて、第１ＣＳＩは、第１ＰＭＩ、第１ＲＩ、及び第１ＣＱＩを含んでよい。
【０４２７】
ＵＥが第２測定パイロットを測定して第２ＣＳＩを取得した後に、ＵＥは、第２ＣＳＩ内の第２ＲＩ、Ｗ１、及びＷ２の列選択情報を基地局にフィードバックしてよい。加えて、基地局が、第２測定パイロットのみを現在測定するので、ＵＥは、第２ＣＱＩ及びＷ２を含む第２ＣＳＩを基地局に報告する。ＵＥが変更フラグを基地局に報告した後に、第１測定パイロットのみを現在測定するようＵＥに指示すべく測定パイロットが用いられる場合、ＵＥは、第１測定パイロットを測定することを開始して第１ＣＳＩを取得し、第１ＣＳＩを基地局に報告してよい。第１ＣＳＩは、第１ＰＭＩ及び第１ＣＱＩだけでなく第１ＲＩも含む。
【０４２８】
図１７から図１９に示される先述の３つの例のそれぞれにおいて、第１測定パイロットのポート数は、最近報告された第２ＣＳＩ内の第２ＲＩに従って決定されてよい。
【０４２９】
例えば、先述の３つの例において、第２ＲＩが１であるとき、第１測定パイロット内のポートがポート１５であり、第２ＲＩが２であるとき、第１測定パイロット内の複数のポートがポート１５及びポート１６であり、第２ＲＩが３であるとき、第１測定パイロット内の複数のポートがポート１５から１８であり、第２ＲＩが４であるとき、第１測定パイロット内の複数のポートはポート１５から１８であることを示す。
【０４３０】
本発明の本実施形態において、第２ＲＩは、第１測定パイロット内の特定のポートを直接的に示すべく用いられてよく、第１測定パイロット内の特定のポートを決定すべく用いられ得るポート指標フラグを間接的に示すべく用いられてもよいことが理解され得る。例えば、第２ＲＩが１であるとき、ポート指標フラグが１であることを示してよく、ポート指標フラグ１は、第１測定パイロットにおけるポートがポート１５であることを示してよく、第２ＲＩが２であるとき、ポート指標フラグが２であることを示してよく、ポート指標フラグ２は、第１測定パイロット内の複数のポートがポート１５及びポート１６であることを示してよく、第２ＲＩが３であるとき、ポート指標フラグが３であることを示してよく、ポート指標フラグ３は、第１測定パイロット内の複数のポートがポート１５から１８であることを示してよく、第２ＲＩが４であるとき、ポート指標フラグが４であることを示してよく、ポート指標フラグ４は、第１測定パイロット内の複数のポートがポート１５から１８であることを示してよい。
【０４３１】
本発明の本実施形態で提供されるＣＳＩ測定及びフィードバック方法によれば、第２ネットワークデバイスは、第２測定パイロットを第１ネットワークデバイスにまず送信し、第１ネットワークデバイスは、第２測定パイロットを測定して第２ＣＳＩを取得し、第２ＣＳＩに従って第１信号を決定し、そして、第１ネットワークデバイスは、第１信号を第２ネットワークデバイスに報告する。この場合、第２ネットワークデバイスは、第１ネットワークデバイスによりフィードバックされる第１信号に従って、第１測定パイロットを適応的に構成できる。最後に、第２ネットワークデバイスにより第１ネットワークデバイスに送信される第１測定パイロットは可変であり、第１測定パイロットは、第１信号の内容の変化と共に変化する。第１ネットワークデバイスがＵＥであり、かつ、第２ネットワークデバイスが基地局であるとき、ＵＥにより測定される第１測定パイロットは、第１信号に従って基地局により決定される測定パイロットである。従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の本実施形態における方法を用いることで解消され得る。
【０４３２】
本発明の実施形態は、ＣＳＩ測定及びフィードバック方法をさらに提供する。図７に示されるように、方法は、以下の段階を含む。
【０４３３】
Ｓ４０１、第１ネットワークデバイスは、第１信号を第２ネットワークデバイスに送信し、第１信号は、アップリンクサウンディング基準信号（英語：Ｓｏｕｎｄｉｎｇ  Ｒｅｆｅｒｅｎｃｅ  Ｓｉｇｎａｌ、略してＳＲＳ）である。
【０４３４】
第１信号は、第１信号に従って第１測定パイロットを決定し、第１測定パイロットを第１ネットワークデバイスに送信すべく、第２ネットワークデバイスに用いられる。第１測定パイロットはＣＳＩ‐ＲＳであってよい。
【０４３５】
任意に、第１ネットワークデバイスはＵＥであり、第２ネットワークデバイスは基地局であり、又は、第１ネットワークデバイスはＵＥであり、第２ネットワークデバイスはＵＥであり、又は、第１ネットワークデバイスは基地局であり、第２ネットワークデバイスは基地局である。第１ネットワークデバイス及び第２ネットワークデバイスは、他の複数の形態おけるネットワークデバイスであってよく、本明細書において、本発明の本実施形態における第１ネットワークデバイス及び第２ネットワークデバイスの特定の形態に制限が課されることはない。
【０４３６】
Ｓ４０２、第２ネットワークデバイスは、第１信号に従って第１測定パイロットを決定し、第１測定パイロットを第１ネットワークデバイスに送信する。
【０４３７】
第２ネットワークデバイスは、ＳＲＳに従ってチャネル品質を推定し、推定されたチャネル品質に従って第１測定パイロットを決定してよい。
【０４３８】
Ｓ４０３、第２ネットワークデバイスは、第１測定パイロットの構成情報を決定する。
【０４３９】
第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０４４０】
Ｓ４０４、第２ネットワークデバイスは、第１シグナリングを第１ネットワークデバイスに送信し、第１シグナリングは、第１測定パイロットの構成情報を搬送する。
【０４４１】
任意に、第１シグナリングは、より高い層のシグナリングであり、又は、第１シグナリングは、第１ネットワークデバイスに固有の動的なシグナリングであり、又は、第１シグナリングは、第１ネットワークデバイスのグループに固有の動的なシグナリングである。
【０４４２】
Ｓ４０５、第１ネットワークデバイスは、第１測定パイロットの構成情報を決定する。
【０４４３】
具体的には、第１ネットワークデバイスは、第１シグナリングに従って第１測定パイロットの構成情報を決定してよい。
【０４４４】
Ｓ４０６、第１ネットワークデバイスは、第２ネットワークデバイスにより送信された第１測定パイロットを測定して第１ＣＳＩを取得する。
【０４４５】
第１ＣＳＩは、ＣＱＩ、ＰＭＩ、ＲＩ、及びポート選択情報のうちの少なくとも１つを含む。第１ＣＳＩに含まれるポート選択情報は、第１測定パイロット内の複数のポートから第１ネットワークデバイスにより選択されたポートのポート番号を示すべく用いられる。
【０４４６】
Ｓ４０７、第１ネットワークデバイスは、第１ＣＳＩを第２ネットワークデバイスに送信する。
【０４４７】
本発明の本実施形態で提供されるＣＳＩ測定及びフィードバック方法によれば、第２ネットワークデバイスにより送信される第１測定パイロットを第１ネットワークデバイスが受信する前に、第１ネットワークデバイスは、第１信号を第２ネットワークデバイスに送信し、第１信号は、第１信号に従って第１測定パイロットを決定すべく、第２ネットワークデバイスに用いられる。故に、第１測定パイロットは、第１信号の内容の変化と共に変化する、すなわち、本発明の本実施形態における第１測定パイロットは可変である。第１ネットワークデバイスがＵＥであり、かつ、第２ネットワークデバイスが基地局であるとき、ＵＥにより測定される第１測定パイロットは、第１信号に従って基地局により決定される測定パイロットである。従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の本実施形態における方法を用いることで解消され得る。
【０４４８】
本発明の実施形態は、第１ネットワークデバイスをさらに提供する。図８に示されるように、第１ネットワークデバイスは、送信ユニット５１、受信ユニット５２、及び測定ユニット５３を含む。
【０４４９】
送信ユニット５１は、第１信号を第２ネットワークデバイスに送信するように構成される。第１信号は、第１信号に従って第１測定パイロットを決定し、第１測定パイロットを第１ネットワークデバイスに送信すべく、第２ネットワークデバイスに用いられる。
【０４５０】
受信ユニット５２は、第２ネットワークデバイスにより送信された第１測定パイロットを受信するように構成される。
【０４５１】
測定ユニット５３は、第１測定パイロットを測定して第１ＣＳＩを取得するように構成される。第１ＣＳＩは、ＣＱＩ、ＰＭＩ、ＲＩ、及びポート選択情報のうちの少なくとも１つを含み、ポート選択情報は、第１測定パイロット内の複数のポートから第１ネットワークデバイスにより選択されたポートのポート番号を示すべく用いられる。
【０４５２】
送信ユニット５１は、第１ＣＳＩを第２ネットワークデバイスに送信するようにさらに構成される。
【０４５３】
任意に、第１信号はＳＲＳである。
【０４５４】
好ましくは、第１信号は、送信ユニット５１により第２ネットワークデバイスに送信される第２ＣＳＩを含み、第２ＣＳＩは、測定ユニットによって第２測定パイロットを測定することにより取得され、第２測定パイロットは、半静的なシグナリング、又は第１ネットワークデバイスのグループに固有にシグナリングを用いることにより、第２ネットワークデバイスによって、第１ネットワークデバイスに対して構成される測定パイロットである。
【０４５５】
さらに、図９に示されるように、本発明の本実施形態における第１ネットワークデバイスは、決定ユニット５４をさらに含む。
【０４５６】
決定ユニット５４は、第２ネットワークデバイスにより送信された第１測定パイロットを受信ユニット５２が受信し、かつ、第１測定パイロットが測定される前に、第１測定パイロットの構成情報を決定するように構成される。第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０４５７】
さらに、決定ユニット５４は、具体的には、第１信号に従って第１測定パイロットの構成情報を決定するように構成される。
【０４５８】
さらに、決定ユニット５４は、具体的には、送信ユニットにより第２ネットワークデバイスに最後に送信された第１信号に従って第１測定パイロットの構成情報を決定するように構成される。
【０４５９】
さらに、決定ユニット５４は、具体的には、
送信ユニット５１により第２ネットワークデバイスに最後に送信された第１信号内のＰＭＩに従って第１測定パイロットのパイロットパターンを決定するように構成され、ＰＭＩとパイロットパターンの間に対応関係があり、又は、送信ユニット５１により第２ネットワークデバイスに最後に送信された第１信号内のＲＩに従って第１測定パイロットのパイロットパターンを決定するように構成され、ＲＩとパイロットパターンとの間に対応関係がある。
【０４６０】
さらに、ＲＩが別のＲＩよりも低い場合、ＲＩに対応するパイロットパターンは、別のＲＩに対応するパイロットパターンのサブセットである。
【０４６１】
さらに、受信ユニット５２は、第２ネットワークデバイスより送信された第１シグナリングを受信するようにさらに構成される。第１シグナリングは、第１測定パイロットの構成情報を搬送する。
【０４６２】
決定ユニット５４は、第１シグナリングに従って第１測定パイロットの構成情報を決定するようにさらに構成される。
【０４６３】
第１シグナリングは、より高い層のシグナリング、第１ネットワークデバイスに固有の動的なシグナリング、及び第１ネットワークデバイスのグループに固有の動的なシグナリングのうちの少なくとも１つである。
【０４６４】
さらに、第１ネットワークデバイスに固有の動的なシグナリングは、ＰＤＣＣＨ又はＥＰＤＣＣＨに加えられて送信される。
【０４６５】
さらに、第１ネットワークデバイスに固有の動的なシグナリングは、ＤＬ  ｇｒａｎｔシグナリング又はＵＬ  ｇｒａｎｔシグナリングである。
【０４６６】
さらに、第１ネットワークデバイスのグループに固有の動的なシグナリングは、ＰＤＣＣＨ又はＥＰＤＣＣＨに加えられて送信される。
【０４６７】
さらに、第１ネットワークデバイスのグループに固有の動的なシグナリングは、第１ネットワークデバイスが属するグループの識別子を用いることによりスクランブリングが実行された後に取得される動的なシグナリングである。
【０４６８】
さらに、決定ユニット５４は、より高い層のシグナリングに従って、第１ネットワークデバイスが属するグループの識別子を決定し、第１ネットワークデバイスが属するグループの識別子に従って、第１ネットワークデバイスのグループに固有の動的なシグナリングから第１測定パイロットの構成情報を決定するようにさらに構成され、又は、より高い層のシグナリングに従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成され、又は、
第１信号に従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成される。
【０４６９】
さらに、決定ユニット５４は、第２ＣＳＩに含まれるポート選択情報、及び第１マッピング関係に従って、第１ネットワークデバイスが属するグループの識別子を決定するようにさらに構成され、第１マッピング関係は、ポート番号と、第１ネットワークデバイスが属するグループの識別子との間の対応関係を示すべく用いられ、又は、第２ＣＳＩに含まれるサブバンド情報、及び第２マッピング関係に従って、第１ネットワークデバイスが属するグループの識別子を決定するようにさらに構成され、第２マッピング関係は、サブバンド情報と、第１ネットワークデバイスが属するグループの識別子との間の対応関係を示すべく用いられ、又は、
受信ユニット５２は、第１ネットワークデバイスが属するグループの識別子を受信するようにさらに構成され、第１ネットワークデバイスが属するグループの識別子は、第２ネットワークデバイスにより送信され、かつ、第１信号に従って第２ネットワークデバイスにより決定される。
【０４７０】
さらに、受信ユニット５２は、送信ユニット５１が第１信号を第２ネットワークデバイスに送信する前に、第２ネットワークデバイスにより送信された第２測定パイロットを受信するようにさらに構成される。
【０４７１】
測定ユニット５３は、第２測定パイロットを測定して第２ＣＳＩを取得するようにさらに構成される。
【０４７２】
決定ユニット５４は、第２ＣＳＩに従って第１信号を決定するようにさらに構成される。
【０４７３】
さらに、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０４７４】
さらに、Ｍ個のポートから第１ネットワークデバイスにより選択されたＮ個のポートのポート番号は、具体的には、
Ｍ個の第２測定パイロットを測定すること、及び、降順にＭ個の第２測定パイロットの信号品質をソートすることにより第１ネットワークデバイスによって取得される最も高い信号品質の第１のＮ個のポート番号であり、第１のＮ個のポート番号は、第２測定パイロットに対応する。
【０４７５】
さらに、決定ユニット５４は、第１信号に従って、第１測定パイロットのポート数をＮとして決定するようにさらに構成される。
【０４７６】
さらに、決定ユニット５４は、第１信号及び第３マッピング関係に従って第１測定パイロットの期間を決定するようにさらに構成される。第３マッピング関係は、第１測定パイロットのポート数と第１測定パイロットの期間との間の対応関係を示すべく用いられる。
【０４７７】
さらに、決定ユニット５４は、第１信号及び第４マッピング関係に従って第１測定パイロットのシーケンス情報を決定するようにさらに構成される。第４マッピング関係は、第１測定パイロットのポート数と第１測定パイロットのシーケンス情報との間の対応関係を示すべく用いられる。
【０４７８】
さらに、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含む。ＣＳＩ測定プロセスにおいて、第２測定パイロットの構成情報は、変化しないままである。
【０４７９】
さらに、受信ユニット５２は、測定ユニット５３が第２測定パイロットを測定する前に、第２ネットワークデバイスにより送信された第２シグナリングを受信するようにさらに構成される。第２シグナリングは、第２測定パイロットの構成情報を搬送する。
【０４８０】
決定ユニット５４は、第２シグナリングに従って第１測定パイロットの構成情報を決定するようにさらに構成される。
【０４８１】
第２シグナリングは、半静的なシグナリングであり、又は、第２シグナリングは、第１ネットワークデバイスのグループに固有の動的なシグナリングである。
【０４８２】
任意に、第２測定パイロット及び第１測定パイロットは、異なるＣＳＩ測定プロセスに属する。
【０４８３】
任意に、第２測定パイロット及び第１測定パイロットは、同じＣＳＩ測定プロセスに属する。
【０４８４】
さらに、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【０４８５】
さらに、送信ユニット５１は、ＣＳＩ測定プロセスにおいて第３ＣＳＩを報告する。第３ＣＳＩは、第１測定パイロットを測定することにより決定された第１ＣＳＩ、及び第２測定パイロットを測定することにより決定された第２ＣＳＩを含む。
【０４８６】
さらに、第１ＣＳＩは、第１ＲＩ、第１ＰＭＩ、及び第１ＣＱＩを含む、又は、第１ＣＳＩは、第１ＰＭＩ及び第１ＣＱＩを含む。
【０４８７】
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【０４８８】
さらに、第２ＣＳＩは、第２ＲＩ及び第２ＰＭＩを含み、第２ＲＩ及び第２ＰＭＩは、同じ時点でフィードバックされ、又は第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、又は、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、又は、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされる。
【０４８９】
第２ＣＱＩは、第２ＲＩ、及び第２ＰＭＩに対応するプリコーディング行列に従って決定される。第２ＲＩ及び第２ＰＭＩは、第２測定パイロットを測定することにより決定される。第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含む。二重コードブック構成は、Ｗ＝Ｗ１×Ｗ２であり、
【数２０２】
0006690848.tif 000203
であり、Ｗ１は対角行列であり、Ｗ１は第１プリコーディング部分行列であり、Ｗ２は第２プリコーディング部分行列である。
【０４９０】
さらに、第２ＲＩ、第１プリコーディング部分行列に対応するインデックス、第２プリコーディング部分行列に対応するインデックス、及び第２ＣＳＩの第２ＣＱＩのうちの少なくとも１つは、結合符号化方式又は独立符号化方式で符号化され、第２ＲＩ、第１プリコーディング部分行列に対応するインデックス、第２プリコーディング部分行列に対応するインデックス、及び第２ＣＳＩの第２ＣＱＩのうちの少なくとも１つは、送信ユニット５１により同じ時点で第２ネットワークデバイスにフィードバックされる。
【０４９１】
さらに、第３ＣＳＩは、変更指標をさらに含む。変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【０４９２】
さらに、送信ユニット５１は、変更フラグと、第２ＲＩ、第１プリコーディング部分行列に対応するインデックス、第２プリコーディング部分行列に対応するインデックス、及び第２ＣＱＩのうちの少なくとも１つとを同じ時点で第２ネットワークデバイスにフィードバックし、又は、送信ユニット５１は、変更フラグ、第２ＲＩ、及びプリコーディングタイプ指標ＰＴＩを同じ時点で第２ネットワークデバイスにフィードバックする。
【０４９３】
さらに、測定ユニット５３は、送信ユニット５１が変更フラグを第２ネットワークデバイスに報告する前に、第１測定パイロットのみを測定して第１ＣＳＩをフィードバックし、送信ユニット５１が変更フラグを第２ネットワークデバイスに報告した後に、第２測定パイロットのみを測定して第２ＣＳＩをフィードバックするようにさらに構成され、又は、
測定ユニット５３は、送信ユニット５１が変更フラグを第２ネットワークデバイスに報告する前に、第２測定パイロットのみを測定して第２ＣＳＩを報告し、送信ユニットが変更フラグを第２ネットワークデバイスに報告した後に、第１測定パイロットのみを測定して第１ＣＳＩをフィードバックするようにさらに構成される。
【０４９４】
さらに、測定ユニット５３は、送信ユニット５１が変更フラグを第２ネットワークデバイスにフィードバックする前に、第１測定パイロットのみを測定して第１ＣＳＩをフィードバックし、送信ユニット５１が変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成され、又は、
測定ユニット５３は、送信ユニット５１が変更フラグを第２ネットワークデバイスにフィードバックする前に、第２測定パイロットのみを測定して第２ＣＳＩをフィードバックし、送信ユニット５１が変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成される。
【０４９５】
さらに、受信ユニット５２は、第２ネットワークデバイスにより送信された構成情報を受信するようにさらに構成される。
【０４９６】
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０４９７】
さらに、ＣＳＩ測定プロセスにおいて、第１測定パイロットの構成情報は可変である。
【０４９８】
さらに、ＣＳＩ測定プロセスにおいて、第１測定パイロットのポート数は可変である。
【０４９９】
さらに、第１ＣＳＩのＰＭＩはプリコーディング行列Ｗを含む。Ｗの値について、Ｓ３０９に関連する説明を参照してよく、本発明の本実施形態において、詳細がここで繰り返されることはない。
【０５００】
任意に、第２ＣＳＩに含まれるポート選択情報は最良のＭ方式で表される。最良のＭ方式の具体的な説明について、式１を参照してよく、本実施形態において、詳細がここで繰り返されない。
【０５０１】
任意に、第２ＣＳＩに含まれるポート選択情報はビットマップ方式で表される。
【０５０２】
任意に、第１ネットワークデバイスはユーザ機器ＵＥであり、第２ネットワークデバイスは基地局であり、又は、第１ネットワークデバイスはＵＥであり、第２ネットワークデバイスはＵＥであり、又は、第１ネットワークデバイスは基地局であり、第２ネットワークデバイスは基地局である。
【０５０３】
さらに、第１測定パイロットはＣＳＩ‐ＲＳである。
【０５０４】
さらに、第２測定パイロットはＣＳＩ‐ＲＳである。
【０５０５】
本発明の本実施形態で提供される第１ネットワークデバイスのいくつかの機能モジュールの具体的な説明について、本実施形態において、方法の実施形態における対応する内容が参照されてよく、詳細がここで繰り返されないことに留意すべきである。
【０５０６】
本発明の本実施形態で提供される第１ネットワークデバイスによれば、第２ネットワークデバイスにより送信される第１測定パイロットを受信ユニットが受信する前に、送信ユニットは、第１信号を第２ネットワークデバイスに送信し、第１信号は、第１信号に従って第１測定パイロットを決定すべく、第２ネットワークデバイスに用いられる。故に、第１測定パイロットは、第１信号の内容の変化と共に変化する、すなわち、本発明の本実施形態における第１測定パイロットは可変である。第１ネットワークデバイスがＵＥであり、かつ、第２ネットワークデバイスが基地局であるとき、ＵＥにより測定される第１測定パイロットは、第１信号に従って基地局により決定される測定パイロットである。従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の本実施形態における方法を用いることで解消され得る。
【０５０７】
本発明の実施形態は、第２ネットワークデバイスをさらに提供する。図１０に示されるように、第２ネットワークデバイスは、受信ユニット６１、決定ユニット６２、及び送信ユニット６３を含む。
【０５０８】
受信ユニット６１は、第１ネットワークデバイスにより送信された第１信号を受信するように構成される。第１信号は、第１信号に従って第１測定パイロットを決定すべく、第２ネットワークデバイスに用いられる。
【０５０９】
決定ユニット６２は、第１信号に従って第１測定パイロットを決定するように構成される。
【０５１０】
送信ユニット６３は、第１測定パイロットを第１ネットワークデバイスに送信するように構成される。
【０５１１】
受信ユニット６１は、第１ネットワークデバイスにより送信された第１ＣＳＩを受信するようにさらに構成される。第１ＣＳＩは、第１ネットワークデバイスによって第１測定パイロットを測定することにより取得され、第１ＣＳＩは、ＣＱＩ、ＰＭＩ、ＲＩ、及びポート選択情報のうちの少なくとも１つを含み、ポート選択情報は、第１測定パイロット内の複数のポートから第１ネットワークデバイスにより選択されたポートのポート番号を示すべく用いられる。
【０５１２】
さらに、第１信号はアップリンクＳＲＳであり、又は、第１信号は、第１ネットワークデバイスにより第２ネットワークデバイスに報告される第２ＣＳＩを含み、第２ＣＳＩは、第１ネットワークデバイスによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【０５１３】
さらに、第２ＣＳＩは、ＰＭＩ、ポート選択情報、及びサブバンド情報のうちの少なくとも１つを含む。第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【０５１４】
さらに、決定ユニット６２は、第１測定パイロットの構成情報を決定するようにさらに構成される。第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０５１５】
さらに、決定ユニット６２は、具体的には、第１信号に従って第１測定パイロットの構成情報を決定するように構成される。
【０５１６】
さらに、決定ユニット６２は、具体的には、受信ユニット６１により最後に受信された第１信号に従って第１測定パイロットの構成情報を決定するように構成される。
【０５１７】
さらに、決定ユニット６２は、具体的には、
受信ユニット６１により最後に受信された第１信号内のＰＭＩに従って第１測定パイロットのパイロットパターンを決定するように構成され、ＰＭＩとパイロットパターンの間に対応関係があり、又は、
受信ユニット６１により最後に受信された第１信号内のＲＩに従って第１測定パイロットのパイロットパターンを決定するように構成され、ＲＩとパイロットパターンとの間に対応関係がある。
【０５１８】
さらに、ＲＩが別のＲＩよりも低い場合、ＲＩに対応するパイロットパターンは、別のＲＩに対応するパイロットパターンのサブセットである。
【０５１９】
さらに、送信ユニット６３は、決定ユニット６２が第１測定パイロットの構成情報を決定した後に、第１シグナリングを第１ネットワークデバイスに送信するようにさらに構成される。第１シグナリングは、第１測定パイロットの構成情報を搬送する。
【０５２０】
第１シグナリングは、より高い層のシグナリング、第１ネットワークデバイスに固有の動的なシグナリング、及び第１ネットワークデバイスのグループに固有の動的なシグナリングのうちの少なくとも１つである。
【０５２１】
さらに、送信ユニット６３は、具体的には、第１ネットワークデバイスに固有の動的なシグナリングをＰＤＣＣＨ又はＥＰＤＣＣＨに加えて、ＰＤＣＣＨ又はＥＰＤＣＣＨを第１ネットワークデバイスに送信するように構成される。
【０５２２】
さらに、第１ネットワークデバイスに固有の動的なシグナリングは、ＤＬ  ｇｒａｎｔシグナリング又はＵＬ  ｇｒａｎｔシグナリングである。
【０５２３】
さらに、送信ユニット６３は、具体的には、第１ネットワークデバイスのグループに固有の動的なシグナリングをＰＤＣＣＨ又はＥＰＤＣＣＨに加えて、ＰＤＣＣＨ又はＥＰＤＣＣＨを第１ネットワークデバイスに送信するように構成される。
【０５２４】
さらに、第１ネットワークデバイスのグループに固有の動的なシグナリングは、第１ネットワークデバイスが属するグループの識別子を用いることにより第２ネットワークデバイスによってスクランブリングを実行することにより取得される動的なシグナリングである。
【０５２５】
さらに、決定ユニット６２は、第１ネットワークデバイスにより送信された第１信号に従って、第１ネットワークデバイスが属するグループの識別子を決定するようにさらに構成される。
【０５２６】
送信ユニット６３は、第１ネットワークデバイスが属するグループの識別子を、より高い層のシグナリングを用いることにより、第１ネットワークデバイスに送信するようにさらに構成される。
【０５２７】
さらに、送信ユニット６３は、第１ネットワークデバイスにより送信される第１信号を受信ユニット６１が受信する前に、第２測定パイロットを測定するよう第１ネットワークデバイスに指示すべく、第２測定パイロットを第１ネットワークデバイスに送信するようにさらに構成される。
【０５２８】
送信ユニット６３は、第２シグナリングを第１ネットワークデバイスに送信するようにさらに構成される。第２シグナリングは、第２測定パイロットの構成情報を搬送する。
【０５２９】
第２シグナリングは、半静的なシグナリングであり、又は、第２シグナリングは、第１ネットワークデバイスのグループに固有の動的なシグナリングである。第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含む。ＣＳＩ測定プロセスにおいて、第２測定パイロットの構成情報は、変化しないままである。
【０５３０】
さらに、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０５３１】
さらに、決定ユニット６２は、第１信号に従って、第１測定パイロットのポート数をＮとして決定するようにさらに構成される。
【０５３２】
さらに、決定ユニット６２は、第１信号及び第１マッピング関係に従って、第１測定パイロットの期間を決定するようにさらに構成される。第１マッピング関係は、第１測定パイロットのポート数と第１測定パイロットの期間との間の対応関係を示すべく用いられる。
【０５３３】
さらに、決定ユニット６２は、第１信号及び第２マッピング関係に従って、第１測定パイロットのシーケンス情報を決定するようにさらに構成される。第２マッピング関係は、第１測定パイロットのポート数と第１測定パイロットのシーケンス情報との間の対応関係を示すべく用いられる。
【０５３４】
任意に、第２測定パイロット及び第１測定パイロットは、異なるＣＳＩ測定プロセスに属する。
【０５３５】
任意に、第２測定パイロット及び第１測定パイロットは、同じＣＳＩ測定プロセスに属する。
【０５３６】
さらに、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【０５３７】
さらに、受信ユニットは、ＣＳＩ測定プロセスにおいて、第１ネットワークデバイスにより報告された第３ＣＳＩを受信する。第３ＣＳＩは、第１測定パイロットを測定することにより決定された第１ＣＳＩ、及び第２測定パイロットを測定することにより決定された第２ＣＳＩを含む。
【０５３８】
さらに、第１ＣＳＩは、第１ＲＩ、第１ＰＭＩ、及び第１ＣＱＩを含み、又は、第１ＣＳＩは、第１ＰＭＩ及び第１ＣＱＩを含む。
【０５３９】
第１ＲＩ及び第１ＰＭＩは、第１測定パイロットを測定することにより決定され、第１ＣＱＩは、第２ＲＩ、及び第１ＰＭＩに対応するプリコーディング行列に従って決定されたＣＱＩである。
【０５４０】
さらに、第２ＣＳＩは、第２ＲＩ及び第２ＰＭＩを含み、第２ＲＩ及び第２ＰＭＩは、同じ時点でフィードバックされ、第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、又は、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、又は、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされる。
【０５４１】
第２ＣＱＩは、第２ＲＩ、及び第２ＰＭＩに対応するプリコーディング行列に従って決定される。第２ＲＩ及び第２ＰＭＩは、第２測定パイロットを測定することにより決定される。第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含む。二重コードブック構成は、Ｗ＝Ｗ１×Ｗ２であり、
【数２０３】
0006690848.tif 000204
であり、Ｗ１は対角行列であり、Ｗ１は第１プリコーディング部分行列であり、Ｗ２は第２プリコーディング部分行列である。
【０５４２】
さらに、第２ＲＩ、第１プリコーディング部分行列に対応するインデックス、第２プリコーディング部分行列に対応するインデックス、及び第２ＣＳＩの第２ＣＱＩのうちの少なくとも１つは、結合符号化方式又は独立符号化方式で符号化され、第２ＲＩ、第１プリコーディング部分行列に対応するインデックス、第２プリコーディング部分行列に対応するインデックス、及び第２ＣＳＩの第２ＣＱＩのうちの少なくとも１つは、第１ネットワークデバイスによりフィードバックされ、かつ、同じ時点で受信ユニット６１により受信される。
【０５４３】
さらに、第３ＣＳＩは、変更指標をさらに含む。変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【０５４４】
さらに、受信ユニット６１は、第１ネットワークデバイスによりフィードバックされる、変更フラグと、第２ＲＩ、第１プリコーディング部分行列に対応するインデックス、第２プリコーディング部分行列に対応するインデックス、及び第２ＣＱＩのうちの少なくとも１つとを同じ時点で受信するようにさらに構成され、又は、
受信ユニット６１は、変更フラグ、第２ＲＩ、及びプリコーディングタイプ指標ＰＴＩを同じ時点で受信するようにさらに構成され、変更フラグ及び第２ＲＩは、第１ネットワークデバイスによりフィードバックされる。
【０５４５】
さらに、第１ネットワークデバイスにより報告される変更フラグを受信ユニット６１が受信する前に、受信ユニット６１により受信されるＣＳＩは、第１ネットワークデバイスによって第１測定パイロットのみを測定することにより取得される第１ＣＳＩであり、第１ネットワークデバイスにより報告された変更フラグを受信ユニット６１が受信した後に、受信ユニット６１により受信されるＣＳＩは、第１ネットワークデバイスによって第２測定パイロットのみを測定することにより取得される第２ＣＳＩであり、又は、
第１ネットワークデバイスにより報告される変更フラグを受信ユニット６１が受信する前に、受信ユニットにより受信されるＣＳＩは、第１ネットワークデバイスによって第２測定パイロットのみを測定することにより取得される第２ＣＳＩであり、第１ネットワークデバイスにより報告された変更フラグを受信ユニット６１が受信した後に、受信ユニット６１により受信されるＣＳＩは、第１ネットワークデバイスによって第１測定パイロットのみを測定することにより取得される第１ＣＳＩであり、又は、
第１ネットワークデバイスにより報告される変更フラグを受信ユニット６１が受信する前に、受信ユニット６１により受信されるＣＳＩは、第１ネットワークデバイスによって第１測定パイロットのみを測定することにより取得される第１ＣＳＩであり、第１ネットワークデバイスにより報告された変更フラグを受信ユニット６１が受信した後に、受信ユニット６１により受信されるＣＳＩは、第１ネットワークデバイスによって第１測定パイロットを測定することにより取得される第１ＣＳＩと、第１ネットワークデバイスにより第２測定パイロットを測定することにより取得される第２ＣＳＩとを含み、又は、
第１ネットワークデバイスにより報告される変更フラグを受信ユニット６１が受信する前に、受信ユニット６１により受信されるＣＳＩは、第１ネットワークデバイスによって第２測定パイロットのみを測定することにより取得され、第１ネットワークデバイスにより報告された変更フラグを受信ユニット６１が受信した後に、受信ユニット６１により受信されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含む。
【０５４６】
さらに、送信ユニット６３は、構成情報を第１ネットワークデバイスに送信するようにさらに構成される。
【０５４７】
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０５４８】
さらに、ＣＳＩ測定プロセスにおいて、第１測定パイロットの構成情報は可変である。
【０５４９】
さらに、ＣＳＩ測定プロセスにおいて、第１測定パイロットのポート数は可変である。
【０５５０】
さらに、第１ＣＳＩのＰＭＩはプリコーディング行列Ｗを含む。Ｗの値について、Ｓ３０９に関連する説明を参照してよく、本発明の本実施形態において、詳細がここで繰り返されることはない。
【０５５１】
さらに、第２ＣＳＩに含まれるポート選択情報は、最良のＭ方式で表され、又は、第２ＣＳＩに含まれるポート選択情報は、ビットマップ方式で表される。最良のＭ方式の具体的な説明について、式１を参照してよく、詳細は、本実施形態において、ここで繰り返されることはない。
【０５５２】
任意に、第１ネットワークデバイスはＵＥであり、第２ネットワークデバイスは基地局であり、又は、第１ネットワークデバイスはＵＥであり、第２ネットワークデバイスはＵＥであり、又は、第１ネットワークデバイスは基地局であり、第２ネットワークデバイスは基地局である。
【０５５３】
さらに、第１測定パイロットはＣＳＩ‐ＲＳである。
【０５５４】
さらに、第２測定パイロットはＣＳＩ‐ＲＳである。
【０５５５】
本発明の本実施形態で提供される第２ネットワークデバイスのいくつかの機能モジュールの具体的な説明について、本実施形態において、方法の実施形態における対応する内容が参照されてよく、詳細がここで繰り返されないことに留意すべきである。
【０５５６】
本発明の本実施形態で提供される第２ネットワークデバイスによれば、第２ネットワークデバイスは、第１ネットワークデバイスから受信した第１信号に従って第１測定パイロットを決定する。故に、第１測定パイロットは、第１信号の内容の変化と共に変化する、すなわち、本発明の本実施形態における第１測定パイロットは可変である。第１ネットワークデバイスがＵＥであり、かつ、第２ネットワークデバイスが基地局であるとき、基地局によりＵＥに送信される第１測定パイロットは、第１信号に従って基地局により決定される。従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の本実施形態における方法を用いることで解消され得る。
【０５５７】
本発明の実施形態は、第１ネットワークデバイスをさらに提供する。図１１に示されるように、第１ネットワークデバイスは、伝送機７１、受信機７２、及びプロセッサ７３を含む。
【０５５８】
伝送機７１は、第１信号を第２ネットワークデバイスに送信するように構成される。第１信号は、第１信号に従って第１測定パイロットを決定し、第１測定パイロットを第１ネットワークデバイスに送信すべく、第２ネットワークデバイスに用いられる。
【０５５９】
受信機７２は、第２ネットワークデバイスにより送信された第１測定パイロットを受信するように構成される。
【０５６０】
プロセッサ７３は、第１測定パイロットを測定して第１ＣＳＩを取得し、第１ＣＳＩを第２ネットワークデバイスに送信するように構成される。第１ＣＳＩは、ＣＱＩ、ＰＭＩ、ＲＩ、及びポート選択情報の少なくとも１つを含み、ポート選択情報は、第１測定パイロット内の複数のポートから第１ネットワークデバイスにより選択されたポートのポート番号を示すべく用いられる。
【０５６１】
任意に、第１信号は、アップリンクＳＲＳである。
【０５６２】
好ましくは、第１信号は、伝送機７１により第２ネットワークデバイスに送信される第２ＣＳＩを含み、第２ＣＳＩは、プロセッサによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【０５６３】
さらに、第２ＣＳＩは、ＰＭＩ、ポート選択情報、及びサブバンド情報のうちの少なくとも１つを含む。
【０５６４】
第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【０５６５】
さらに、プロセッサ７３は、第２ネットワークデバイスにより送信された第１測定パイロットを受信機７２が受信し、第１測定パイロットが測定される前に、第１測定パイロットの構成情報を決定するように構成される。第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０５６６】
さらに、プロセッサ７３は、具体的には、第１信号に従って第１測定パイロットの構成情報を決定するように構成される。
【０５６７】
さらに、プロセッサ７３は、具体的には、伝送機により第２ネットワークデバイスに最後に送信された第１信号に従って第１測定パイロットの構成情報を決定するように構成される。
【０５６８】
さらに、プロセッサ７３は、具体的には、
受信機７２により第２ネットワークデバイスに最後に送信された第１信号内のＰＭＩに従って第１測定パイロットのパイロットパターンを決定するように構成され、ＰＭＩとパイロットパターンの間に対応関係があり、又は、
受信機７２により第２ネットワークデバイスに最後に送信された第１信号内のＲＩに従って第１測定パイロットのパイロットパターンを決定するように構成され、ＲＩとパイロットパターンとの間に対応関係がある。
【０５６９】
さらに、ＲＩが別のＲＩよりも低い場合、ＲＩに対応するパイロットパターンは、別のＲＩに対応するパイロットパターンのサブセットである。
【０５７０】
さらに、受信機７２は、第２ネットワークデバイスにより送信された第１シグナリングを受信するようにさらに構成される。第１シグナリングは、第１測定パイロットの構成情報を搬送する。
【０５７１】
プロセッサ７３は、第１シグナリングに従って第１測定パイロットの構成情報を決定するようにさらに構成される。
【０５７２】
第１シグナリングは、より高い層のシグナリング、第１ネットワークデバイスに固有の動的なシグナリング、及び第１ネットワークデバイスのグループに固有の動的なシグナリングのうちの少なくとも１つである。
【０５７３】
さらに、第１ネットワークデバイスに固有の動的なシグナリングは、ＰＤＣＣＨ又はＥＰＤＣＣＨに加えられて送信される。
【０５７４】
さらに、第１ネットワークデバイスに固有の動的なシグナリングは、ＤＬ  ｇｒａｎｔシグナリング又はＵＬ  ｇｒａｎｔシグナリングである。
【０５７５】
さらに、第１ネットワークデバイスのグループに固有の動的なシグナリングは、ＰＤＣＣＨ又はＥＰＤＣＣＨに加えられて送信される。
【０５７６】
さらに、第１ネットワークデバイスのグループに固有の動的なシグナリングは、第１ネットワークデバイスが属するグループの識別子を用いることによりスクランブリングが実行された後に取得される動的なシグナリングである。
【０５７７】
さらに、プロセッサ７３は、より高い層のシグナリングに従って、第１ネットワークデバイスが属するグループの識別子を決定し、第１ネットワークデバイスが属するグループの識別子に従って、第１ネットワークデバイスのグループに固有の動的なシグナリングから第１測定パイロットの構成情報を決定するようにさらに構成され、又は、より高い層のシグナリングに従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成され、又は、第１信号に従って、第１ネットワークデバイスが属するグループの識別子を決定し、第１ネットワークデバイスが属するグループの識別子、及び第１ネットワークデバイスの識別子に従って、第１ネットワークデバイスのグループに固有の動的なシグナリングから第１測定パイロットの構成情報を決定するようにさらに構成される。
【０５７８】
さらに、第２ＣＳＩは、ＰＭＩ、ポート選択情報、及びサブバンド情報のうちの少なくとも１つを含む。第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【０５７９】
さらに、プロセッサ７３は、第２ＣＳＩに含まれるポート選択情報、及び第１マッピング関係に従って、第１ネットワークデバイスが属するグループの識別子を決定するようにさらに構成され、第１マッピング関係は、ポート番号と、第１ネットワークデバイスが属するグループの識別子との間の対応関係を示すべく用いられ、又は、第２ＣＳＩに含まれるサブバンド情報、及び第２マッピング関係に従って、第１ネットワークデバイスが属するグループの識別子を決定するようにさらに構成され、第２マッピング関係は、サブバンド情報と、第１ネットワークデバイスが属するグループの識別子との間の対応関係を示すべく用いられ、又は、
受信機７２は、第１ネットワークデバイスが属するグループの識別子を受信するようにさらに構成され、第１ネットワークデバイスが属するグループの識別子は、第２ネットワークデバイスにより送信され、かつ、第１信号に従って第２ネットワークデバイスにより決定される。
【０５８０】
さらに、受信機７２は、伝送機７１が第１信号を第２ネットワークデバイスに送信する前に、第２ネットワークデバイスにより送信された第２測定パイロットを受信するようにさらに構成される。
【０５８１】
プロセッサ７３は、第２測定パイロットを測定して第２ＣＳＩを取得し、第２ＣＳＩに従って第１信号を決定するようにさらに構成される。
【０５８２】
さらに、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０５８３】
さらに、プロセッサ７３は、Ｍ個の第２測定パイロットを測定し、降順にＭ個の第２測定パイロットの信号品質をソートし、第２測定パイロットに対応する最も高い信号品質の第１のＮ個のポート番号を選択するようにさらに構成される。
【０５８４】
さらに、プロセッサ７３は、第１信号に従って、第１測定パイロットのポート数をＮとして決定するようにさらに構成される。
【０５８５】
さらに、プロセッサ７３は、第１信号及び第３マッピング関係に従って、第１測定パイロットの期間を決定するようにさらに構成される。第３マッピング関係は、第１測定パイロットのポート数と第１測定パイロットの期間との間の対応関係を示すべく用いられる。
【０５８６】
さらに、プロセッサ７３は、第１信号及び第４マッピング関係に従って第１測定パイロットのシーケンス情報を決定するようにさらに構成される。第４マッピング関係は、第１測定パイロットのポート数と第１測定パイロットのシーケンス情報との間の対応関係を示すべく用いられる。
【０５８７】
さらに、第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含む。ＣＳＩ測定プロセスにおいて、第２測定パイロットの構成情報は、変化しないままである。
【０５８８】
さらに、受信機７２は、プロセッサ７３が第２測定パイロットを測定する前に、第２ネットワークデバイスにより送信された第２シグナリングを受信するようにさらに構成される。第２シグナリングは、第２測定パイロットの構成情報を搬送する。
【０５８９】
プロセッサ７３は、第２シグナリングに従って第１測定パイロットの構成情報を決定するようにさらに構成される。
【０５９０】
第２シグナリングは、半静的なシグナリングであり、又は、第２シグナリングは、第１ネットワークデバイスのグループに固有の動的なシグナリングである。
【０５９１】
任意に、第２測定パイロット及び第１測定パイロットは、異なるＣＳＩ測定プロセスに属する。
【０５９２】
任意に、第２測定パイロット及び第１測定パイロットは、同じＣＳＩ測定プロセスに属する。
【０５９３】
さらに、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【０５９４】
さらに、伝送機は、ＣＳＩ測定プロセスにおいて第３ＣＳＩを報告する。第３ＣＳＩは、第１測定パイロットを測定することにより決定される第１ＣＳＩ、及び第２測定パイロットを測定することにより決定される第２ＣＳＩを含む。
【０５９５】
さらに、第１ＣＳＩは、第１ＲＩ、第１ＰＭＩ、及び第１ＣＱＩを含み、又は、第１ＣＳＩは、第１ＰＭＩ及び第１ＣＱＩを含む。
【０５９６】
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【０５９７】
さらに、第２ＣＳＩは、第２ＲＩ及び第２ＰＭＩを含み、第２ＲＩ及び第２ＰＭＩは、同じ時点でフィードバックされ、第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、又は、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、又は、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされる。
【０５９８】
第２ＣＱＩは、第２ＲＩ、及び第２ＰＭＩに対応するプリコーディング行列に従って決定される。第２ＲＩ及び第２ＰＭＩは、第２測定パイロットを測定することにより決定される。第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含む。二重コードブック構成は、Ｗ＝Ｗ１×Ｗ２であり、
【数２０４】
0006690848.tif 000205
であり、Ｗ１は対角行列であり、Ｗ１は第１プリコーディング部分行列であり、Ｗ２は第２プリコーディング部分行列である。
【０５９９】
さらに、伝送機７１が、第２ＲＩ、第１プリコーディング部分行列に対応するインデックス、第２プリコーディング部分行列に対応するインデックス、及び第２ＣＳＩ内の第２ＣＱＩのうちの少なくとも１つを同じ時点で第２ネットワークデバイスにフィードバックするようにさらに構成されるとき、プロセッサ７３は、結合符号化方式又は独立符号化方式で、伝送機７１により送信される情報をコード化する。
【０６００】
さらに、第３ＣＳＩは、変更指標をさらに含む。変更指標は、第１測定パイロットを測定して第１ＣＳＩを取得するようプロセッサに指示すべく用いられ、伝送機は、第１ＣＳＩを第２ネットワークデバイスにフィードバックし、又は、変更指標は、第２測定パイロットを測定して第２ＣＳＩを取得するようプロセッサに指示すべく用いられ、伝送機は、第２ＣＳＩを第２ネットワークデバイスにフィードバックし、又は、変更指標は、第１測定パイロットを測定して第１ＣＳＩを取得し、第２測定パイロットを測定して第２ＣＳＩを取得するようプロセッサに指示すべく用いられ、伝送機は、第１ＣＳＩ及び第２ＣＳＩを第２ネットワークデバイスにフィードバックする。
【０６０１】
さらに、伝送機７１は、変更フラグと、第２ＲＩ、第１プリコーディング部分行列に対応するインデックス、第２プリコーディング部分行列に対応するインデックス、及び第２ＣＱＩのうちの少なくとも１つとを同じ時点で第２ネットワークデバイスにフィードバックするようにさらに構成され、又は、伝送機７１は、変更フラグ、第２ＲＩ、及びプリコーディングタイプ指標ＰＴＩを同じ時点で第２ネットワークデバイスにフィードバックするようにさらに構成される。
【０６０２】
さらに、プロセッサ７３は、伝送機７１が変更フラグを第２ネットワークデバイスに報告する前に、第１測定パイロットのみを測定して第１ＣＳＩをフィードバックし、伝送機７１が変更フラグを第２ネットワークデバイスに報告した後に、第２測定パイロットのみを測定して第２ＣＳＩをフィードバックするようにさらに構成され、又は、
プロセッサ７３は、伝送機７１が変更フラグを第２ネットワークデバイスに報告する前に、第２測定パイロットのみを測定して第２ＣＳＩを報告し、伝送機７１が変更フラグを第２ネットワークデバイスに報告した後に、第１測定パイロットのみを測定して第１ＣＳＩをフィードバックするようにさらに構成される。
【０６０３】
さらに、プロセッサ７３は、伝送機７１が変更フラグを第２ネットワークデバイスにフィードバックする前に、第１測定パイロットのみを測定して第１ＣＳＩをフィードバックし、伝送機７１が変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成され、又は、
プロセッサ７３は、伝送機７１が変更フラグを第２ネットワークデバイスにフィードバックする前に、第２測定パイロットのみを測定して第２ＣＳＩをフィードバックし、伝送機７１が変更フラグを第２ネットワークデバイスにフィードバックした後に、第１測定パイロットを測定して第１ＣＳＩをフィードバックし、第２測定パイロットを測定して第２ＣＳＩをフィードバックするようにさらに構成される。
【０６０４】
さらに、受信機７２は、第２ネットワークデバイスにより送信された構成情報を受信するようにさらに構成される。
【０６０５】
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は、構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０６０６】
さらに、ＣＳＩ測定プロセスにおいて、第１測定パイロットの構成情報は可変である。
【０６０７】
さらに、ＣＳＩ測定プロセスにおいて、第１測定パイロットのポート数は可変である。
【０６０８】
さらに、第１ＣＳＩのＰＭＩはプリコーディング行列Ｗを含む。Ｗの値について、Ｓ３０９に関連する説明を参照してよく、本発明の本実施形態において、詳細がここで繰り返されることはない。
【０６０９】
任意に、第２ＣＳＩに含まれるポート選択情報は、最良のＭ方式で表され、又は、第２ＣＳＩに含まれるポート選択情報は、ビットマップ方式で表される。最良のＭ方式の具体的な説明について、式１を参照してよく、本実施形態において、詳細がここで繰り返されない。
【０６１０】
任意に、第１ネットワークデバイスはＵＥであり、第２ネットワークデバイスは基地局であり、又は、第１ネットワークデバイスはＵＥであり、第２ネットワークデバイスはＵＥであり、又は、第１ネットワークデバイスは基地局であり、第２ネットワークデバイスは基地局である。
【０６１１】
さらに、第１測定パイロットはＣＳＩ‐ＲＳである。
【０６１２】
さらに、第２測定パイロットはＣＳＩ‐ＲＳである。
【０６１３】
本発明の本実施形態におけるプロセッサ７３は、先述の実施形態における測定ユニット５３及び決定ユニット５４のような複数の機能ユニットの統合であってよいことに留意すべきである。すなわち、測定ユニット５３及び決定ユニット５４のような当該機能ユニットは、１つのプロセッサ７３に統合されてよい。代わりに、伝送機７１は、先述の実施形態における送信ユニット５１であってよい。本明細書において、伝送機７１は、送信ユニット５１の全ての機能を実装してよい。受信機７２は、先述の実施形態における受信ユニット５２であってよい。本明細書において、受信機７２は、受信ユニット５２の全ての機能を実装してよい。
【０６１４】
本発明の本実施形態で提供される第１ネットワークデバイスのいくつかの機能モジュールの具体的な説明について、方法の実施形態で対応する内容を参照してよく、本実施形態において、詳細がここで繰り返されないことに留意すべきである。
【０６１５】
本発明の本実施形態で提供される第１ネットワークデバイスによれば、第２ネットワークデバイスにより送信される第１測定パイロットを受信機が受信する前に、伝送機は、第１信号を第２ネットワークデバイスに送信し、第１信号は、第１信号に従って第１測定パイロットを決定すべく、第２ネットワークデバイスに用いられる。故に、第１測定パイロットは、第１信号の内容の変化と共に変化する、すなわち、本発明の本実施形態における第１測定パイロットは可変である。第１ネットワークデバイスがＵＥであり、かつ、第２ネットワークデバイスが基地局であるとき、ＵＥにより測定される第１測定パイロットは、第１信号に従って基地局により決定される測定パイロットである。従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の実施形態における方法を用いることで解消され得る。
【０６１６】
本発明の実施形態は、第２ネットワークデバイスをさらに提供する。図１２に示されるように、第２ネットワークデバイスは、受信機８１、プロセッサ８２、及び伝送機８３を含む。
【０６１７】
受信機８１は、第１ネットワークデバイスにより送信された第１信号を受信するように構成される。第１信号は、第１信号に従って第１測定パイロットを決定すべく、第２ネットワークデバイスに用いられる。
【０６１８】
プロセッサ８２は、第１信号に従って第１測定パイロットを決定するように構成される。
【０６１９】
伝送機８３は、第１測定パイロットを第１ネットワークデバイスに送信するように構成される。
【０６２０】
受信機８１は、第１ネットワークデバイスにより送信された第１ＣＳＩを受信するようにさらに構成される。第１ＣＳＩは、第１ネットワークデバイスによって第１測定パイロットを測定することにより取得され、第１ＣＳＩは、ＣＱＩ、ＰＭＩ、ＲＩ、及びポート選択情報のうちの少なくとも１つを含み、ポート選択情報は、第１測定パイロット内の複数のポートから第１ネットワークデバイスにより選択されたポートのポート番号を示すべく用いられる。
【０６２１】
さらに、第１信号はアップリンクＳＲＳであり、又は、第１信号は、第１ネットワークデバイスにより第２ネットワークデバイスに報告される第２ＣＳＩを含み、第２ＣＳＩは、第１ネットワークデバイスによって第２測定パイロットを測定することにより取得され、第２測定パイロットは、半静的なシグナリング、又は第１ネットワークデバイスのグループに固有のシグナリングを用いることにより、第２ネットワークデバイスによって、第１ネットワークデバイスに対して構成される測定パイロットである。
【０６２２】
さらに、第２ＣＳＩは、ＰＭＩ、ポート選択情報、及びサブバンド情報のうちの少なくとも１つを含む。第２ＣＳＩに含まれるポート選択情報は、第２測定パイロット内の複数のポートから第１ネットワークデバイスにより選択されたポートのポート番号を示すべく用いられ、サブバンド情報は、第２測定パイロットの周波数帯から第１ネットワークデバイスにより選択されたサブバンドを示すべく用いられる。
【０６２３】
さらに、プロセッサ８２は、第１測定パイロットの構成情報を決定するようにさらに構成される。第１測定パイロットの構成情報は、第１測定パイロットのポート数、第１測定パイロットのパイロットパターン、第１測定パイロットのポートと第１測定パイロットのデータレイヤ数との間の対応関係、第１測定パイロットの周波数帯情報、第１測定パイロットの期間、第１測定パイロットのサブフレームオフセット、第１測定パイロットを送信する開始時刻、第１測定パイロットを送信する終了時刻、第１測定パイロットを測定する開始時刻、第１測定パイロットを測定する終了時刻、及び第１測定パイロットのシーケンス情報のうちの少なくとも１つを含む。
【０６２４】
さらに、プロセッサ８２は、具体的には、第１信号に従って第１測定パイロットの構成情報を決定するように構成される。
【０６２５】
さらに、プロセッサ８２は、具体的には、受信機８１により最後に受信された第１信号に従って第１測定パイロットの構成情報を決定するように構成される。
【０６２６】
さらに、プロセッサ８２は、具体的には、受信機８１により最後に受信された第１信号内のＰＭＩに従って第１測定パイロットのパイロットパターンを決定するように構成され、ＰＭＩとパイロットパターンの間に対応関係があり、又は、受信機８１により最後に受信された第１信号内のＲＩに従って第１測定パイロットのパイロットパターンを決定するように構成され、ＲＩとパイロットパターンとの間に対応関係がある。
【０６２７】
さらに、ＲＩが別のＲＩよりも低い場合、ＲＩに対応するパイロットパターンは、別のＲＩに対応するパイロットパターンのサブセットである。
【０６２８】
さらに、伝送機８３は、プロセッサ８２が第１測定パイロットの構成情報を決定した後に、第１シグナリングを第１ネットワークデバイスに送信するようにさらに構成される。第１シグナリングは、第１測定パイロットの構成情報を搬送する。
【０６２９】
第１シグナリングは、より高い層のシグナリングであり、又は、第１シグナリングは、第１ネットワークデバイスに固有の動的なシグナリングであり、又は、第１シグナリングは、第１ネットワークデバイスのグループに固有の動的なシグナリングである。
【０６３０】
さらに、伝送機８３は、具体的には、第１ネットワークデバイスに固有の動的なシグナリングをＰＤＣＣＨ又はＥＰＤＣＣＨに加えて、ＰＤＣＣＨ又はＥＰＤＣＣＨを第１ネットワークデバイスに送信するように構成される。
【０６３１】
さらに、第１ネットワークデバイスに固有の動的なシグナリングは、ＤＬ  ｇｒａｎｔシグナリング又はＵＬ  ｇｒａｎｔシグナリングである。
【０６３２】
さらに、伝送機８３は、具体的には、第１ネットワークデバイスのグループに固有の動的なシグナリングをＰＤＣＣＨ又はＥＰＤＣＣＨに加えて、ＰＤＣＣＨ又はＥＰＤＣＣＨを第１ネットワークデバイスに送信するように構成される。
【０６３３】
さらに、第１ネットワークデバイスのグループに固有の動的なシグナリングは、第１ネットワークデバイスが属するグループの識別子を用いることによってスクランブリングを実行することにより第２ネットワークデバイスによって取得される動的なシグナリングである。
【０６３４】
さらに、プロセッサ８２は、第１ネットワークデバイスにより送信された第１信号に従って、第１ネットワークデバイスが属するグループの識別子を決定するようにさらに構成される。
【０６３５】
伝送機８３は、第１ネットワークデバイスが属するグループの識別子を、より高い層のシグナリングを用いることにより、第１ネットワークデバイスに送信するようにさらに構成される。
【０６３６】
さらに、伝送機８３は、第１ネットワークデバイスにより送信される第１信号を受信機８１が受信する前に、第２測定パイロットを測定するよう第１ネットワークデバイスに指示すべく、第２測定パイロットを第１ネットワークデバイスに送信するようにさらに構成される。
【０６３７】
伝送機８３は、第２シグナリングを第１ネットワークデバイスに送信するようにさらに構成される。第２シグナリングは、第２測定パイロットの構成情報を搬送する。
【０６３８】
第２シグナリングは、半静的なシグナリングであり、又は、第２シグナリングは、第１ネットワークデバイスのグループに固有の動的なシグナリングである。第２測定パイロットの構成情報は、第２測定パイロットのポート数、第２測定パイロットのパイロットパターン、第２測定パイロットのポート数と第２測定パイロットのデータレイヤ数との間の対応関係、第２測定パイロットの周波数帯情報、第２測定パイロットの期間、第２測定パイロットのサブフレームオフセット、及び第２測定パイロットのシーケンス情報のうちの少なくとも１つを含む。ＣＳＩ測定プロセスにおいて、第２測定パイロットの構成情報は、変化しないままである。
【０６３９】
さらに、第２ＣＳＩに含まれるポート選択情報は、Ｍ個のポートから第１ネットワークデバイスにより選択されたＮ個のポートのポート番号を示すべく用いられ、Ｍは、第２測定パイロットのポート数であり、Ｎ＜Ｍである。
【０６４０】
さらに、プロセッサ８２は、第１信号に従って、第１測定パイロットのポート数をＮとして決定するようにさらに構成される。
【０６４１】
さらに、プロセッサ８２は、第１信号及び第１マッピング関係に従って、第１測定パイロットの期間を決定するようにさらに構成される。第１マッピング関係は、第１測定パイロットのポート数と第１測定パイロットの期間との間の対応関係を示すべく用いられる。
【０６４２】
さらに、プロセッサ８２は、第１信号及び第２マッピング関係に従って、第１測定パイロットのシーケンス情報を決定するようにさらに構成される。第２マッピング関係は、第１測定パイロットのポート数と第１測定パイロットのシーケンス情報との間の対応関係を示すべく用いられる。
【０６４３】
任意に、第２測定パイロット及び第１測定パイロットは、異なるＣＳＩ測定プロセスに属する。
【０６４４】
任意に、第２測定パイロット及び第１測定パイロットは、同じＣＳＩ測定プロセスに属する。
【０６４５】
さらに、第１測定パイロットは、プリコーディングが実行されるパイロットであり、第２測定パイロットは、プリコーディングが実行されないパイロットであり、又は、第１測定パイロットは、クラスＢ測定パイロットであり、第２測定パイロットは、クラスＡ測定パイロットであり、又は、第１測定パイロットは動的に変化し、第２測定パイロットは半静的方式で構成される。
【０６４６】
さらに、第２ネットワークデバイスは、第１ネットワークデバイスにより報告された第３ＣＳＩをＣＳＩ測定プロセスにおいて受信する。第３ＣＳＩは、第１測定パイロットを測定することにより決定された第１ＣＳＩ、及び第２測定パイロットを測定することにより決定された第２ＣＳＩを含む。
【０６４７】
さらに、第１ＣＳＩは、第１ＲＩ、第１ＰＭＩ、及び第１ＣＱＩを含み、又は、第１ＣＳＩは、第１ＰＭＩ及び第１ＣＱＩを含む。
【０６４８】
第１ＲＩ及び第１ＰＭＩは、第１測定パイロットを測定することにより決定され、第１ＣＱＩは、第２ＲＩ、及び第１ＰＭＩに対応するプリコーディング行列に従って決定されるＣＱＩである。
【０６４９】
さらに、第２ＣＳＩは、第２ＲＩ及び第２ＰＭＩを含み、第２ＲＩ及び第２ＰＭＩは、同じ時点でフィードバックされ、第２ＲＩ及び第２ＰＭＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスとを含み、第２ＲＩ、及び第１プリコーディング部分行列に対応するインデックスは、同じ時点でフィードバックされ、又は、第２ＲＩ、及び第１プリコーディング部分行列に対応するインデックスは、異なる時点でフィードバックされ、又は、
第２ＣＳＩは、第２ＲＩの範囲及び第２ＰＭＩを含み、第２ＲＩの範囲及び第２ＰＭＩは、同じ時点でフィードバックされ、又は第２ＲＩの範囲及び第２ＰＭＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスとを含み、第２ＲＩの範囲、及び第１プリコーディング部分行列に対応するインデックスは、同じ時点でフィードバックされ、又は、第２ＲＩの範囲、及び第１プリコーディング部分行列に対応するインデックスは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報とを含み、第２ＲＩ、第１プリコーディング部分行列に対応するインデックス、及び第２プリコーディング部分行列の列選択情報は、同じ時点でフィードバックされ、又は、第２ＲＩ、第１プリコーディング部分行列に対応するインデックス、及び第２プリコーディング部分行列の列選択情報は、異なる時点でフィードバックされ、又は、
第２ＣＳＩは、第２ＲＩ、第２ＰＭＩ、及び第２ＣＱＩを含み、第２ＲＩ、第２ＰＭＩ、及び第２ＣＱＩは、同じ時点でフィードバックされ、又は、第２ＲＩ、第２ＰＭＩ、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、第２ＣＱＩとを含み、第２ＲＩ、第１プリコーディング部分行列に対応するインデックス、及び第２ＣＱＩは、同じ時点でフィードバックされ、又は、第２ＲＩ、第１プリコーディング部分行列に対応するインデックス、及び第２ＣＱＩは、異なる時点でフィードバックされ、又は、
第２ＣＳＩは、第２ＲＩの範囲、第２ＰＭＩ、及び第２ＣＱＩを含み、第２ＲＩの範囲、第２ＰＭＩ、及び第２ＣＱＩは、同じ時点でフィードバックされ、又は、第２ＲＩの範囲、第２ＰＭＩ、及び第２ＣＱＩは、異なる時点でフィードバックされ、又は、
第２ＣＳＩは、第２ＲＩの範囲と、二重コードブック構成を有し、かつ、第２ＰＭＩに対応しているプリコーディング行列の第１プリコーディング部分行列に対応するインデックスと、第２ＣＱＩとを含み、第２ＲＩの範囲、第１プリコーディング部分行列に対応するインデックス、及び第２ＣＱＩは、同じ時点でフィードバックされ、又は、第２ＲＩの範囲、第１プリコーディング部分行列に対応するインデックス、及び第２ＣＱＩは、異なる時点でフィードバックされ、又は、
第２ＣＳＩは、第２ＲＩと、二重コードブック構成を有し、かつ、第２ＰＭＩに対応しているプリコーディング行列の第１プリコーディング部分行列に対応するインデックスと、二重コードブック構成を有し、かつ、第２ＰＭＩに対応しているプリコーディング行列の第２プリコーディング部分行列の列選択情報と、第２ＣＱＩとを含み、第２ＲＩ、第１プリコーディング部分行列に対応するインデックス、第２プリコーディング部分行列の列選択情報、及び第２ＣＱＩは、同じ時点でフィードバックされ、又は、第２ＲＩ、第１プリコーディング部分行列に対応するインデックス、第２プリコーディング部分行列の列選択情報、及び第２ＣＱＩは、異なる時点でフィードバックされる。
【０６５０】
第２ＣＱＩは、第２ＲＩ、及び第２ＰＭＩに対応するプリコーディング行列に従って決定される。第２ＲＩ及び第２ＰＭＩは、第２測定パイロットを測定することにより決定される。第２ＰＭＩは、二重コードブック構成を有するプリコーディング行列に対応しており、第２ＰＭＩは、第１プリコーディング部分行列に対応するインデックス、及び第２プリコーディング部分行列に対応するインデックスを含む。二重コードブック構成は、Ｗ＝Ｗ１×Ｗ２であり、
【数２０５】
0006690848.tif 000206
であり、Ｗ１は対角行列であり、Ｗ１は第１プリコーディング部分行列であり、Ｗ２は第２プリコーディング部分行列である。
【０６５１】
さらに、受信機８１が、第１ネットワークデバイスによりフィードバックされた第２ＲＩ、第１プリコーディング部分行列に対応するインデックス、第２プリコーディング部分行列に対応するインデックス、及び第２ＣＳＩの第２ＣＱＩのうちの少なくとも１つを同じ時点で受信したとき、受信機８１により受信されたフィードバック情報は、結合符号化方式又は独立符号化方式で符号化される。
【０６５２】
さらに、第３ＣＳＩは、変更指標をさらに含む。
【０６５３】
変更指標は、第１測定パイロットを測定して第１ＣＳＩをフィードバックするよう第１ネットワークデバイスに指示すべく用いられ、又は、変更指標は、第２測定パイロットを測定して第２ＣＳＩをフィードバックするよう第１ネットワークデバイスに指示すべく用いられ、又は、変更指標は、第１測定パイロットを測定して第１ＣＳＩをフィードバックし、第２測定パイロットを測定して第２ＣＳＩをフィードバックするよう第１ネットワークデバイスに指示すべく用いられる。
【０６５４】
さらに、受信機８１は、第１ネットワークデバイスによりフィードバックされる、変更フラグと、第２ＲＩ、第１プリコーディング部分行列に対応するインデックス、第２プリコーディング部分行列に対応するインデックス、及び第２ＣＱＩのうちの少なくとも１つとを同じ時点で受信するようにさらに構成され、又は、受信機８１は、変更フラグ、第２ＲＩ、及びプリコーディングタイプ指標ＰＴＩを同じ時点で受信するようにさらに構成され、変更フラグ及び第２ＲＩは、第１ネットワークデバイスによりフィードバックされる。
【０６５５】
さらに、第１ネットワークデバイスにより報告される変更フラグを受信機８１が受信する前に、受信機８１により受信されるＣＳＩは、第１ネットワークデバイスによって第１測定パイロットのみを測定することにより取得される第１ＣＳＩであり、第１ネットワークデバイスにより報告された変更フラグを受信機８１が受信した後に、受信機８１により受信されるＣＳＩは、第１ネットワークデバイスによって第２測定パイロットのみを測定することにより取得される第２ＣＳＩであり、又は、
第１ネットワークデバイスにより報告される変更フラグを受信機８１が受信する前に、受信機８１により受信されるＣＳＩは、第１ネットワークデバイスによって第２測定パイロットのみを測定することにより取得される第２ＣＳＩであり、第１ネットワークデバイスにより報告された変更フラグを受信機８１が受信した後に、受信機８１により受信されるＣＳＩは、第１ネットワークデバイスによって第１測定パイロットのみを測定することにより取得される第１ＣＳＩであり、又は、
第１ネットワークデバイスにより報告される変更フラグを受信機８１が受信する前に、受信機８１により受信されるＣＳＩは、第１ネットワークデバイスによって第１測定パイロットのみを測定することにより取得される第１ＣＳＩであり、第１ネットワークデバイスにより報告された変更フラグを受信機８１が受信した後に、受信機８１により受信されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含み、又は、
第１ネットワークデバイスにより報告される変更フラグを受信機８１が受信する前に、受信機８１により受信されるＣＳＩは、第１ネットワークデバイスによって第２測定パイロットのみを測定することにより取得され、第１ネットワークデバイスにより報告された変更フラグを受信機８１が受信した後に、受信機８１により受信されるＣＳＩは、第１ネットワークデバイスによって第１測定パイロットを測定することにより取得される第１ＣＳＩと、第１ネットワークデバイスによって第２測定パイロットを測定することにより取得される第２ＣＳＩとを含む。
【０６５６】
さらに、伝送機８３は、構成情報を第１ネットワークデバイスに送信するようにさらに構成される。
【０６５７】
構成情報は、第１測定パイロットを測定して第１ＣＳＩをフィードバックするよう第１ネットワークデバイスに指示すべく用いられ、又は、構成情報は、第２測定パイロットを測定して第２ＣＳＩをフィードバックするよう第１ネットワークデバイスに指示すべく用いられ、又は構成情報は、第１測定パイロットを測定して第１ＣＳＩをフィードバックし、第２測定パイロットを測定して第２ＣＳＩをフィードバックするよう第１ネットワークデバイスに指示すべく用いられる。
【０６５８】
さらに、ＣＳＩ測定プロセスにおいて、第１測定パイロットの構成情報は可変である。
【０６５９】
さらに、ＣＳＩ測定プロセスにおいて、第１測定パイロットのポート数は可変である。
【０６６０】
さらに、第１ＣＳＩのＰＭＩはプリコーディング行列Ｗを含む。Ｗの値について、Ｓ３０９に関連する説明を参照してよく、本発明の本実施形態において、詳細がここで繰り返されることはない。
【０６６１】
任意に、第２ＣＳＩに含まれるポート選択情報は、最良のＭ方式で表され、又は、第２ＣＳＩに含まれるポート選択情報は、ビットマップ方式で表される。最良のＭ方式の具体的な説明について、式１を参照してよく、本実施形態において、詳細がここで繰り返されない。
【０６６２】
任意に、第１ネットワークデバイスはユーザ機器ＵＥであり、第２ネットワークデバイスは基地局であり、又は、第１ネットワークデバイスはＵＥであり、第２ネットワークデバイスはＵＥであり、又は、第１ネットワークデバイスは基地局であり、第２ネットワークデバイスは基地局である。
【０６６３】
さらに、第１測定パイロットはＣＳＩ‐ＲＳである。
【０６６４】
さらに、第２測定パイロットはＣＳＩ‐ＲＳである。
【０６６５】
本発明の本実施形態におけるプロセッサ８２は、先述の実施形態における決定ユニット６２であってよく、プロセッサ８２は、決定ユニット６２の全ての機能を実装してよいことに留意すべきである。伝送機８３は、先述の実施形態にける送信ユニット６３であってよい。本明細書において、伝送機８３は、送信ユニット６３の全ての機能を実装してよい。受信機８１は、先述の実施形態における受信ユニット６１であってよい。本明細書において、受信機８１は、受信ユニット６１の全ての機能を実装してよい。
【０６６６】
本発明の本実施形態で提供される第２ネットワークデバイスのいくつかの機能モジュールについての具体的な説明のために、方法の実施形態における対応する内容が参照されてよく、本実施形態において、詳細がここで繰り返されないことに留意すべきである。
【０６６７】
本発明の本実施形態で提供される第２ネットワークデバイスによれば、第２ネットワークデバイスは、第１ネットワークデバイスから受信した第１信号に従って第１測定パイロットを決定する。故に、第１測定パイロットは、第１信号の内容の変化と共に変化する、すなわち、本発明の本実施形態における第１測定パイロットは可変である。第１ネットワークデバイスがＵＥであり、かつ、第２ネットワークデバイスが基地局であるとき、基地局によりＵＥに送信される第１測定パイロットは、第１信号に従って基地局により決定される。従来技術における基地局により構成される固定された測定パイロットと比較して、本発明の本実施形態における第１測定パイロットは、基地局により適応的に構成される。故に、ＵＥが測定パイロットを測定してフィードバックを提供するときに柔軟性に欠けるという従来技術の課題が、本発明の本実施形態における方法を用いることで解消され得る。
【０６６８】
実装例に関する先述の説明は、当業者が、簡便かつ簡潔な説明の目的のために、先述の機能モジュールの区分が説明のための例として行われることを理解することを可能にする。実際の適用では、先述の機能は、異なるモジュールに割り当てられ、要求に従って実装されることができ、すなわち、装置の内部構成は、上述した複数の機能の全て又は一部を実装すべく、異なる機能モジュールに区分けされる。先述のシステム装置、及びユニットの特定の動作処理について、先述の方法の実施形態における対応する処理を参照してよく、詳細がここでは繰り返されない。
【０６６９】
本願において提供されるいくつかの実施形態では、開示されるシステム、装置、及び方法は、他の方式で実装され得ることが理解されるべきである。例えば、説明された装置の実施形態は一例に過ぎない。例えば、モジュール又はユニットの区分は、論理的な機能区分に過ぎず、実際の実装において他の区分であってよい。例えば、複数のユニット又はコンポーネントは、別のシステムに組み合まれ、又は、統合されてよく、又は、いくつかの機能が無視され、又は、実行されなくてよい。加えて、表示又は説明された相互連結若しくは直接連結、又は、通信接続は、いくつかのインタフェース、装置又はユニット間の間接連結若しくは通信接続、又は、電気的な接続、機械的な接続、又は、他の複数の形態における接続を通じて実装されてよい。
【０６７０】
別個の部品として説明されるユニットは、物理的に分離してもしていなくてもよく、ユニットとして表示される部品は、物理ユニットであってもそうでなくてもよく、１か所に配置されてもよく、又は、複数のネットワークユニット上に分散されてもよい。ユニットの一部又は全ては、実施形態の解決法の目的を実現すべく、実際の必要性に従って選択されてよい。
【０６７１】
加えて、本発明の実施形態における機能ユニットは１つの処理ユニットに統合されてよく、又は、ユニットのそれぞれが物理的に単独で存在してよく、又は、２又はそれより多いユニットは、１つのユニットに統合される。 統合されたユニットは、ハードウェアの形式で実装されてよく、又は、ソフトウェア機能ユニットの形式で実装されてよい。
【０６７２】
統合されたユニットが、ソフトウェア機能ユニットの形式で実装され、単独製品として販売又は用いられるとき、統合されたユニットは、コンピュータ可読記憶媒体に格納されてよい。そのような理解に基づいて、本質的に、本発明の技術的解決法、又は従来技術に寄与する部分、又は技術的解決法の全て又は一部は、ソフトウェア製品の形式で実装されてよい。ソフトウェア製品は、記憶媒体に格納され、本発明の実施形態で説明された方法の段階の全て又は一部を実行するよう、コンピュータデバイス（パーソナルコンピュータ、サーバ、又はネットワークデバイスであってよい）、又は、プロセッサ（ｐｒｏｃｅｓｓｏｒ）に指示するためのいくつかの命令を含む。先述の記憶媒体は、ＵＳＢフラッシュドライブ、リムーバブルハードディスク、リードオンリメモリ（ＲＯＭ、Ｒｅａｄ‐Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク、又は光ディスクのようなプログラムコードを格納できる任意の媒体を含む。
【０６７３】
先述の説明は、本発明の特定の実装に過ぎず、本発明の保護範囲を制限することを意図するものではない。本発明において開示された技術的範囲内において、当業者により容易に理解される任意のバリエーション又は置換が本発明の保護範囲に含まれるものとする。故に、本発明の保護範囲は、特許請求の範囲の保護範囲に従うものとする。
【図１】
0006690848.tif 000331
【図２】
0006690848.tif 000332
【図３】
0006690848.tif 000333
【図４】
0006690848.tif 000334
【図５】
0006690848.tif 000335
【図６】
0006690848.tif 000336
【図７】
0006690848.tif 000337
【図８】
0006690848.tif 000338
【図９】
0006690848.tif 000339
【図１０】
0006690848.tif 000340
【図１１】
0006690848.tif 000341
【図１２】
0006690848.tif 000342
【図１３】
0006690848.tif 000343
【図１４】
0006690848.tif 000344
【図１５】
0006690848.tif 000345
【図１６】
0006690848.tif 000346
【図１７】
0006690848.tif 000347
【図１８】
0006690848.tif 000348
【図１９】
0006690848.tif 000349